(57)【要約】  本発明の再生装置（２）は、ＷＥＢサイトを管理するサービス提供サーバ（３）からＷＥＢサイトの情報を受信し再生する。サービス提供サーバ（３）は、ＷＥＢサイトへのアクセスが許可された携帯通信装置（１）のユーザの識別情報（４０）を保持している。再生装置（２）は、招待状情報（５１）とともに、識別情報（４０）および送信時刻情報（５０）を、携帯通信装置（１）から受信するデータ受信部、再生装置赤外線通信部と、受信した招待状情報（５１）に基づきサービス提供サーバ（３）との接続を確立し、招待状情報（５１）とともに識別情報（４０）および送信指示時刻（５０）を送信する接続先決定部、再生装置通信制御部とを備える。このため、携帯通信装置から受信したコンテンツ要求情報により、コンテンツを管理する管理サーバからコンテンツの提供を受ける場合に、管理サーバに正規の提供先であることを確認させることができる。
2009054384.tif 000002
【特許請求の範囲】
【請求項１】
コンテンツを管理する管理サーバからコンテンツを受信し、該コンテンツを再生する再生装置であって、
上記管理サーバは、コンテンツの利用が許可された携帯通信装置または所有者に関する識別情報を保持し、この識別情報により特定された携帯通信装置または所有者からの求めに応じてコンテンツを提供しており、
上記管理サーバに対してコンテンツの送信を要求するための情報であるコンテンツ要求情報とともに、携帯通信装置または所有者を特定する識別情報、およびこの携帯通信装置からコンテンツ要求情報を送信した時点を示す送信時刻情報を、該携帯通信装置から受信する第１受信手段と、
上記第１受信手段により受信したコンテンツ要求情報に基づき管理サーバとの接続を確立し、上記コンテンツ要求情報とともに上記識別情報および送信時刻情報を該管理サーバに送信する第１送信手段とを備えることを特徴とする再生装置。
【請求項２】
上記第１受信手段は、上記コンテンツ要求情報、上記識別情報、および上記送信時刻情報を含む画像データを携帯通信装置から受信しており、
上記コンテンツ要求情報には、上記管理サーバにより管理されているコンテンツの所在を示す所在情報が含まれており、
上記画像データに含まれる上記コンテンツ要求情報、上記識別情報、および上記送信時刻情報を確認し、コンテンツ要求情報から上記所在情報を取得する確認手段をさらに備え、
上記第１送信手段は、上記確認手段により取得した所在情報に基づき、管理サーバとの接続を確立することを特徴とする請求項１に記載の再生装置。
【請求項３】
上記第１受信手段によって受信された上記識別情報および上記送信時刻情報には、これらの情報の正当性を保証するための署名情報が付与されていることを特徴とする請求項１または２に記載の再生装置。
【請求項４】
コンテンツを管理する管理サーバにおいて、このコンテンツの利用許可対象として当該携帯通信装置または所有者を識別する識別情報が登録されている携帯通信装置であって、
上記管理サーバに対してコンテンツの送信を要求するための情報であるコンテンツ要求情報を取得する取得手段と、
上記識別情報を記憶する識別情報記憶装置と、
上記取得手段により取得したコンテンツ要求情報を、上記コンテンツを再生するための再生装置に送信する時点の時刻である送信時刻を計測する第１計時部と、
上記取得手段により取得したコンテンツ要求情報と、上記識別情報記憶装置に記憶された識別情報と、上記第１計時部にて計測された送信時刻の情報である送信時刻情報とに基づき、上記再生装置に送信するための送信用データを作成する送信用データ作成手段と、
上記送信用データ作成手段によって作成した送信用データを再生装置に送信する第２送信手段とを備えることを特徴とする携帯通信装置。
【請求項５】
上記取得手段は、上記管理サーバに対して上記コンテンツ要求情報の送信を要求し、該管理サーバから該コンテンツ要求情報を取得することを特徴とする請求項４に記載の携帯通信装置。
【請求項６】
上記コンテンツ要求情報はその内容を示す識別コードとして物品に記録されており、
上記物品に記録された識別コードの画像データを取得する画像取得部を備え、
上記取得手段は、上記画像取得部によって取得された画像データを解析し、上記コンテンツ要求情報を取得することを特徴とする請求項４に記載の携帯通信装置。
【請求項７】
上記コンテンツ要求情報を保持するコンテンツ要求情報保持装置と無線により通信を行い、該コンテンツ要求情報を取得する情報取得部を備え、
上記取得手段は、上記情報取得部から上記コンテンツ要求情報を取得することを特徴とする請求項４に記載の携帯通信装置。
【請求項８】
上記送信用データ作成手段は、少なくとも上記識別情報および送信時刻情報に対して、これらの情報の正当性を保証するための署名情報を付与して上記送信用データを作成することを特徴とする請求項４〜７のいずれか１項に記載の携帯通信装置。
【請求項９】
上記送信用データ作成手段は、上記コンテンツ要求情報と、上記識別情報と、上記送信時刻情報とを、画像データに格納して上記送信用データを作成しており、
上記第２送信手段は、上記送信用データ作成手段により送信用データとして作成された画像データを上記再生装置に送信することを特徴とする請求項４〜８のいずれか１項に記載の携帯通信装置。
【請求項１０】
コンテンツを管理する管理サーバであって、
上記コンテンツの利用許可対象として携帯通信装置または所有者を識別する識別情報を記憶する識別情報記憶装置と、
上記コンテンツを再生する再生装置から、コンテンツの送信を要求するための情報であるコンテンツ要求情報とともに、上記識別情報、および上記携帯通信装置から上記再生装置に対してコンテンツ要求情報を送信した時点を示す送信時刻情報を受信した場合、その受信した時点での時刻情報である受信時刻情報を計測する第２計時部と、
受信した識別情報と、上記送信時刻情報と上記受信時刻情報との差分とに基づき、受信したコンテンツ要求情報の正当性を判断する判断手段と、
上記判断手段により受信したコンテンツ要求情報が正当であると判断された場合、再生装置に送信すべきコンテンツを決定する送信決定手段とを備え、
上記判断手段は、受信した識別情報が、識別情報記憶装置に記憶されていると確認するとともに、上記送信時刻情報と上記受信時刻情報との差分が所定の範囲内であると確認した場合、受信したコンテンツ要求情報が正当であると判断することを特徴とする管理サーバ。
【請求項１１】
上記コンテンツ要求情報を記憶するコンテンツ要求情報記憶装置をさらに備え、
上記判断手段は、受信した識別情報が、識別情報記憶装置に記憶されており、上記送信時刻情報と上記受信時刻情報との差分が所定の範囲内であり、かつ受信したコンテンツ要求情報がコンテンツ要求情報記憶装置に記憶されていると確認した場合、受信したコンテンツ要求情報が正当であると判断することを特徴とする請求項１０に記載の管理サーバ。
【請求項１２】
上記識別情報および上記送信時刻情報には、これらの情報の正当性を保証するための署名情報が付与されており、
上記署名情報は、上記識別情報および上記送信時刻情報から生成したハッシュ値を上記携帯通信装置が保持する秘密鍵により暗号化し生成したものであり、
上記判断手段は、受信した上記識別情報と上記送信時刻情報とから作成したハッシュ値と、上記署名情報を公開鍵で復号し、取得したハッシュ値とを比較し一致する場合に、受信した識別情報と、送信時刻情報と上記受信時刻情報との差分とに基づき、受信したコンテンツ要求情報の正当性を判断することを特徴とする請求項１０または１１に記載の管理サーバ。
【請求項１３】
請求項１〜３のいずれか１項に記載の再生装置と、請求項４〜９のいずれか１項に記載の携帯通信装置と、請求項１０〜１２のいずれか１項に記載の管理サーバとを備えることを特徴とするコンテンツ配信システム。
【発明の詳細な説明】
【技術分野】
【０００１】
本発明は、携帯通信装置から再生装置を介して管理サーバに行ったコンテンツの送信要求に応じて、この管理サーバからコンテンツの提供を受けるシステムに関するものである。
【背景技術】
【０００２】
近年、デジタルカメラ付き携帯電話機の普及に伴い、画像データを利用する機会が増えてきている。例えば、上記携帯電話機により画像データを取得し、この画像データを表示装置で表示したり、取得した画像データをプリンタで印刷したりするなど、画像データの活用範囲も広がっている。【０００３】
さらにまた、ＱＲコード（登録商標）等の２次元コードを利用したＵＲＬ（Uniform Resource Locator）の告知サービスなどが行われるようになってきている。すなわち、携帯電話機のカメラ機能によってＱＲコードの画像データを取得し、該画像データを解析することにより、ＱＲコードに埋め込まれたＵＲＬ等の情報を取得することができる。さらには、最近では、画像にＵＲＬなどのデータを埋め込み、該画像の画像データから埋め込まれた情報を取得することができる技術も開発されている。【０００４】
また、装置間における、無線通信による画像データの転送技術も普及している。例えば、無線通信により画像データを転送するためのプロトコルとしては、ＩｒＳｉｍｐｌｅ（登録商標）のような高速赤外線通信プロトコルや、Ｂｌｕｅｔｏｏｔｈ（登録商標）のような近距離用無線通信プロトコルなどが挙げられる。さらにはまた、例えば、ＩｒＤＡなど赤外線を利用した近距離のデータ通信などもある。このような通信プロトコルを利用して、携帯電話機により取得した画像データあるいは、ＵＲＬ等の情報を含む画像データを表示装置に容易に送信することができるようになっている。【０００５】
また、携帯電話機の普及に伴い、映像データや画像データ等のコンテンツを、該コンテンツを管理しているサーバから受信し利用する機会も増えてきた。このようなコンテンツを、該コンテンツの利用許可が認められたユーザの携帯電話機にのみ配信できるようにするために、サーバは、コンテンツ配信時に、携帯電話機のユーザに対して認証処理を行う。そして、サーバは、認証が許可されたユーザの携帯電話機にのみコンテンツを配信する。【０００６】
ところで、認証処理には上記ユーザの個人情報等、第３者に知られたくない情報を携帯電話機から上記サーバに送信する必要がある。しかしながら、携帯電話機からサーバにこれら個人情報等を送信するにあたり、情報の盗聴などの危険に曝されるおそれがある。そこで、送信する情報を暗号化することが考えられる。【０００７】
このような情報の暗号化、該暗号化された情報の復号に関する技術として特許文献１（特開２００２−３６６４４２号公報：２００２年１２月２０日公開）のデータ端末装置が開示されている。すなわち、特許文献１では、暗号化コンテンツデータと、暗号化コンテンツデータを復号するためのライセンス鍵を含むライセンスとをデータ記録装置から取得し、コンテンツデータを復号および再生するデータ端末装置が開示されている。【０００８】
さらにまたこのデータ端末装置では、コンテンツの再生機能を証明する機能証明書をデータ記録装置へ送信し、機能証明書によって証明される機能が、ライセンスに含まれる再生制御情報に対応する場合、データ記録装置から暗号化コンテンツデータおよびライセンスを受信する構成である。このため、ライセンス鍵を管理する側のデータ記録装置では、データ端末装置による、コンテテンツデータに対する再生制限の実施を確認することができる。【０００９】
しかしながら、上記従来の構成では、携帯通信装置から受信したコンテンツ要求情報により、再生装置が、該コンテンツを管理する管理サーバからコンテンツの提供を受ける場合に、管理サーバは、この再生装置がコンテンツの正規の提供先であるか否か確認することができないという問題が生じる。【００１０】
例えば、特定のＷＥＢサイト等から受信した画像データ等のコンテンツを表示させる場合、携帯通信装置ではその表示画面が小さいため、画面に表示された画像に対する視認性が悪くなる。そこで、この携帯通信装置よりも大きな表示画面を有する再生装置に上記ＷＥＢサイトの画像データを送信させ、該画像データを表示させるといったシステムが考えられる。【００１１】
ところで、特定のＷＥＢサイトから配信されるコンテンツは、上述のように、コンテンツの利用が認められたユーザが所持する装置に対してのみ提供される。そこで、ＷＥＢサイトの管理サーバと上記コンテンツの取得を所望する装置との間にて認証処理を行うためのデータのやり取りが発生する。ところが、テレビ等の再生装置では、管理サーバとの間で認証処理に係るデータのやり取りを行うことができないため、この再生装置が上記管理サーバから直接コンテンツを提供してもらうことができない。
【発明の開示】
【００１２】
本発明は、上記の問題点に鑑みてなされたものであり、その目的は、携帯通信装置から受信したコンテンツ要求情報により、該コンテンツを管理する管理サーバからコンテンツの提供を受け、該コンテンツを再生する場合に、この再生装置がコンテンツの正規の提供先であるか管理サーバに確認させることができる再生装置、携帯通信装置、管理サーバ、およびコンテンツ配信システムを実現することにある。
【００１３】
上記の目的を達成するために、本発明に係る再生装置は、コンテンツを管理する管理サーバからコンテンツを受信し、該コンテンツを再生する再生装置であって、上記管理サーバは、コンテンツの利用が許可された携帯通信装置または所有者に関する識別情報を保持し、この識別情報により特定された携帯通信装置または所有者からの求めに応じてコンテンツを提供しており、上記管理サーバに対してコンテンツの送信を要求するための情報であるコンテンツ要求情報とともに、携帯通信装置または所有者を特定する識別情報、およびこの携帯通信装置からコンテンツ要求情報を送信した時点を示す送信時刻情報を、該携帯通信装置から受信する第１受信手段と、上記第１受信手段により受信したコンテンツ要求情報に基づき管理サーバとの接続を確立し、上記コンテンツ要求情報とともに上記識別情報および送信時刻情報を該管理サーバに送信する第１送信手段とを備えることを特徴とする。
【００１４】
上記構成によると、上記第１受信手段および第１送信手段を備えるため、携帯通信装置から受信した、上記識別情報、上記送信時刻情報、および上記コンテンツ要求情報を、管理サーバに送信することができ、これにより、本発明に係る再生装置は、コンテンツを要求するためのコンテンツ要求情報の正当性を管理サーバに示すことができる。すなわち、再生装置は、上記識別情報によりこのコンテンツ要求情報の送信はコンテンツの利用が許可された携帯通信装置の所有者からであることを示すことができる。また、送信時刻情報により、携帯通信装置からコンテンツ要求情報が送信されたタイミングを管理サーバに知らせることができるため、携帯通信装置からコンテンツ要求情報が送信されてから管理サーバにて受信されるまでの送信経路において情報の盗聴等が行われたか否か示すことができる。つまり、携帯通信装置がコンテンツ要求情報を送信した時刻と、管理サーバがこのコンテンツ要求情報を受信した時刻との間で大きなタイムラグがある場合、盗聴が行われた可能性があると判断することができる。
【００１５】
したがって、本発明に係る再生装置は、携帯通信装置から受信したコンテンツ要求情報により、該コンテンツを管理する管理サーバからコンテンツの提供を受ける場合に、この再生装置がコンテンツの正規の提供先であるか否か管理サーバに確認させることができるという効果を奏する。
【００１６】
また、上記の目的を達成するために、本発明に係る携帯通信装置は、コンテンツを管理する管理サーバにおいて、このコンテンツの利用許可対象として当該携帯通信装置または所有者を識別する識別情報が登録されている携帯通信装置であって、上記管理サーバに対してコンテンツの送信を要求するための情報であるコンテンツ要求情報を取得する取得手段と、上記識別情報を記憶する識別情報記憶装置と、上記取得手段により取得したコンテンツ要求情報を、上記コンテンツを再生するための再生装置に送信する時点の時刻である送信時刻を計測する第１計時部と、上記取得手段により取得したコンテンツ要求情報と、上記識別情報記憶装置に記憶された識別情報と、上記第１計時部にて計測された送信時刻の情報である送信時刻情報とに基づき、上記再生装置に送信するための送信用データを作成する送信用データ作成手段と、上記送信用データ作成手段によって作成した送信用データを再生装置に送信する第２送信手段とを備えることを特徴とする。
【００１７】
上記した構成によると、取得手段を備えているため、コンテンツ要求情報を取得することができる。さらにまた、識別情報記憶装置、および第１計時部を備えているため上記識別情報および送信時刻情報を取得することができる。このため、上記送信用データ作成手段により、これら情報を含む送信用データを作成し、第２送信手段によりこの送信用データを再生装置に送信することができる。
【００１８】
それ故、再生装置では、上記コンテンツ要求情報のみならず、コンテンツの利用許可対象として登録されている携帯通信装置またはその所有者の識別情報、このコンテンツ要求情報が携帯通信装置から送信された送信時刻情報を取得することができる。
【００１９】
このため、再生装置は、コンテンツ要求情報により、管理サーバにコンテンツの提供を要求し、識別情報によりこの要求がコンテンツの利用許可対象として登録されている携帯通信装置またはその所有者からの求めに応じたものであることを管理サーバに示すことができる。さらには、送信時刻情報により、管理サーバに提示したこれら情報を不正に取得し、送信したものではないことを示すことができる。
【００２０】
したがって、本発明に係る携帯通信装置は、再生装置に送信したコンテンツ要求情報により、該再生装置がコンテンツを管理する管理サーバからコンテンツの提供を受けることができる正規の提供先であるか否か管理サーバに確認させることができるという効果を奏する。
【００２１】
上記の目的を達成するために、本発明に係る管理サーバは、コンテンツを管理する管理サーバであって、上記コンテンツの利用許可対象として携帯通信装置または所有者を識別する識別情報を記憶する識別情報記憶装置と、上記コンテンツを再生する再生装置から、コンテンツの送信を要求するための情報であるコンテンツ要求情報とともに、上記識別情報、および上記携帯通信装置から上記再生装置に対してコンテンツ要求情報を送信した時点を示す送信時刻情報を受信した場合、その受信した時点での時刻情報である受信時刻情報を計測する第２計時部と、受信した識別情報と、上記送信時刻情報と上記受信時刻情報との差分とに基づき、受信したコンテンツ要求情報の正当性を判断する判断手段と、上記判断手段により受信したコンテンツ要求情報が正当であると判断された場合、再生装置に送信すべきコンテンツを決定する送信決定手段とを備え、上記判断手段は、受信した識別情報が、識別情報記憶装置に記憶されていると確認するとともに、上記送信時刻情報と上記受信時刻情報との差分が所定の範囲内であると確認した場合、受信したコンテンツ要求情報が正当であると判断することを特徴とする。
【００２２】
上記構成によると、識別情報記憶装置を備えるため、判断手段が、受信した識別情報がコンテンツの利用許可対象として記憶された携帯通信装置または所有者の識別情報であるか否か確認することができる。すなわち、管理サーバは、コンテンツに利用が許可された携帯通信装置または所有者からのコンテンツ要求か否か確認することができる。
【００２３】
また、第２計時部を備えるため、判断手段が、受信した送信時刻情報と、第２計時部により計測した受信時刻情報とを比較し、携帯通信装置からコンテンツ要求情報を送信してから管理サーバにて該コンテンツ要求情報を受信するまでのタイムラグを確認することができる。このため、判断手段は、このタイムラグの大きさにより受信したコンテンツ要求情報が正規に送信経路で管理サーバに送信されたものであるのか、不正に第３者に取得され管理サーバに送信されたものであるのか判断することができる。
【００２４】
したがって、本発明に係る管理サーバは、再生装置から受信したコンテンツ要求情報に応じて、コンテンツを再生装置に提供する場合に、管理サーバはこの再生装置がコンテンツの正規の提供先であるか否か確認することができるという効果を奏する。
【００２５】
上記の目的を達成するために、本発明に係るコンテンツ配信システムは、コンテンツを管理する管理サーバからコンテンツを受信し、該コンテンツを再生する再生装置であって、上記管理サーバは、コンテンツの利用が許可された携帯通信装置または所有者に関する識別情報を保持し、この識別情報により特定された携帯通信装置または所有者からの求めに応じてコンテンツを提供しており、上記管理サーバに対してコンテンツの送信を要求するための情報であり、該管理サーバにより管理されているコンテンツの所在を示す所在情報を含むコンテンツ要求情報とともに、携帯通信装置または所有者を特定する識別情報、およびこの携帯通信装置からコンテンツ要求情報を送信した時点を示す送信時刻情報を、該携帯通信装置から受信する第１受信手段と、上記第１受信手段により受信したコンテンツ要求情報に基づき管理サーバとの接続を確立し、上記コンテンツ要求情報とともに上記識別情報および送信時刻情報を該管理サーバに送信する第１送信手段とを備える再生装置と、コンテンツを管理する管理サーバにおいて、このコンテンツの利用許可対象として当該携帯通信装置または所有者を識別する識別情報が登録されている携帯通信装置であって、上記管理サーバに対してコンテンツの送信を要求するための情報であるコンテンツ要求情報を取得する取得手段と、上記識別情報を記憶する識別情報記憶装置と、上記取得手段により取得したコンテンツ要求情報を、上記コンテンツを再生するための再生装置に送信する時点の時刻である送信時刻を計測する計時部と、上記取得手段により取得したコンテンツ要求情報と、上記識別情報記憶装置に記憶された識別情報と、上記計時部にて計測された送信時刻の情報である送信時刻情報とに基づき、上記再生装置に送信するための送信用データを作成する送信用データ作成手段と、上記送信用データ作成手段によって作成した送信用データを再生装置に送信する第２送信手段とを備える携帯通信装置と、コンテンツを管理する管理サーバであって、上記コンテンツの利用許可対象として携帯通信装置または所有者を識別する識別情報を記憶する識別情報記憶装置と、上記コンテンツを再生する再生装置から、コンテンツの送信を要求するための情報であるコンテンツ要求情報とともに、上記識別情報、および上記携帯通信装置から上記再生装置に対してコンテンツ要求情報を送信した時点を示す送信時刻情報を受信した場合、その受信した時点での時刻情報である受信時刻情報を計測する第２計時部と、受信した識別情報と、上記送信時刻情報と上記受信時刻情報との差分とに基づき、受信したコンテンツ要求情報の正当性を判断する判断手段と、上記判断手段により受信したコンテンツ要求情報が正当であると判断された場合、再生装置に送信すべきコンテンツを決定する送信決定手段とを備え、上記判断手段は、受信した識別情報が、識別情報記憶装置に記憶されていると確認するとともに、上記送信時刻情報と上記受信時刻情報との差分が所定の範囲内であると確認した場合、受信したコンテンツ要求情報が正当であると判断する管理サーバとを備えることを特徴とする。
【００２６】
したがって、本発明に係るコンテンツ配信システムは、携帯通信装置から受信したコンテンツ要求情報を再生装置が管理サーバに送信した場合に、管理サーバがこのコンテンツ要求情報の正当性を判断して、再生装置がコンテンツの正規の提供先であるか否か確認することができるという効果を奏する。
【００２７】
本発明のさらに他の目的、特徴、および優れた点は、以下に示す記載によって十分に理解されるであろう。また、本発明の利益は、添付図面を参照した次の説明で明白になるであろう。
【図面の簡単な説明】
【００２８】
【図１】本発明の実施形態を示すものであり、情報配信システムの概略構成を示す図である。
【図２】本実施の形態に係る携帯通信装置の外観形状の一例を示す斜視図である。
【図３】本実施の形態に係る携帯通信装置の外観形状の一例を示す斜視図である。
【図４】本実施の形態に係る送信用データのデータ構造を概略的に示した図である。
【図５】本発明の実施形態を示すものであり、携帯通信装置の要部構成を示すブロック図である。
【図６】本発明の実施形態を示すものであり、携帯通信装置のソフトウェア構成を説明するブロック図である。
【図７】携帯通信装置からサービス提供サーバに至るまでの正規の送信経路と、該情報が盗聴された不正な送信経路との対比例を示す図である。
【図８】本発明の実施形態を示すものであり、再生装置のハードウェア構成を示すブロック図である。
【図９】本発明の実施形態を示すものであり、再生装置のソフトウェア構成を示すブロック図である。
【図１０】本発明の実施形態を示すものであり、サービス提供サーバの要部構成を示すブロック図である。
【図１１】本発明の実施形態を示すものであり、招待状情報リストの一例を示す図である。
【図１２】本発明の実施形態を示すものであり、利用者リストの一例を示す図である。
【図１３】本発明に係る実施形態を示すものであり、情報配信システムにおける、サービス提供処理の事前処理に関する情報の流れを説明する図である。
【図１４】本発明に係る実施形態を示すものであり、情報配信システムにおけるサービス提供処理の処理フローを示すフローチャートである。
【図１５】本発明の実施形態を示すものであり、サービス提供サーバにおける、検証処理に関する処理フローを示すフローチャートである。
【図１６】本発明に係る実施形態における実施例１を示すものであり、情報配信システムの概略構成を説明する図である。
【図１７】本発明に係る実施形態における実施例２を示すものであり、情報配信システムの概略構成を説明する図である。
【図１８】本発明に係る実施形態における実施例３を示すものであり、情報配信システムの概略構成を説明する図である。
【図１９】本発明の実施形態における実施例３を示すものであり、携帯通信装置におけるクーポン（招待状情報）の取得処理の一例を説明する処理フロー図である。
【図２０】本発明の実施形態における実施例３を示すものであり、携帯通信装置におけるクーポン（招待状情報）の取得処理の一例を説明する処理フロー図である。
【図２１】本発明の実施形態における実施例３を示すものであり、携帯通信装置におけるクーポン（招待状情報）の取得処理の一例を説明する処理フロー図である。
【発明を実施するための最良の形態】
【００２９】
本発明の一実施形態について図１ないし図２１に基づいて説明すると以下の通りである。すなわち、本実施の形態に係る情報配信システム１００は、図１に示すように、携帯通信装置１、再生装置２、およびサービス提供サーバ（管理サーバ）３を備えてなる構成である。図１は、本発明の実施形態を示すものであり、情報配信システム１００の概略構成を示す図である。【００３０】
携帯通信装置１は、基地局を介して、他の携帯通信装置と通信を確立したり、通信ネットワークに接続し特定のＷＥＢサイト（コンテンツ）５４にアクセスしたりすることができるものである。この携帯通信装置１は、例えば、携帯電話機、ＰＤＡ（Personal Digital(Data) Assistants）等によって実現できる。【００３１】
上記携帯通信装置１の外観形状は、図２に示すように、基地局と通信を確立するためのアンテナ２１、通話時に音声を出力するスピーカ２２、通話時に音声が入力されるマイク２３、各種情報が表示される表示部２４、および各種情報を入力する操作部２５を備えている。また、携帯通信装置１の筐体において、表示部２４が備えられている面とは反対側の面には、図３に示すように撮像部（画像取得部）２６、および赤外線通信部２７をさらに備えている。なお、図２および図３は、本実施の形態に係る携帯通信装置１の外観形状の一例を示す斜視図である。【００３２】
また、この携帯通信装置１は、後述するが、特定のＷＥＢサイト５４へのＵＲＬ（所在情報）および該ＷＥＢサイト５４により提供されるサービスを識別するサービスＩＤとを含む招待状情報（コンテンツ要求情報）５１をサービス提供サーバ３から取得し、該招待状情報５１を画像データに埋め込み、赤外線通信部２７により送信用データ１０１として再生装置２に送信することができるものでもある。この送信用データ１０１は、後述するがＪＰＥＧ形式やＴＩＦＦ形式などの一般的なフォーマットを有する通常の画像データであるが、再生装置２が実行するべき処理や、アクセスすべきＵＲＬ等を指定した処理指定情報を内包している。そして、再生装置２は、携帯通信装置１からこの送信用データ１０１を受信すると、この送信用データ１０１に格納されている処理指定情報により指定された処理を、該データを受信した時点で直ちに実行するように構成されている。【００３３】
また、上記赤外線通信部２７は、上記招待状情報５１を含む画像データの再生装置２への送信は、ＩｒＳＳ（登録商標）により実行する。なお、このＩｒＳＳは、ＩｒＳｉｍｐｌｅ（登録商標）１．０準拠の片方向通信を行うための高速赤外線通信プロトコルである。このため、携帯通信装置１は、この送信用データ１０１を再生装置２に対して高速で送信することができる。【００３４】
ところで、携帯通信装置１における上記招待状情報５１の取得方法としては、例えば、下記の方法が挙げられる。すなわち、特定のＷＥＢサイト５４へのアクセスを管理しているサービス提供サーバ３に対して、招待状情報５１の送信を要求し取得する方法、携帯通信装置１により現在閲覧しているＷＥＢサイト５４のＵＲＬを招待状情報５１とし取得する方法、携帯通信装置１が備える撮像部２６により、ＱＲコード（登録商標）等の２次元コードの画像を撮影し、該２次元コードから招待状情報５１を取得する方法、特定の場所において招待状情報５１を発信しているリーダ／ライタから、この招待状情報５１を取得する方法等である。【００３５】
なお、これ以降では、まず携帯通信装置１は、サービス提供サーバ３に対して、招待状情報５１の送信を要求し、該招待状情報５１を取得するものとして説明し、その他の取得方法については後段において実施例１〜３として説明する。【００３６】
上記再生装置２は、携帯通信装置１から受信した招待状情報５１に含まれるＵＲＬによって指定されるＷＥＢサイト５４へのアクセスを、該サイトを管理するサービス提供サーバ３に要求するものである。また、再生装置２は、このＷＥＢサイト５４へのアクセス要求が許可された場合、ＷＥＢサイト５４から提供される情報を取得し再生するものでもある。再生装置２は、例えば、デジタル画像データを表示可能とするとともに、サービス提供サーバ３と通信可能な表示装置によって実現できる。【００３７】
サービス提供サーバ３は、自身が管理するＷＥＢサイト５４に、正規ユーザが所持する端末からのアクセス要求があった場合に、該端末からのＷＥＢサイト５４へのアクセスを許可するサーバである。すなわち、本実施の形態に係る情報配信システム１００において、サービス提供サーバ３から提供されるサービスとは、特定のユーザに対してのみ特定のＷＥＢサイト５４の情報を取得できるようにすることである。しかしながら、サービス提供サーバ３により提供されるサービスはこれに限定されるものではなく、サービス提供サーバ３が映像データまたは音楽データ等のコンテンツデータを保持しており、該コンテンツデータを提供するものであってもよい。なお、サービス提供サーバ３による、ＷＥＢサイト５４へのアクセスの可否についての検証処理の詳細は後述する。【００３８】
（送信用データ）
まず、上述した携帯通信装置１から再生装置２に送信される送信用データ１０１のデータ構造について、図４に基づいて説明する。図４は、送信用データ１０１のデータ構造を概略的に示した図である。図４に示したように、送信用データ１０１は、概略的に言えば、画像領域５１０と、ＥＸＩＦ領域５２０とを含んで構成された、ＪＰＥＧ形式の画像データである。【００３９】
画像領域５１０は、表示すべき画像情報を圧縮して格納するための領域である。一方、ＥＸＩＦ情報５２０は、画像領域５１０に格納された画像情報に関するメタ情報を格納するための領域である。このＥＸＩＦ領域５２０には、デジタルカメラなどの製造メーカが仕様を自由に定めて利用することができる、メーカノート領域５２１が含まれている。また、ＥＸＩＦ領域５２０には、画像領域５１０に格納されている主画像を縮小してなるサムネイル画像を格納するためのサムネイル画像領域５２２が含まれている。【００４０】
なお、画像領域５１０やサムネイル画像領域５２２には、メーカノート領域５２１に格納されている情報の内容を象徴した、いわゆるアイコン画像も格納されていてもよい。携帯通信装置１において、送信用データ１０１の内容を表示させる場合、このアイコンにより該送信用データ１０１に格納されている処理が何であるかということをユーザに提示することが可能になる。【００４１】
（携帯通信装置のハードウェア構成）
ここで、図５を参照して上記した携帯通信装置１のハードウェア構成について説明をする。図５は、本発明の実施形態を示すものであり、携帯通信装置１の要部構成を示すブロック図である。【００４２】
図５に示すように携帯通信装置１は、アンテナ２１、スピーカ２２、マイク２３、表示部２４、操作部２５、撮像部２６、および赤外線通信部２７に加えて、無線部２８、通信制御部２９、信号処理部３０、画像処理部３１、第１メモリ３２、表示ドライバ３３、第２メモリ３４、主制御部３５、計時部（第１計時部）３６、ＩＣカード接続部３７、非接触ＩＣ接続部３９を備えてなる構成である。また、本実施の形態に係る携帯通信装置１では、このＩＣカード接続部３７を介して、ＩＣカード（識別情報記憶装置）３８と接続され、非接触ＩＣ接続部３９を介して、非接触ＩＣ４５と接続する構成である。【００４３】
上記ＩＣカード３８は、当該携帯通信装置１において利用される電話番号を特定する固有ＩＤが記録されたものであり、いわゆる、ＳＩＭカード（シムカード、Subscriber Identity Module Card）である。主制御部３５からの制御指示の下、ＩＣカード接続部３７を介してこのＩＣカード３８から上記固有ＩＤを取得し、該固有ＩＤを携帯通信装置１の識別情報４０として取得する。【００４４】
上記非接触ＩＣ４５は、例えば、後述するリーダ／ライタから電波を受信すると、該電波により起動し、非接触ＩＣ接続部３９を介して受信した電波に基づく情報を主制御部３５に送信するものである。このように、本実施の形態に係る携帯通信装置１は、非接触ＩＣ４５と接続されているため、上記リーダ／ライタの近傍に当該携帯通信装置１を配置するだけで、該リーダ／ライタから送信される情報を取得することができる。このため、上記リーダ／ライタが携帯通信装置１に対する商品購入の決済を行うためのものとして店内に備えられている場合、携帯通信装置１はこのリーダ／ライタとの間で各種情報のやり取りを行い、商品購入に係る決済処理を行う決済機能を有する。【００４５】
上記第１メモリ３２は、バッファ的な役割を果たすものであり、第２メモリ３４は、フラッシュメモリのように恒久的にデータを蓄積する役割を果たすものである。なお、携帯通信装置１の記憶装置である第１メモリ３２および第２メモリ３４は、携帯通信装置１の仕様に応じて構成を適宜変更可能であり、例えば、一体として設けてもよい。第２メモリ３４は、携帯通信装置１が取得した招待状情報５１・・・および当該携帯通信装置１の正規ユーザであることを証明するユーザ証明書５２を記憶している。なお、この招待状情報５１は後述する招待状情報５１の申請処理によりサービス提供サーバ３から取得できるようになっており、上記ユーザ証明書５２は、後述する証明書発行処理により証明書発行サーバから取得できるようになっている。【００４６】
そして、このように構成された携帯通信装置１は、以下のようにして、通話機能、カメラ機能、およびコード読み取り機能などを実行することができる。【００４７】
まず、携帯通信装置１では、通信制御部２９による送受信制御のもとに、無線部２８がアンテナ２１を介して基地局（不図示）との信号の送受信を行い、信号処理部３０が無線部２８で送受信される信号に所定の信号処理を施す。これによって、携帯通信装置１では、基地局を介して相手側装置から送信されてくる音声をスピーカ２２から出力したり、マイク２３から入力される音声を、基地局を介して相手側装置に送信したりする、いわゆる通話機能が実現されている。【００４８】
また、携帯通信装置１は、ＣＣＤ（charge coupled device）やＣＭＯＳによって構成された撮像部２６を備えており、カメラ起動指示を操作部２５が受け付けると、該指示に応じて、画像処理部３１が撮像部２６を起動させ画像を撮影させる。このように画像を撮影すると、画像処理部３１によって露出，画質などを調整した後、撮影結果を第１メモリ３２に格納し、表示部２４に画像をプレビュー表示するようになっている。そして、このプレビュー表示の状態で操作部２５により該画像の保存指示を受け付けるとこの画像を第２メモリ３４に格納するようになっている。すなわち、このような動作によって、携帯通信装置１ではいわゆるカメラ機能が実現されている。【００４９】
また、携帯通信装置１は、上述したカメラ起動指示ではなく、ＱＲコード等のコード読み取り指示を操作部２５が受け付けた場合も、上記と同様に撮像部２６を起動させ、表示部２４に画像をプレビュー表示する。そして、コードの読み取り開始指示を、操作部２５を介して受け付けると、撮像部２６により取得したコードの画像データを主制御部１９が解析し、その解析結果を第１メモリ３２に一時格納する。このようにして撮影したコードの画像解析結果が第１メモリ３２に格納されると、主制御部３５からの指示に応じて表示ドライバ３３がこの解析結果を読み出し表示部２４に表示させる。【００５０】
このように、本実施の形態に係る携帯通信装置１は、表示部２４において、ＱＲコード等の２次元コードして記録された情報を表示させることができる。すなわち上記した処理によって、本実施の形態に係る携帯通信装置１は、いわゆるコード読み取り機能を実現することができる。【００５１】
また、携帯通信装置１は、計時部３６を備えており、これにより各種動作が実行された時間を取得することができる。【００５２】
なお、上記した携帯通信装置１が備える各部は、主制御部３５からの制御指示により各種処理を実行するように構成されている。【００５３】
（携帯通信装置のソフトウェア構成）
上記した携帯通信装置１の招待状情報５１の転送処理に関するソフトウェア構成について図６を参照して説明する。図６は、本発明の実施形態を示すものであり、携帯通信装置１のソフトウェア構成を説明するブロック図である。図６に示すように携帯通信装置１は、機能ブロックとして、招待状情報取得部（取得手段）４１、招待状情報選択部４２、送信用データ作成部（送信用データ作成手段）４３、および招待状情報送信部４４を備えてなる構成である。なお、これら機能ブロックは、主制御部３５が例えばＣＰＵ等によって実現される場合、このＣＰＵが第２メモリ３４に記憶されたプログラムを第１メモリ３２に読み出し、実行することにより実現される。【００５４】
上記招待状情報取得部４１は、画像処理部３１、非接触ＩＣ接続部３９、または通信制御部２９を介して招待状情報５１を取得するものである。例えば、携帯通信装置１により所定のサービス提供サーバ３から招待状情報５１を取得する場合は、アンテナ２１、無線部２８、および通信制御部２９を介して招待状情報５１を取得する。一方、ＱＲコード等、印刷された２次元コードから招待状情報５１を取得する場合は、撮像部２６および画像処理部３１を介して招待状情報５１を取得する。さらには、店舗先にて招待状情報５１の発行を受ける場合は、該招待状情報５１を発行するリーダ／ライタから、非接触ＩＣ（情報取得部）４５が招待状情報５１を受信する。そして、非接触ＩＣ４５から非接触ＩＣ接続部３９を介して主制御部３５が招待状情報５１を受信する。なお、招待状情報取得部４１と画像処理部３１、招待状情報取得部４１と非接触ＩＣ接続部３９、あるいは招待状情報取得部４１と通信制御部２９により本発明の取得手段を実現する。【００５５】
招待状情報選択部４２は、第２メモリ３４から再生装置２に送信すべき招待状情報５１を選択するものである。すなわち、招待状情報選択部４２は、操作部２５から招待状情報５１の再生装置２への送信指示を受け付けると、第２メモリ３４から、ユーザが送信を所望する招待状情報５１を選択し読み出す。そして、読み出した招待状情報５１を送信用データ作成部４３に送信する。【００５６】
送信用データ作成部４３は、招待状情報選択部４２から受信した招待状情報５１を含めて、赤外線通信部２７を介して再生装置２に送信する送信用データ１０１を作成するものである。すなわち、招待状情報送信部４４は、招待状情報選択部４２から送信すべき招待状情報５１を受信すると、該招待状情報５１と、ＩＣカード接続部３７を介してＩＣカード３８から取得した識別情報４０と、計時部３６から取得した送信指示時刻（送信時刻情報）５０とを含む送信用データ１０１を作成する。【００５７】
ここで、上記送信用データ１０１に上記送信指示時刻５０を含めるのは以下に示すような識別情報４０等の盗聴、あるいは、なりすまし等を防止するためである。すなわち、本実施の形態に係る情報配信システム１００では、携帯通信装置１が取得した招待状情報５１とともに識別情報４０等を再生装置２に送信し、この再生装置２がこの識別情報４０等をサービス提供サーバ３との間で確立した送信経路によって情報を伝達させる。【００５８】
ここで、図７に示すように招待状情報５１および携帯通信装置１の識別情報４０等が、携帯通信装置１および再生装置２間、再生装置２およびサービス提供サーバ３間で盗聴される可能性がある。さらには、盗んだ情報を使って、他の携帯通信装置３０１が他の再生装置３０２を経由してサービス提供サーバ３にＷＥＢサイト５４情報を要求する可能性もある。図７は、携帯通信装置１からサービス提供サーバ３に至るまでの正規の送信経路と、該情報が盗聴された不正な送信経路との対比例を示す図である。【００５９】
そこで、本実施の形態に係る携帯通信装置１は、招待状情報５１や識別情報４０を再生装置２に送信するにあたり、この送信の指示を行った時の時刻を含めて送信する。このため、最終的には、サービス提供サーバ３は、携帯通信装置１から識別情報４０等が送信されてから当該サービス提供サーバ３に到達するまでどのくらいの時間を経過したか把握することができる。【００６０】
そして、この経過時間が大きい、つまり携帯通信装置１による、識別情報４０等の送信指示時刻５０と、サービス提供サーバ３における上記識別情報４０等の受信時時刻との差が閾値よりも大きい場合、この識別情報４０等の情報が通信経路途中で他の携帯通信装置３０１により盗まれたものであると判断することができる。【００６１】
さらにまた、本実施の形態に係る携帯通信装置１は、識別情報４０等の送信データに対する安全性を向上させるために、これら送信データに電子署名（署名情報）を付すように構成されている。【００６２】
具体的には、発行されたユーザ証明書５２には秘密鍵が含まれており、該秘密鍵により赤外線通信部２７から再生装置２に送信する情報の暗号化を行う。つまり、携帯通信装置１は、再生装置２に画像データに含めて送信する情報（識別情報４０、送信指示時刻５０等）からハッシュ値を生成する。そして、生成したハッシュ値を元にして、秘密鍵により暗号化を行い、電子署名を作成する。そして、再生装置２に送信する情報とともにこの電子署名を送信し、送信した情報の正当性を示す。【００６３】
（再生装置のハードウェア構成）
次に、再生装置２のハードウェア構成について図８を参照して説明する。図８は、本発明の実施形態を示すものであり、再生装置のハードウェア構成を示すブロック図である。【００６４】
本実施の形態に係る再生装置２は、図８に示すように、再生装置赤外線通信部（第１受信手段）６０、通信インターフェース６１、再生装置通信制御部（第１送信手段）６２、再生装置表示制御部６３、再生装置表示部６４、再生装置第１メモリ６５、および再生装置第２メモリ６６、再生装置主制御部６７を備えてなる構成である。【００６５】
上記再生装置赤外線通信部６０は、再生装置主制御部６７からの制御指示に応じて、ＩｒＳＳにより送信された画像データ（送信用データ１０１）を受信し、該再生装置２において利用可能な形式にデータを変換させるものである。例えば、ＩｒＳＳで送信された送信用データ１０１を再生装置２において表示させる場合、受信した送信用データ１０１を再生装置表示部６４において表示可能とするデータ形式に変換する。【００６６】
通信インターフェース６１は、他の装置と通信ネットワークを通じて接続できるようにインターフェースを提供するものである。より具体的には、本実施の形態に係る再生装置２では、再生装置通信制御部６２からの制御指示に応じて、通信インターフェース６１が通信ネットワークを通じてサービス提供サーバ３との接続を確立させることができる。【００６７】
再生装置表示制御部６３は、再生装置主制御部６７からの指示に応じて、再生装置表示部６４に画像等を表示させるものである。なお、再生装置表示部６４の表示画面は、携帯通信装置１が備える表示部２４の表示画面よりもその縦横サイズが大きいものとする。【００６８】
再生装置第１メモリ６５は、バッファ的な役割を果たすものであり、再生装置第２メモリ６６は、フラッシュメモリのように恒久的にデータを蓄積する役割を果たすものである。なお、再生装置２の記憶装置である再生装置第１メモリ６５および再生装置第２メモリ６６は、再生装置２の仕様に応じて構成を適宜変更可能であり、例えば、一体として設けてもよい。【００６９】
（再生装置のソフトウェア構成）
次に、図９を参照して上記したハードウェア構成を有する再生装置２のソフトウェア構成について説明する。図９は、本発明の実施形態を示すものであり、再生装置２のソフトウェア構成を示すブロック図である。【００７０】
図９に示すように、再生装置２における再生装置主制御部６７は、機能ブロックとして、データ受信部（第１受信手段）７０、データ解析部（確認手段）７１、接続先決定部（第１送信手段）７２、および表示データ受信部７３を備えてなる構成である。【００７１】
データ受信部７０は、再生装置赤外線通信部６０を介して受信した送信用データ１０１を受け付けるものである。より具体的には、携帯通信装置１から画像データの形式で送信用データ１０１が送信されると、再生装置赤外線通信部６０が該送信用データ１０１を受信し、再生装置２において処理できる形式に変換する。この変換された送信用データ１０１をデータ受信部７０が受信する。そして、データ解析部７１に対して受信した送信用データ１０１に含まれる情報について確認するように指示する。なお、このデータ受信部７０と再生装置赤外線通信部６０とによって本発明の第１受信手段を実現する。【００７２】
データ解析部７１は、データ受信部７０からの指示に応じて、送信用データ１０１に含まれる情報を確認するものである。より具体的には、送信用データ１０１のＥＸＩＦ領域５２０におけるメーカノート領域５２１に、電子署名が付加された識別情報４０および送信指示時刻５０が記録されている。さらには、招待状情報５１に含まれるＵＲＬの情報が記録されている。そこで、データ解析部７１は、これらの情報がメーカノート領域５２１に記録されているか確認し、上記ＵＲＬによって特定されるＷＥＢサイト５４への接続を要求するように接続先決定部７２に指示する。また、このときデータ解析部７１は、確認した、電子署名が付与された識別情報４０および送信指示時刻５０と、招待状情報５１とを接続先決定部７２に渡す。そして、データ解析部７１は、接続先決定部７２に対して、ＷＥＢサイト５４へのアクセス要求とともに、これらの情報をサービス提供サーバ３に送信するように指示する。【００７３】
接続先決定部７２は、データ解析部７１から受信した招待状情報５１に含まれるＵＲＬからアクセス先のＷＥＢサイト５４を決定するとともに、該データ解析部７１から受信した識別情報４０、送信指示時刻５０、および招待状情報５１を、アクセス先となるＷＥＢサイト５４を管理しているサービス提供サーバ３に送信するように再生装置通信制御部６２を制御するものである。なお、この接続先決定部７２と再生装置通信制御部６２とによって本発明の第１送信手段を実現する。【００７４】
表示データ受信部７３は、再生装置通信制御部６２を介してアクセス先のＷＥＢサイト５４のデータを受信すると、このデータを再生装置表示制御部６３に送信し、データの表示を指示するものである。【００７５】
（サービス提供サーバの構成）
次に図１０、１１、および１２を参照してサービス提供サーバ３の構成について説明する。図１０は、本発明の実施形態を示すものであり、サービス提供サーバ３の要部構成を示すブロック図である。サービス提供サーバ３は、通信ネットワークを通じて、他の装置との通信のインターフェースを提供するサーバ通信インターフェース８０、該サーバ通信インターフェース８０を制御し、他の装置との通信を確立するサーバ通信制御部８１、読み書き可能な記憶媒体であるサーバ記憶装置（識別情報記憶装置・コンテンツ要求情報記憶装置）８２、サービス提供サーバ３が備える各部の各種制御を行うサーバ主制御部８３、サービス提供サーバ３における所望のタイミングでの時刻を計測するサーバ計時部（第２計時部）８４を備えてなる構成である。【００７６】
上記サーバ記憶装置８２には、ＷＥＢサイト５４のＵＲＬおよびサービスＩＤを示す招待状情報リスト５５、正規ユーザからの、招待状情報５１に基づくアクセスの場合に提供するＷＥＢサイト５４、招待状情報５１の発行の申請を行った際に携帯通信装置１のユーザが登録した個人情報である利用者リスト（識別情報）５３が記憶されている。【００７７】
上記招待状情報リスト５５は、招待状情報５１を管理するリストであり、図１１に示すように、招待状情報５１として、ＷＥＢサイト５４によるサービスの内容を識別するサービスＩＤと、該ＷＥＢサイト５４のＵＲＬとが対応づけられて記録されている。【００７８】
上記利用者リスト５３は、招待状情報５１の利用申請を行ったユーザの情報を管理するリストであり、図１２に示すように、利用申請を受けた携帯通信装置１ごとに、該携帯通信装置１の識別情報、メールアドレス、所有者名、所有者住所、電話番号を記録している。さらにこれらの情報に、招待状情報５１の送付履歴を示す情報を対応づけて記録している。なお、招待状情報５１の送付履歴を示す情報とは、例えば、招待状情報５１により提供するサービスを識別するサービスＩＤと、招待状情報５１の送信日時との対応関係を示す情報である。図１１は、本発明の実施形態を示すものであり、招待状情報リスト５５の一例を示す図である。図１２は、本発明の実施形態を示すものであり、利用者リスト５３の一例を示す図である。【００７９】
また、サーバ主制御部８３は、機能ブロックとして登録処理部９１、発行処理部９２、認証処理部（判断手段）９３、およびＷＥＢ処理部（送信決定手段）９４を備えてなる構成である。これら機能ブロックは、例えば、サーバ主制御部８３がＣＰＵによって実現される場合、該ＣＰＵが不図示のＲＯＭから不図示のＲＡＭにプログラムを読み出し実行することにより実現される。【００８０】
登録処理部９１は、携帯通信装置１から受け付けた招待状情報５１の利用申請に応じて、利用者リスト５３を作成するものである。登録処理部９１は、利用者リスト５３を作成すると、発行処理部９２に、招待状情報５１の発行を指示する。【００８１】
発行処理部９２は、登録処理部９１からの指示に応じて、招待状情報５１を携帯通信装置１に送信するものである。発行処理部９２は、招待状情報５１を招待状情報リスト５５から選択し、サーバ通信制御部８１に渡すとともに、招待状情報５１を携帯通信装置１に送信するように指示する。また、発行処理部９２は、招待状情報リスト５５から選択した招待状情報５１のサービスＩＤ、および招待状情報５１を発行した日時を招待状送付履歴として利用者リスト５３を記録する。【００８２】
認証処理部９３は、ＷＥＢサイト５４へのアクセスを要求する再生装置２から受信した、電子署名が付与された識別情報４０および送信指示時刻５０と、招待状情報５１と、これら情報を受信した受信時刻とに基づき、再生装置２のアクセス要求が、ＷＥＢサイト５４の情報の利用が許可されたユーザからの要求に基づくものであるか検証するものである。検証の結果、利用が許可されたユーザからの要求に基づくものであると判定すると、ＷＥＢ処理部９４に対して、ＷＥＢサイト５４の情報をサーバ記憶装置８２から読み出し、サーバ通信制御部８１を制御して上記再生装置２に送信するように指示する。【００８３】
ＷＥＢ処理部９４は、認証処理部９３からの指示に応じて、再生装置２にＷＥＢサイト５４を提供するものである。具体的には、認証処理部９３からの指示に応じて、ＷＥＢ処理部９４は、サーバ記憶装置８２からＷＥＢサイト５４を読み出し、サーバ通信制御部８１を制御して再生装置２にＷＥＢサイト５４の情報を送信する。【００８４】
（サービス提供処理の事前処理）
本実施の形態に係る情報配信システム（コンテンツ配信システム）１００は、携帯通信装置１から受信した、招待状情報５１が埋め込まれた画像データに基づき、再生装置２が該招待状情報５１により特定されるＷＥＢサイト５４にアクセスし、サービスの提供を受ける、サービス提供処理を実行するものである。【００８５】
このサービス提供処理を実行するにあたり、その事前処理として、携帯通信装置１は、図１３に示すように下記の処理を実行する。図１３は、本発明に係る実施形態を示すものであり、情報配信システム１００における、サービス提供処理の事前処理に関する情報の流れを説明する図である。【００８６】
まず、携帯通信装置１は、証明書の発行を証明書発行サーバ４に申請する証明書発行処理を実行する。そして、携帯通信装置１は、サービス提供サーバ３により提供されるサービスの利用申請を行う利用申請処理を実行し、サービスの提供を受けるために必要となる招待状情報５１の利用申請を行う利用申請処理を実行する。【００８７】
すなわち、上記証明書発行処理では、上記携帯通信装置１は、証明書発行サーバ４と通信を確立する。そして、携帯通信装置１は、この証明書発行サーバ４に対して証明書の発行を申請し、該証明書発行サーバ４から証明書の発行を受ける。なお、この発行された証明書には携帯通信装置１にて電子署名を作成する際に利用する秘密鍵が含まれている。【００８８】
次に、上記利用申請処理では、携帯通信装置１は、操作部２５により受け付けたユーザからの利用申請指示に応じて、招待状情報取得部４１が通信制御部２９に指示してサービス提供サーバ３との通信を確立させる。そして、サービス提供サーバ３に対して、招待状情報取得部４１は、該サービス提供サーバ３により提供されるサービスの利用許可を求める利用申請を要求する情報を送信する。この要求時に携帯通信装置１では、招待状情報取得部４１が発行を受けた上記証明書を合わせて送信するように構成されている。【００８９】
さらには、サービス提供サーバ３に対して携帯通信装置１のユーザ登録も行うように構成されている。具体的には、このユーザ登録において携帯通信装置１では、招待状情報取得部４１が以下の情報をサービス提供サーバ３に送信する。【００９０】
すなわち、携帯通信装置１では、招待状情報取得部４１がＩＣカード３８から取得した識別情報４０、携帯通信装置１に割り当てら得ているメールアドレスをサービス提供サーバ３に送信する。さらに、携帯通信装置１の所有者名（契約者名）、該所有者の住所、電話番号等の個人情報も合わせて送信してもよい。これらの個人情報は、例えば、サービス提供サーバ３から入力フォーマットを受信し、該入力フォーマットに操作部２５を操作して記録することでサービス提供サーバ３に通知することができる。【００９１】
このように、携帯通信装置１により利用申請処理が実行されると、サービス提供サーバ３は、サービスの利用を所望する携帯通信装置１から受信した上記識別情報４０等を利用者リスト５３として記憶する。具体的には、上述したように、利用者リスト５３は、利用申請を受けた携帯通信装置１ごとに、該携帯通信装置１の識別情報４０、メールアドレス、所有者名、所有者住所、電話番号を記録している。さらにこれらの情報に、招待状情報５１の送付履歴を示す情報を対応づけて記録している。なお、招待状情報５１の送付履歴を示す情報とは、例えば、招待状情報５１により提供するサービスを識別するサービスＩＤと、招待状情報５１の送信日時との対応関係を示す情報である。【００９２】
上記のようにサービス提供サーバ３は、利用者リスト５３を保持しているため、サービスの提供を受けるためにアクセスが要求された場合、この要求とともに送信されたユーザの識別情報４０に基づき、すでに利用申請されたユーザからのアクセス要求か否か確認することができる。【００９３】
また、招待状情報５１の送付履歴も対応づけて記録しているため、サービス提供サーバ３は、どの携帯通信装置１のユーザにどのような招待状情報５１をいつ送信したのか、把握することができる。このため、サービス提供サーバ３は、携帯通信装置１に対して重複して同じ招待状情報５１を送信することを防止したり、携帯通信装置１の利用者の嗜好に応じたサービスを提供するＷＥＢサイト５４のＵＲＬを選択して送信したりすることができる。【００９４】
次に、携帯通信装置１がサービス提供サーバ３に対して招待状情報５１の送信要求を行う招待状申請処理を実行する。すなわち、携帯通信装置１は、サービス提供サーバ３との通信を確立させ、ユーザ証明書とともに、招待状情報５１の送信を要求する指示情報（招待状情報送信要求）を送信する。この携帯通信装置１から受け付けた上記招待状情報送信要求に応じて、サービス提供サーバ３は、該招待状情報送信要求の送信先である携帯通信装置１のユーザが利用者リスト情報に登録されているか否か確認する。ここで、上記ユーザが登録されていると判定した場合、サービス提供サーバ３は招待状情報５１の発行を許可し、携帯通信装置１に招待状情報５１を送信する。携帯通信装置１は、サービス提供サーバ３から招待状情報５１が送信されると、該招待状情報５１を第２メモリ３４に記憶する。なお、サービス提供サーバ３は、この招待状情報５１を、画像データに特定のＷＥＢサイト５４のＵＲＬが組み込まれた形として携帯通信装置１に送信する。【００９５】
以上が、本実施の形態に係る情報配信システム１００におけるサービス提供処理の事前処理である。このように事前処理がなされていることを前提に、以下において本実施の形態に係る情報配信システム１００におけるサービス提供処理を、図１４を参照して説明する。図１４は、本発明に係る実施形態を示すものであり、情報配信システム１００におけるサービス提供処理の処理フローを示すフローチャートである。【００９６】
（サービス提供処理）
まず、携帯通信装置１において、再生装置２に送信する招待状情報５１の送信用データ１０１を作成する（ステップＳ１１、これ以降Ｓ１１と称する）。すなわち、携帯通信装置１は、サービス提供サーバ３から招待状情報５１を受信すると、携帯通信装置１のユーザから、該招待状情報５１を再生装置２に送信する旨を示す指示情報を操作部２５が受け付ける。そして、操作部２５は、受け付けた指示情報を招待状情報選択部４２に送信する。【００９７】
招待状情報選択部４２は、上記指示情報を受信すると、第２メモリ３４から招待状情報５１を読み出し、送信用データ作成部４３に渡す。なお、第２メモリ３４において複数の招待状情報５１・・・が記憶されている場合、どの招待状情報５１を選択すべきか操作部２５から入力されるようになっている。このため、招待状情報選択部４２は、操作部２５から入力された招待状情報５１の選択指示に基づき、所望の招待状情報５１を選択し、第２メモリ３４から読み出すことができる。なお、第２メモリ３４において、画像データのメーカノート領域５２１に招待状情報５１が記録された状態で記憶されており、招待状情報選択部４２はこの画像データを読み出す。【００９８】
送信用データ作成部４３は、招待状情報選択部４２から招待状情報５１を受信すると、ＩＣカード接続部３７を介してＩＣカード３８から携帯通信装置１の識別情報４０を取得する。また、計時部３６に指示して現在の時刻、すなわち携帯通信装置１からの招待状情報送信時の時刻を取得する。そして、上記「サービス提供処理の事前処理」において発行を受けたユーザ証明書から秘密鍵を取り出し、上記識別情報４０および時刻からハッシュ値を作成する。そして、送信用データ作成部４３は、作成したハッシュ値を元に取り出した秘密鍵で暗号化して電子署名を作成する。【００９９】
そして、送信用データ作成部４３は、上記画像データのメーカノート領域５２１にさらに電子署名を付した上記識別情報４０および送信指示時刻５０をさらに記録し、再生装置２に送信するための送信用データ１０１を作成する。送信用データ作成部４３は、このようにして送信用データ１０１を作成すると、該送信用データ１０１を招待状情報送信部４４に渡し、再生装置２へ送信するように指示する。【０１００】
招待状情報送信部４４は、送信用データ作成部４３からの指示に応じて、受信した送信用データ１０１をＩｒＳＳで送信可能な形式に変換し、赤外線通信部２７を制御して再生装置２に送信させる（Ｓ１２）。【０１０１】
一方、再生装置２では、携帯通信装置１から送信用データ１０１を再生装置赤外線通信部６０が受信する（Ｓ１３）。そして再生装置赤外線通信部６０は、受信したこの送信用データ１０１をデータ受信部７０に渡す。データ受信部７０は、再生装置赤外線通信部６０を介して携帯通信装置１から送信用データ１０１を受信すると該送信用データ１０１を解析するようにデータ解析部７１に指示する。【０１０２】
データ解析部７１は、データ受信部７０からの指示に応じて、受信した送信用データ１０１のメーカノート領域５２１に記録されている情報を確認する（Ｓ１４）。すなわち、データ解析部７１は、受信した送信用データ１０１のメーカノート領域５２１に、招待状情報５１として取得した特定のＷＥＢサイト５４のＵＲＬ、電子署名が付与された識別情報４０および送信指示時刻５０が含まれているか確認する。なお、上記ＵＲＬは、汎用的に利用できるものではなく特定の付加情報が付与されており、同一のＵＲＬが存在しないようになっている。【０１０３】
データ解析部７１が、携帯通信装置１から受信した送信用データ１０１に上記ＵＲＬ、識別情報４０、および送信指示時刻５０が含まれていることを確認すると、このＵＲＬ先にアクセスするように接続先決定部７２に指示する。また、データ解析部７１は、この指示とともに、電子署名が付与された識別情報４０および送信指示時刻５０と、招待状情報５１とを送信するように接続先決定部７２に指示する。【０１０４】
このデータ解析部７１からの指示に応じて、接続先決定部７２は、上記ＵＲＬ先との通信を確立するように再生装置通信制御部６２に指示する。再生装置通信制御部６２は、接続先決定部７２からの指示に応じて、通信インターフェース６１を介してＵＲＬ先にアクセスし、電子署名が付与された識別情報４０および送信指示時刻５０と、招待状情報５１とを送信する（Ｓ１５）。【０１０５】
なお、上記にて送信する招待状情報５１の代わりに、ＵＲＬに付加情報としてサービスＩＤが特定できる情報が含まれているならば、この付加情報を含むＵＲＬを送信する構成であってもよい。【０１０６】
一方、サービス提供サーバ３では、サーバ通信インターフェース８０を介してサーバ通信制御部８１が、再生装置２から電子署名が付与された識別情報４０および送信指示時刻５０と、招待状情報５１とを受信する（Ｓ１７）。そして、サーバ通信制御部８１は、これらの情報を認証処理部９３に送信する。【０１０７】
認証処理部９３は、サーバ通信制御部８１から電子署名が付与された識別情報４０および送信指示時刻５０と、招待状情報５１とを受信すると、これらの情報に基づき、ＷＥＢサイト５４へのアクセス要求が利用者リスト５３に登録されたユーザからの指示に基づくものであるか否か検証する（Ｓ１８）。なお、この検証に関する処理の詳細は後述する。【０１０８】
検証の結果、ＷＥＢサイト５４へのアクセスを求めるユーザが、利用者リスト５３に登録されており、識別情報４０と送信指示時刻５０とからＷＥＢサイト５４の提供先として有効であると認証処理部９３が判断すると（Ｓ１９において「ＹＥＳ」）、この認証処理部９３は、ＷＥＢサイト５４へのアクセスを要求した装置（ここでは、再生装置２）に対するサービスの提供、すなわちＷＥＢサイト５４の情報の提供を許可する（Ｓ２０）。そして、認証処理部９３は、ＷＥＢ処理部９４に対して、招待状情報５１を送信する。一方、ステップＳ１９において、認証処理部９３が有効ではないと判断した場合（Ｓ１９において「ＮＯ］）は、サービス提供処理を終了する。【０１０９】
ＷＥＢ処理部９４は、認証処理部９３から招待状情報５１を受信すると該情報に基づき、ＷＥＢサイト５４の情報を読見出し再生装置２に送信する（Ｓ２１）。【０１１０】
再生装置２では、再生装置通信制御部６２を介して表示データ受信部７３がサービス提供サーバ３からＷＥＢサイト５４の情報を受信すると、この情報に基づく表示を行うように再生装置表示制御部６３に指示する。このようにして、再生装置２では、サービス提供サーバ３から提供されたＷＥＢサイト５４の情報を再生装置表示部６４に表示させることができる。【０１１１】
（検証処理）
ここで、上記したステップＳ１８における検証処理の詳細な説明を、図１５を参照して説明する。図１５は、本発明の実施形態を示すものであり、サービス提供サーバ３における、検証処理に関する処理フローを示すフローチャートである。【０１１２】
まず、認証処理部９３は、再生装置２から受信した識別情報４０と送信指示時刻５０とからハッシュ値（ハッシュ値Ａ）を作成する（Ｓ３１）。次に、認証処理部９３は、電子署名を公開鍵で復号しハッシュ値（ハッシュ値Ｂ）を取得する（Ｓ３２）。そして、認証処理部９３は、ハッシュ値Ａとハッシュ値Ｂとを比較し一致するか確認する（Ｓ３３）。ここで一致しない場合（Ｓ３３において「ＮＯ」）は、認証処理部９３は、ＷＥＢサイト５４へのアクセス要求を行っている装置は、サービスの提供先として有効ではない（無効である）と判断する（Ｓ４１）。【０１１３】
一方、ステップＳ３３において「ＹＥＳ」の場合、認証処理部９３は、サーバ計時部８４に対して、識別情報４０および送信指示時刻５０と、招待状情報５１とを受信した時刻（受信時刻）を問い合わせ、受信時刻を取得する（Ｓ３４）。このように、受信時刻を取得すると、認証処理部９３は、受信した送信指示時刻５０との差分を計算し、両者の差が閾値以下であるか、閾値（１０秒）より大きいかを確認する（Ｓ３５）。なお、本実施の形態に係るサービス提供サーバ３では、この閾値を１０秒として設定しているが、これに限定されるものではない。携帯通信装置１から送信された情報が再生装置２を介してサービス提供サーバ３に到達するまでに必要となる時間に応じて適宜設定される。【０１１４】
送信指示時刻５０と受信時刻との差が閾値（１０秒）よりも大きくなる場合（ステップＳ３５において「ＮＯ」）、認証処理部９３は、ＷＥＢサイト５４へのアクセス要求を行っている装置は、サービスの提供先として有効ではない（無効である）と判断する（Ｓ４１）。【０１１５】
一方、送信指示時刻５０と受信時刻との差が閾値以下となる場合（ステップＳ３５において「ＹＥＳ」）、認証処理部９３は、受信した識別情報４０が利用者リスト５３に存在するか否か照会する（Ｓ３６）。そして、この識別情報４０が利用者リスト５３に登録されていない場合（Ｓ３７において「ＮＯ」）、認証処理部９３は、ＷＥＢサイト５４へのアクセス要求を行っている装置は、サービスの提供先として有効ではない（無効である）と判断する（Ｓ４１）。【０１１６】
一方、上記識別情報４０が利用者リスト５３に登録されている場合（Ｓ３７において「ＹＥＳ」）、認証処理部９３は、利用者リスト５３から該識別情報４０に対応するサービスＩＤを取得する（Ｓ３８）。そして、認証処理部９３は、この取得したサービスＩＤと、再生装置２から受信した招待状情報５１に含まれるサービスＩＤとが一致するか否か判定する（Ｓ３９）。【０１１７】
上記認証処理部９３は、この取得したサービスＩＤと、再生装置２から受信した招待状情報５１に含まれるサービスＩＤとが一致しない場合（ステップＳ３９において「ＮＯ」）、認証処理部９３は、ＷＥＢサイト５４へのアクセス要求を行っている装置は、サービスの提供先として有効ではない（無効である）と判断する（Ｓ４１）。【０１１８】
一方、上記認証処理部９３は、この取得したサービスＩＤと、再生装置２から受信した招待状情報５１に含まれるサービスＩＤとが一致する場合（ステップＳ３９において「ＹＥＳ」）、認証処理部９３は、ＷＥＢサイト５４へのアクセス要求を行っている装置は、サービスの提供先として有効であると判断する（Ｓ４０）。【０１１９】
なお、上記ステップＳ４１において、認証処理部９３が、ＷＥＢサイト５４へのアクセス要求を行っている装置は、サービスの提供先として有効ではない（無効である）と判断した場合、サービス提供サーバ３は、再生装置２および携帯通信装置１のうち少なくともいずれか一方に、サービスの提供先として無効である旨の通知を送信する。そして、この通知に応じて、再生装置２または携帯通信装置１は、「このサービスの利用許可がありません」といった利用不可を示すコメントをダイアログ表示するように構成されている。【０１２０】
以上のように本実施の形態に係る情報配信システム１００では、携帯通信装置１が、招待状情報５１に加えて、サービス提供サーバ３において事前に登録した当該携帯通信装置１のユーザの識別情報４０と招待状情報５１の送信指示時刻５０とを再生装置２に送信する構成であった。そして、再生装置２は、招待状情報５１に含まれるＵＲＬへのアクセスを行う際にこの識別情報４０および送信指示時刻５０を、サービス提供サーバ３に送信する構成であった。【０１２１】
このため、サービス提供サーバ３は、上記識別情報４０に基づき、再生装置２から受信したＷＥＢサイト５４へのアクセス要求が、該ＷＥＢサイト５４の利用が認められたユーザからのものであるのか否か確認することができる。また、このアクセス要求のために再生装置２から送信された識別情報４０が、通信経路中で盗聴されたものでないか、送信時刻情報に基づき判断することができる。【０１２２】
したがって、本実施の形態に係る情報配信システム１００では、サービス提供サーバ３に対してＷＥＢサイト５４へのアクセス要求を行った再生装置２がＷＥＢサイト５４の情報を利用できる正規の情報提供先であるか否か確認することができる。さらにまた、再生装置２からサービス提供サーバ３に対して行ったＷＥＢサイト５４へのアクセス要求が、盗聴された識別情報４０に基づき行われたものであるか否か判断することもできる。【０１２３】
さらにまた、利用者リスト５３から取得した、正当性が確認された識別情報４０に対応するサービスＩＤと、再生装置２から受信した招待状情報５１に含まれるサービスＩＤとが一致するか否かにより、認証処理部９３がサービスの提供先の有効性を判断する構成でもある。このため、本実施の形態に係る情報配信システム１００では再生装置２から受信した招待状情報５１の正当性を確認することができる。【０１２４】
このように招待状情報５１の正当性を確認することができるため、サービス提供サーバ３と携帯通信装置１との間において、招待状情報５１が盗まれる可能性もあるが、この間に行われる招待状情報５１の不正取得に対しても対処できる。【０１２５】
また、画像データ内に招待状情報５１、識別情報４０、および送信指示時刻５０を記録するため、この画像データが盗まれた場合であっても、該画像データ内に記録された上記招待状情報５１、識別情報４０、および送信指示時刻５０の存在に気づかれないことがある。このため、招待状情報５１、識別情報４０、および送信指示時刻５０をそのまま送信する場合と比較して、盗聴された際にこれら情報が不正に利用される可能性を低減させることができる。【０１２６】
また、上記した構成を有する情報配信システム１００は、以下の実施例１〜３で示すように、その適用例においていくつかのバリエーションが存在する。そこで、以下では実施例１〜３について説明する。
【実施例１】
【０１２７】
上述した情報配信システム１００における携帯通信装置１は、サービス提供サーバ３に招待状情報５１の発行を申請し、該招待状情報５１を取得する構成であった。そして、携帯通信装置１は、この招待状情報５１を再生装置２に送信し、再生装置２は、招待状情報５１に含まれるＵＲＬ先へのアクセスを要求する構成であった。【０１２８】
しかしながら、図１６に示すように、携帯通信装置１にて閲覧しているＷＥＢサイト５４の画像を、サービス提供サーバ３から再生装置２に送信させ、再生装置２にてこの画像を表示するように利用することもできる。図１６は、本発明に係る実施形態における実施例１を示すものであり、情報配信システム１００の概略構成を説明する図である。【０１２９】
なお、この場合においても上記したように携帯通信装置１は、上述の「サービス提供処理の事前処理」を行っているものとする。【０１３０】
より具体的には、図１６に示すように、携帯通信装置１は、サービス提供サーバ３から配信されたＷＥＢサイト５４を閲覧中に、このＷＥＢサイト５４のＵＲＬを取得する。すなわち、携帯通信装置１がサービス提供サーバ３と接続を確立し、該サービス提供サーバ３により管理されているＷＥＢサイト５４を閲覧している状態で、操作部２５からＵＲＬの取得指示が入力される。この取得指示に応じて、招待状情報取得部４１が通信制御部２９を介して、閲覧しているＷＥＢサイト５４のＵＲＬと該ＷＥＢサイト５４のスナップショット画像データをサービス提供サーバ３から取得する。このようにＵＲＬとスナップショット画像データを取得すると、招待状情報取得部４１は、これらの情報を招待状情報５１として第２メモリ３４に記憶する。【０１３１】
そして、操作部２５が招待状情報５１の再生装置２への送信指示を受け付けると、招待状情報選択部４２が第２メモリから招待状情報５１として記録しているＵＲＬとスナップショット画像データを読み出し、送信用データ作成部４３に送信する。送信用データ作成部４３は、招待状情報選択部４２から受信したＵＲＬを、スナップショット画像データのメーカノート領域５２１に記録する。さらに送信用データ作成部４３は、ＩＣカード接続部３７を介してＩＣカード３８から受信した識別情報４０と、計時部３６に問い合わせた時刻（送信指示時刻５０）とから、ユーザ証明書５２から読み出した秘密鍵を使って電子署名を作成する。そして、この作成した電子署名を上記識別情報４０および送信指示時刻５０に付与して上記メーカノート領域５２１に記録する。このようにして送信用データ１０１を作成すると、招待状情報送信部４４に渡し、赤外線通信部２７から再生装置２に送信される。【０１３２】
再生装置２では送信用データ１０１を受信すると、送信用データ１０１において含まれているＵＲＬ先と再生装置２は接続を確立させ、送信用データ１０１に含まれる識別情報と送信指示時刻５０とをサービス提供サーバ３に送信する。なお、この再生装置２からサービス提供サーバ３への情報の送信は、上述した「サービス提供処理」と同様にして再生装置２により実行されるため詳細な説明は省略する。【０１３３】
サービス提供サーバ３は、再生装置２から電子署名を付与した識別情報４０と送信指示時刻５０とに基づき、上記「検証処理」とほぼ同様にして再生装置２からのアクセスが、正規ユーザからの要求に基づくものであるか検証する。すなわち、この検証処理は、図１５に示すステップＳ３１〜Ｓ３７まで同じであり、ステップＳ３７において「ＹＥＳ」の場合、ステップＳ３８に進まずにステップＳ４０に進む点でのみ異なる。このため、検証処理の詳細な説明はここでは省略する。【０１３４】
そして、サービス提供サーバ３は、この検証処理において、再生装置２からのアクセスが正規ユーザからの要求に基づくものであると判定すると、ＵＲＬによって示されたＷＥＢサイト５４の画像データを、再生装置表示部６４において好適に表示できる画像データに修正して、再生装置２に送信する。【０１３５】
このように上記携帯通信装置１から上記送信用データ１０１を再生装置２に送信することにより、情報配信システム１００では、携帯通信装置１の小さい表示画面でみていたＷＥＢサイト５４の画像を、再生装置表示部６４の大きな表示画面で表示させることができる。【０１３６】
なお、上記では、閲覧しているＷＥＢサイト５４のＵＲＬと該ＷＥＢサイト５４のスナップショット画像データとから携帯通信装置１が招待状情報５１を作成する構成であった。しかしながら、スナップショット画像データの代わりに、閲覧中のＷＥＢサイト５４が含む画像データのうちいずれかを選択し、この選択した画像データと上記ＵＲＬとから招待状情報５１を作成する構成としてもよい。
【実施例２】
【０１３７】
次に、携帯通信装置１が、サービス提供サーバ３から招待状情報５１を取得するのではなく、図１７に示すように、広告の紙等に印刷された２次元バーコード（例えばＱＲコード）を撮影し、この撮影画像から招待状情報５１を取得する構成とすることもできる。図１７は、本発明に係る実施形態における実施例２を示すものであり、情報配信システム１００の概略構成を説明する図である。【０１３８】
なお、この場合も前提として予め「サービス提供処理の事前処理」を実行しているものとする。【０１３９】
すなわち、操作部２５が招待状情報５１の取得指示を受け付けると、招待状情報取得部４１が、画像処理部３１に指示して、撮像部２６を稼動させて２次元バーコードが印字されている箇所の画像データを取得する。撮像部２６により取得した画像データは画像処理部３１を介して招待状情報取得部４１が取得する。そして、招待状情報取得部４１は、取得した画像データを解析し、ＷＥＢサイト５４のＵＲＬを取得する。そして、招待状情報取得部４１は、取得したＵＲＬを招待状情報５１として第２メモリ３４に記録させる。またこのＵＲＬに撮像部２６により撮影した２次元バーコードの画像データを対応づけて記憶させる。【０１４０】
次に、操作部２５が招待状情報５１の再生装置２への送信指示を受け付けると、招待状情報選択部４２が、招待状情報（ＵＲＬ）５１と二次元コードの画像データとを第２メモリ３４から読みだし、送信用データ作成部４３に送信する。一方、送信用データ作成部４３は、２次元コードの画像データのメーカノート領域５２１に招待状情報５１を記録する。また、送信用データ作成部４３は、さらに、ＩＣカード接続部３７を介して受信した識別情報４０と計時部３６に問い合わせて取得した送信指示時における時刻情報（送信指示時刻５０）とから、ユーザ証明書５２から読みだした秘密鍵を使って電子署名を作成する。そして、この電子署名を識別情報４０および送信指示時刻５０に付与して２次元コードの画像データのメーカノート領域５２１に記録する。このようにして送信用データ１０１を作成すると、送信用データ作成部４３は作成した送信用データ１０１を招待状情報送信部４４に渡し赤外線通信部２７により再生装置２に送信させる。【０１４１】
なお、これ以降の再生装置２およびサービス提供サーバ３において実行される処理は、上述のサービス提供処理および検証処理と同様であるため説明は省略する。【０１４２】
また、上記では、２次元バーコードの画像データのメーカノート領域５２１に招待状情報５１、電子署名を付与した識別情報４０および送信指示時刻５０を記録する構成であったがこれに限定されるものではない。２次元バーコードの画像データの代わりに該２次元バーコードとともに印刷されていた写真の画像データ、あるいはユーザが別途撮影した任意の画像データであってもよい。
【実施例３】
【０１４３】
また、実施例２のように２次元コードから招待状情報（ＵＲＬ）５１を取得するのではなく、携帯通信装置１が備える非接触ＩＣ４５によって決済を行う際に、リーダ／ライタから決済に係る各種情報とともに招待状情報５１を受信する構成とすることもできる。なお、この構成の場合も予め上述した「サービス提供処理の事前処理」で説明したように、携帯通信装置１のユーザは、サービス提供サーバ３に対して利用申請処理を予め実行しているものとする。【０１４４】
すなわち、図１８に示すように、携帯通信装置１を所持するユーザが実際のお店（リアルショップ）を訪れ、商品を購入する。商品購入に際して、ユーザは携帯通信装置１が有する決済機能を使って購入代金を支払う。この決済機能を実行する際に、携帯通信装置１は、リーダ／ライタから招待状情報５１として、ネット上に構築されたバーチャル店舗での買い物に利用できるクーポン（招待状情報５１）を取得する。図１８は、本発明に係る実施形態における実施例３を示すものであり、情報配信システム１００の概略構成を説明する図である。【０１４５】
より具体的には、図１９に示すように携帯通信装置１と、リーダ／ライタを備えた店舗端末５と、バーチャル店舗を管理するサービス提供サーバ３との間においてクーポン取得に関して以下のように各種情報が交換される。図１９は、本発明の実施形態における実施例３を示すものであり、携帯通信装置１におけるクーポン（招待状情報５１）の取得処理の一例を説明する処理フロー図である。【０１４６】
まず、ユーザが商品を購入する際、携帯通信装置１をリーダ／ライタの近傍に配置させ、携帯通信装置１と店舗端末５との間で商品購入代金に係る決済処理を行う（Ｓ１０１）。この決済処理により店舗端末５が携帯通信装置１から取得した各種情報は不図示の決済機関の決済処理サーバに送信される。【０１４７】
また、店舗端末５は、上記携帯通信装置１から取得した各種情報のうち、携帯通信装置１のユーザの商品購入に関する情報である購入情報として、携帯通信装置１の識別情報４０、購入品名（商品コード）、および決済日時を、バーチャルショップを管理するサービス提供サーバ３に送信する（Ｓ１０２）。サービス提供サーバ３は、店舗端末５から受信した購入情報に登録処理部９１が識別子（サービスＩＤ）を付与してサーバ記憶装置８２に記憶する（Ｓ１０３）とともに、この付与したサービスＩＤを、発行処理部９２がサーバ通信制御部８１に指示して店舗端末５に送信させる（Ｓ１０４）。【０１４８】
店舗端末５では、サービス提供サーバ３から受信したサービスＩＤと、サービス提供サーバが管理しているバーチャル店舗のＵＲＬとを、招待状情報５１として画像データのメーカノート領域５２１に記録する（Ｓ１０５）。そして、この招待状情報５１を含む画像データ（クーポン）をリーダ／ライタを介して携帯通信装置１に送信する（Ｓ１０６）。また、店舗端末５は、招待状情報５１として携帯通信装置１に提供したＵＲＬの情報をサービス提供サーバ３に通知する（Ｓ１０７）。サービス提供サーバ３は、店舗端末５から携帯通信装置１に提供したＵＲＬの情報を、サーバ通信制御部８１を介して登録処理部９１が受信すると、購入情報に付与したサービスＩＤと対応づけてサーバ記憶装置８２に記憶する（Ｓ１０８）。【０１４９】
また、サービス提供サーバ３からのサービスＩＤの発行を必要としない場合は、図２０に示すように、携帯通信装置１と店舗端末５との間で決済処理を行った後、店舗端末５から携帯通信装置１に招待状情報５１を送信する構成とすることもできる。図２０は、本発明の実施形態における実施例３を示すものであり、携帯通信装置１におけるクーポン（招待状情報５１）の取得処理の一例を説明する処理フロー図である。【０１５０】
より具体的には、ステップＳ１０１と同様に、携帯通信装置１と店舗端末５との間で、商品購入代金に係る決済処理を行う（Ｓ２０１）。また、店舗端末５は、決済処理において上記携帯通信装置１から取得した各種情報のうち、携帯通信装置１の識別情報４０、購入品名（商品コード）、および決済日時を、購入情報として自身が備える記憶装置（不図示）に記憶させる（Ｓ２０２）。また、この店舗端末５は、携帯通信装置１のユーザにサービスを提供するバーチャル店舗のＵＲＬを、予めこの記憶装置に記憶している。そこで、携帯通信装置１から購入情報を取得すると、上記ＵＲＬを記録した画像データ形式のクーポンを作成する（Ｓ２０３）。店舗端末５は、クーポンを作成すると携帯通信装置１にこのクーポンを送信する（Ｓ２０４）。このようにクーポンを送信すると、店舗端末５は、記憶装置に記憶した購入情報と携帯通信装置１に通知したＵＲＬの情報とをサービス提供サーバ３に送信する（Ｓ２０５）。【０１５１】
サービス提供サーバ３は、店舗端末５から購入情報とＵＲＬとを受信するとサーバ記憶装置８２に記憶する。特に、受信した情報のうち、上記ＵＲＬについては、その情報と携帯通信装置１に送付した日時とを、利用者リスト５３の招待状送付履歴の項目に記録する。【０１５２】
以上のように招待状情報５１として購入情報に割り当てたサービスＩＤを招待状情報５１として含める必要がない場合、招待状情報５１を店舗端末５から携帯通信装置１に送信した後に、購入情報等を店舗端末５からサービス提供サーバ３に送信する構成とすることができる。【０１５３】
なお、クーポンの取得方法はこれに限定されるものではなく、例えば図２１に示すように、クーポンをサービス提供サーバ３において生成し、店舗端末５を介して携帯通信装置１に提供する構成とすることもできる。図２１は、本発明の実施形態における実施例３を示すものであり、携帯通信装置１におけるクーポン（招待状情報５１）の取得処理の一例を説明する処理フロー図である。【０１５４】
すなわち、図２１に示すように、まず、ステップＳ１０１と同様にユーザが商品を購入する際、携帯通信装置１をリーダ／ライタの近傍に配置させ、携帯通信装置１と店舗端末５との間で商品購入代金に係る決済処理を行う（Ｓ３０１）。この決済処理により店舗端末５が携帯通信装置１から取得した各種情報は不図示の決済機関の決済処理サーバに送信される。【０１５５】
店舗端末５は、上記携帯通信装置１から取得した各種情報のうち、携帯通信装置１の識別情報４０、購入品名（商品コード）、および決済日時を、バーチャルショップを管理するサービス提供サーバ３に購入情報として送信する（Ｓ３０２）。【０１５６】
サービス提供サーバ３では、登録処理部９１が店舗端末５から受信した購入情報に識別子（サービスＩＤ）を付与してサーバ記憶装置８２に記憶する（Ｓ３０３）。そして、発行処理部９２が、上記サービスＩＤとともに、ＵＲＬの情報を、招待状情報５１として、画像データのメーカノート領域５２１に記録する。そして、発行処理部９２がこの画像データに招待状情報５１を含めたクーポンとして店舗端末５に送信する（Ｓ３０５）。【０１５７】
店舗端末５は、サービス提供サーバ３からクーポンを受信すると、該クーポンを携帯通信装置１にリーダ／ライタを介して送信する。【０１５８】
以上のようにして携帯通信装置１がクーポンを受信すると、該携帯通信装置１のユーザは、この携帯通信装置１を所持して自宅に戻る。そして、自宅にて、携帯通信装置１は、リアルショップにて取得したクーポンをＩｒＳＳによって再生装置２に送信する。クーポンを受信した再生装置２は、該クーポンに記録されているＵＲＬのバーチャル店舗にアクセスするために、このバーチャル店舗を管理しているサービス提供サーバ３に接続する。そして、サービス提供サーバ３から上記バーチャル店舗のＷＥＢサイト５４の情報を受信する。なお、携帯通信装置１から再生装置２がクーポン（招待状情報５１）を受信し、サービス提供サーバ３からサービスの提供を受けるまでの処理は、上述した「サービス提供処理」および「検証処理」と同様であるため、その説明は省略する。【０１５９】
なお、本実施の形態に係る情報配信システム１００では、サービス提供サーバ３から特定のＷＥＢサイト５４の情報を、提供用サービスとして再生装置２が受信する構成であった。しかしながら、サービス提供サーバ３がサーバ記憶装置に映像や音楽等のコンテンツデータを保持しており、このコンテンツデータを再生装置２に提供する構成であってもよい。【０１６０】
また、本実施の形態に係る携帯通信装置１では、主制御部３５からの制御指示の下、ＩＣカード接続部３７を介してこのＩＣカード３８から上記固有ＩＤを取得し、該固有ＩＤを携帯通信装置１の識別情報４０として取得する構成であった。しかしながら、この識別情報４０は携帯通信装置１の所有者を特定する情報であってもよい。また、識別情報４０が携帯通信装置１の所有者を特定するものである場合、この識別情報４０は操作部２５を操作してユーザにより入力され、第２メモリ３４に記憶されていてもよい。【０１６１】
また、本実施の形態に係る携帯通信装置１は、上述した証明書発行処理により示したように、証明書発行サーバ４に対して証明書の発行を申請し、該証明書発行サーバ４から証明書の発行を受ける構成であった。また、この証明書に秘密鍵が含まれており、証明書の取得により該秘密鍵を入手する構成であった。【０１６２】
しかしながら、秘密鍵の入手方法はこれに限定されるものではなく、工場出荷時に予めＩＣカード３８に秘密鍵が記録されていてもよい。このように構成される場合、証明書発行サーバ４により携帯通信装置１に対して発行される証明書は秘密鍵を含まないものとなる。【０１６３】
さらには、携帯通信装置１は、上記証明書についても、上記秘密鍵と同様に工場出荷時に予めＩＣカード３８に記録されている構成であってもよい。このように予めＩＣカード３８に証明書が含まれている場合、上述した証明書発行処理は省略することができる。【０１６４】
以上のように、本発明に係る再生装置、携帯通信装置、管理サーバ、コンテンツ配信システムは、下記の構成を備えるものと言える。【０１６５】
本発明に係る再生装置は、以上のように、コンテンツを管理する管理サーバからコンテンツを受信し、該コンテンツを再生する再生装置であって、上記管理サーバは、コンテンツの利用が許可された携帯通信装置または所有者に関する識別情報を保持し、この識別情報により特定された携帯通信装置または所有者からの求めに応じてコンテンツを提供しており、上記管理サーバに対してコンテンツの送信を要求するための情報であるコンテンツ要求情報とともに、携帯通信装置または所有者を特定する識別情報、およびこの携帯通信装置からコンテンツ要求情報を送信した時点を示す送信時刻情報を、該携帯通信装置から受信する第１受信手段と、上記第１受信手段により受信したコンテンツ要求情報に基づき管理サーバとの接続を確立し、上記コンテンツ要求情報とともに上記識別情報および送信時刻情報を該管理サーバに送信する第１送信手段とを備える構成である。【０１６６】
したがって、本発明に係る再生装置は、携帯通信装置から受信したコンテンツ要求情報により、該コンテンツを管理する管理サーバからコンテンツの提供を受ける場合に、この再生装置がコンテンツの正規の提供先であるか否か管理サーバに確認させることができるという効果を奏する。【０１６７】
また、本発明に係る再生装置は、上記した構成において、上記第１受信手段は、上記コンテンツ要求情報、上記識別情報、および上記送信時刻情報を含む画像データを携帯通信装置から受信しており、上記コンテンツ要求情報には、上記管理サーバにより管理されているコンテンツの所在を示す所在情報が含まれており、上記画像データに含まれる上記コンテンツ要求情報、上記識別情報、および上記送信時刻情報を確認し、コンテンツ要求情報から上記所在情報を取得する確認手段をさらに備え、上記第１送信手段は、上記確認手段により取得した所在情報に基づき、管理サーバとの接続を確立するように構成されていてもよい。【０１６８】
上記構成によると、確認手段を備えているため携帯通信装置から受信したコンテンツ要求情報から所在情報を取得し接続先を決定することができる。【０１６９】
また、本発明に係る再生装置は、上記した構成において、上記第１受信手段によって受信された上記識別情報および上記送信時刻情報には、これらの情報の正当性を保証するための署名情報が付与されるように構成されていてもよい。【０１７０】
上記した構成によると、識別情報および送信時刻情報に署名情報が付与されているため、送信用データに含まれる識別情報および送信時刻情報に対する信頼性を向上させることができる。【０１７１】
また、本発明に係る携帯通信装置は、以上のように、コンテンツを管理する管理サーバにおいて、このコンテンツの利用許可対象として当該携帯通信装置または所有者を識別する識別情報が登録されている携帯通信装置であって、上記管理サーバに対してコンテンツの送信を要求するための情報であるコンテンツ要求情報を取得する取得手段と、上記識別情報を記憶する識別情報記憶装置と、上記取得手段により取得したコンテンツ要求情報を、上記コンテンツを再生するための再生装置に送信する時点の時刻である送信時刻を計測する第１計時部と、上記取得手段により取得したコンテンツ要求情報と、上記識別情報記憶装置に記憶された識別情報と、上記第１計時部にて計測された送信時刻の情報である送信時刻情報とに基づき、上記再生装置に送信するための送信用データを作成する送信用データ作成手段と、上記送信用データ作成手段によって作成した送信用データを再生装置に送信する第２送信手段とを備える構成である。【０１７２】
したがって、本発明に係る携帯通信装置は、再生装置に送信したコンテンツ要求情報により、該再生装置がコンテンツを管理する管理サーバからコンテンツの提供を受けることができる正規の提供先であるか否か管理サーバに確認させることができるという効果を奏する。【０１７３】
また、本発明に係る携帯通信装置は、上記した構成において、上記取得手段は、上記管理サーバに対して上記コンテンツ要求情報の送信を要求し、該管理サーバから該コンテンツ要求情報を取得する構成であってもよい。【０１７４】
本発明に係る携帯通信装置は、上記した構成において、上記コンテンツ要求情報はその内容を示す識別コードとして物品に記録されており、上記物品に記録された識別コードの画像データを取得する画像取得部を備え、上記取得手段は、上記画像取得部によって取得された画像データを解析し、上記コンテンツ要求情報を取得する構成であってもよい。【０１７５】
なお、上記物品は、例えば、用紙であってもよいし、壁や床、日常品であってもよい。すなわち、識別コードを印刷することができる媒体であればよい。また、この識別コードとしては、例えば、バーコードやＱＲコード等の２次元コード等を挙げることができる。【０１７６】
また、本発明に係る携帯通信装置は、上記した構成において、上記コンテンツ要求情報を保持するコンテンツ要求情報保持装置と無線により通信を行い、該コンテンツ要求情報を取得する情報取得部を備え、上記取得手段は、上記情報取得部から上記コンテンツ要求情報を取得する構成であってもよい。【０１７７】
また、本発明に係る携帯通信装置は、上記した構成において、上記送信用データ作成手段は、少なくとも上記識別情報および送信時刻情報に対して、これらの情報の正当性を保証するための署名情報を付与して上記送信用データを作成するように構成されていてもよい。【０１７８】
送信用データ作成手段は、識別情報および送信時刻情報に署名情報を付与するため、送信用データに含まれる識別情報および送信時刻情報に対する信頼性を向上させることができる。【０１７９】
また、本発明に係る携帯通信装置は、上記した構成において、上記送信用データ作成手段は、上記コンテンツ要求情報と、上記識別情報と、上記送信時刻情報とを、画像データに格納して上記送信用データを作成しており、上記第２送信手段は、上記送信用データ作成手段により送信用データとして作成された画像データを上記再生装置に送信するように構成されていてもよい。【０１８０】
携帯通信装置は、画像データとして送信用データを再生装置に送信することができるため、例えば、コンテンツ要求情報が格納された画像データを受信した場合、この画像データに識別情報および送信時刻情報をさらに記録し、画像データの形式のまま再生装置に送信することができる。【０１８１】
また、画像データ内にコンテンツ要求情報、識別情報、および送信時刻情報を記録するため、この画像データが盗まれた場合であっても、該画像データ内に記録された上記コンテンンツ要求情報、識別情報および送信時刻情報の存在に気づかれないことがある。このため、コンテンツ要求情報、識別情報、および送信時刻情報をそのまま送信する場合と比較して、盗聴された際にこれら情報が不正に利用される可能性を低減させることができる。【０１８２】
本発明に係る管理サーバは、以上のように、コンテンツを管理する管理サーバであって、上記コンテンツの利用許可対象として携帯通信装置または所有者を識別する識別情報を記憶する識別情報記憶装置と、上記コンテンツを再生する再生装置から、コンテンツの送信を要求するための情報であるコンテンツ要求情報とともに、上記識別情報、および上記携帯通信装置から上記再生装置に対してコンテンツ要求情報を送信した時点を示す送信時刻情報を受信した場合、その受信した時点での時刻情報である受信時刻情報を計測する第２計時部と、受信した識別情報と、上記送信時刻情報と上記受信時刻情報との差分とに基づき、受信したコンテンツ要求情報の正当性を判断する判断手段と、上記判断手段により受信したコンテンツ要求情報が正当であると判断された場合、再生装置に送信すべきコンテンツを決定する送信決定手段とを備え、上記判断手段は、受信した識別情報が、識別情報記憶装置に記憶されていると確認するとともに、上記送信時刻情報と上記受信時刻情報との差分が所定の範囲内であると確認した場合、受信したコンテンツ要求情報が正当であると判断する構成である。【０１８３】
したがって、本発明に係る管理サーバは、再生装置から受信したコンテンツ要求情報に応じて、コンテンツを再生装置に提供する場合に、管理サーバはこの再生装置がコンテンツの正規の提供先であるか否か確認することができるという効果を奏する。【０１８４】
また、本発明に係る管理サーバは、上記した構成において、上記コンテンツ要求情報を記憶するコンテンツ要求情報記憶装置をさらに備え、上記判断手段は、受信した識別情報が、識別情報記憶装置に記憶されており、上記送信時刻情報と上記受信時刻情報との差分が所定の範囲内であり、かつ受信したコンテンツ要求情報がコンテンツ要求情報記憶装置に記憶されていると確認した場合、受信したコンテンツ要求情報が正当であると判断するように構成されていてもよい。【０１８５】
上記構成によると、上記判断手段は、コンテンツ要求情報の正当性を、受信したコンテンツ要求情報が、コンテンツ要求情報記憶装置に記憶されているか否かも判断基準に加えて確認することができる。【０１８６】
このため、本発明に係る管理サーバは、受信したコンテンツ要求情報の正当性について、さらに確度よく判断することができる。【０１８７】
また、本発明に係る管理サーバは、上記した構成において、上記識別情報および上記送信時刻情報には、これらの情報の正当性を保証するための署名情報が付与されており、上記署名情報は、上記識別情報および上記送信時刻情報から生成したハッシュ値を上記携帯通信装置が保持する秘密鍵により暗号化し生成したものであり、上記判断手段は、受信した上記識別情報と上記送信時刻情報とから作成したハッシュ値と、上記署名情報を公開鍵で復号し、取得したハッシュ値とを比較し一致する場合に、受信した識別情報と、送信時刻情報と上記受信時刻情報との差分とに基づき、受信したコンテンツ要求情報の正当性を判断するように構成されていてもよい。【０１８８】
上記した構成によると、識別情報および送信時刻情報に付与された署名情報の正当性を判断した上で、受信した識別情報と、送信時刻情報と上記受信時刻情報との差分とに基づき、受信したコンテンツ要求情報の正当性をさらに判断することができる。【０１８９】
本発明に係るコンテンツ配信システムは、以上のように、コンテンツを管理する管理サーバからコンテンツを受信し、該コンテンツを再生する再生装置であって、上記管理サーバは、コンテンツの利用が許可された携帯通信装置または所有者に関する識別情報を保持し、この識別情報により特定された携帯通信装置または所有者からの求めに応じてコンテンツを提供しており、上記管理サーバに対してコンテンツの送信を要求するための情報であり、該管理サーバにより管理されているコンテンツの所在を示す所在情報を含むコンテンツ要求情報とともに、携帯通信装置または所有者を特定する識別情報、およびこの携帯通信装置からコンテンツ要求情報を送信した時点を示す送信時刻情報を、該携帯通信装置から受信する第１受信手段と、上記第１受信手段により受信したコンテンツ要求情報に基づき管理サーバとの接続を確立し、上記コンテンツ要求情報とともに上記識別情報および送信時刻情報を該管理サーバに送信する第１送信手段とを備える再生装置と、コンテンツを管理する管理サーバにおいて、このコンテンツの利用許可対象として当該携帯通信装置または所有者を識別する識別情報が登録されている携帯通信装置であって、上記管理サーバに対してコンテンツの送信を要求するための情報であるコンテンツ要求情報を取得する取得手段と、上記識別情報を記憶する識別情報記憶装置と、上記取得手段により取得したコンテンツ要求情報を、上記コンテンツを再生するための再生装置に送信する時点の時刻である送信時刻を計測する計時部と、上記取得手段により取得したコンテンツ要求情報と、上記識別情報記憶装置に記憶された識別情報と、上記計時部にて計測された送信時刻の情報である送信時刻情報とに基づき、上記再生装置に送信するための送信用データを作成する送信用データ作成手段と、上記送信用データ作成手段によって作成した送信用データを再生装置に送信する第２送信手段とを備える携帯通信装置と、コンテンツを管理する管理サーバであって、上記コンテンツの利用許可対象として携帯通信装置または所有者を識別する識別情報を記憶する識別情報記憶装置と、上記コンテンツを再生する再生装置から、コンテンツの送信を要求するための情報であるコンテンツ要求情報とともに、上記識別情報、および上記携帯通信装置から上記再生装置に対してコンテンツ要求情報を送信した時点を示す送信時刻情報を受信した場合、その受信した時点での時刻情報である受信時刻情報を計測する第２計時部と、受信した識別情報と、上記送信時刻情報と上記受信時刻情報との差分とに基づき、受信したコンテンツ要求情報の正当性を判断する判断手段と、上記判断手段により受信したコンテンツ要求情報が正当であると判断された場合、再生装置に送信すべきコンテンツを決定する送信決定手段とを備え、上記判断手段は、受信した識別情報が、識別情報記憶装置に記憶されていると確認するとともに、上記送信時刻情報と上記受信時刻情報との差分が所定の範囲内であると確認した場合、受信したコンテンツ要求情報が正当であると判断する管理サーバとを備える構成である。【０１９０】
したがって、本発明に係るコンテンツ配信システムは、携帯通信装置から受信したコンテンツ要求情報を再生装置が管理サーバに送信した場合に、管理サーバがこのコンテンツ要求情報の正当性を判断して、再生装置がコンテンツの正規の提供先であるか否か確認することができるという効果を奏する。【０１９１】
最後に、携帯通信装置１が有する各機能ブロック、再生装置２が有する各機能ブロック、ならびサービス提供サーバ３が有する各機能ブロックは、ハードウェアロジックによって構成してもよいし、次のようにＣＰＵを用いてソフトウェアによって実現してもよい。【０１９２】
すなわち、携帯通信装置１、再生装置２、およびサービス提供サーバ３は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである携帯通信装置１、再生装置２、ならびにサービス提供サーバ３それぞれの制御プログラムのプログラムコードをコンピュータで読み取り可能に記録した記録媒体を、上記携帯通信装置１、再生装置２、およびサービス提供サーバ３それぞれに供給する。そして、そのコンピュータ（またはＣＰＵやＭＰＵ）が記録媒体に記録されているプログラムコードを読み出し実行することによっても、達成可能である。【０１９３】
また、携帯通信装置１、再生装置２、およびサービス提供サーバ３それぞれでは、上記プログラムコードを、通信ネットワークを介して供給する構成であってもよい。なお、本発明は、上記プログラムコードが電子的な伝送で具現化された、搬送波に埋め込まれたコンピュータデータ信号の形態でも実現され得る。【０１９４】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１９５】
本実施形態に係る情報配信システム１００は、再生装置２からサービス提供サーバ３への単方向で行われる通信において、サービス提供サーバ３は再生装置２がサービスの提供先であるか否か検証することができるシステムである。このため、本実施の形態に係る再生装置２のようにサービス提供サーバにおける検証において必要となる情報等の入力を行うことができない場合に広く適用できる。
【図１】
2009054384.tif 000003
【図２】
2009054384.tif 000004
【図３】
2009054384.tif 000005
【図４】
2009054384.tif 000006
【図５】
2009054384.tif 000007
【図６】
2009054384.tif 000008
【図７】
2009054384.tif 000009
【図８】
2009054384.tif 000010
【図９】
2009054384.tif 000011
【図１０】
2009054384.tif 000012
【図１１】
2009054384.tif 000013
【図１２】
2009054384.tif 000014
【図１３】
2009054384.tif 000015
【図１４】
2009054384.tif 000016
【図１５】
2009054384.tif 000017
【図１６】
2009054384.tif 000018
【図１７】
2009054384.tif 000019
【図１８】
2009054384.tif 000020
【図１９】
2009054384.tif 000021
【図２０】
2009054384.tif 000022
【図２１】
2009054384.tif 000023
【手続補正書】
【提出日】平成21年8月3日(2009.8.3)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
サービスを提供するサービス提供サーバからサービスの提供を受けることが許可されている携帯通信装置であって、
上記サービス提供サーバは、提供するサービスの利用許可対象を識別する情報として、当該携帯通信装置または当該携帯通信装置の所有者に割り当てられた識別情報を登録しており、
上記サービス提供サーバに対してサービスの提供を要求するための情報であるサービス利用情報を取得する取得手段と、
上記識別情報を記憶する識別情報記憶装置と、
上記取得手段により取得したサービス利用情報を、上記サービス提供サーバと接続され、このサービス提供サーバより提供されるサービスを利用するサービス利用装置に送信する時点の時刻である送信時刻を計測する第１計時部と、
上記取得手段により取得したサービス利用情報と、上記識別情報記憶装置に記憶された識別情報と、上記第１計時部にて計測された送信時刻の情報である送信時刻情報とを、画像データ内に含めてサービス利用装置に送信するための送信用画像データを作成する送信用データ作成手段と、
上記送信用データ作成手段により作成された送信用画像データを上記サービス利用装置に送信する第２送信手段とを備えることを特徴とする携帯通信装置。
【請求項５】
（削除）
【請求項６】
（削除）
【請求項７】
（削除）
【請求項８】
（削除）
【請求項９】
（削除）
【請求項１０】
サービスを提供するサービス提供サーバであって、
提供する上記サービスの利用許可対象として携帯通信装置またはその所有者を識別する識別情報を記憶する識別情報記憶装置と、
上記サービスを利用するためのサービス利用装置から、サービスの提供を要求するための情報であるサービス利用情報とともに、上記識別情報、および上記携帯通信装置から上記サービス利用装置に対してサービス利用情報を送信した時点を示す。送信時刻情報を受信した場合、その受信した時点での時刻情報である受信時刻情報を計測する第２計時部と、
受信した識別情報と、上記送信時刻情報と上記受信時刻情報との差分とに基づき、受信したサービス利用情報の正当性を判断する判断手段と、
上記判断手段により受信したサービス利用情報が正当であると判断された場合、サービス利用装置に送信すべきコンテンツを決定する送信決定手段とを備え、
上記判断手段は、受信した識別情報が、識別情報記憶装置に記憶されており、上記送信時刻情報と上記受信時刻情報との差分が所定の範囲内であると確認した場合、受信したコンテンツ要求情報が正当であると判断することを特徴とするサービス提供サーバ。
【請求項１１】
（削除）
【請求項１２】
（削除）
【請求項１３】
（削除）
【請求項１４】
上記画像データは、表示する画像を圧縮して格納するための領域である画像領域と、該画像領域に格納された画像に関する情報を格納するための領域である情報格納領域とを含んでおり、
上記送信用データ作成手段は、上記サービス利用情報と、上記識別情報と、上記送信時刻情報とを、上記情報格納領域に記憶させて送信用画像データを作成することを特徴とする請求項４に記載の携帯通信装置。
【請求項１５】
上記サービス提供サーバは、携帯通信装置との間で商品購入代金に係る決済処理を行うとともに、上記サービス利用情報を該携帯通信装置に送信する店舗端末から、購入される商品に関する情報である購入情報を受け付け、該購入情報に応じて、サービスを提供しており、
上記店舗端末から、上記識別情報により特定されている携帯通信装置により購入される商品に関する購入情報と、上記携帯通信装置と店舗端末との間で実行された決済処理の日時を示す決済日時情報とを受け付ける決済処理情報受付手段と、
上記決済処理情報受付手段が、上記購入情報および決済日時情報を受け付けると、携帯通信装置に対して提供するサービス利用情報を選択するサービス利用情報選択手段と、
上記サービス利用情報選択手段によって選択されたサービス利用情報を上記店舗端末に送信するサービス利用情報送信手段とを備えることを特徴とする請求項１０に記載のサービス提供サーバ。
【請求項１６】
携帯通信装置との間で商品購入代金に係る決済処理を行う店舗端末であって、
上記携帯通信装置による商品購入に関する情報である購入情報と、上記決済処理を行った決済日時に関する情報とを、サービスを提供するサービス提供サーバに送信する決済処理情報送信手段と、
上記決済処理情報送信手段により送信された上記購入情報および決済日時に関する情報に応じて、上記サービス提供サーバより送信された、該サービス提供サーバに対してサービスの提供を要求するための情報であるサービス利用情報を受信するサービス利用情報受信手段と、
サービス利用情報受信手段によって受信したサービス利用情報を、画像データに格納して携帯通信装置に送信するサービス利用情報送信手段とを備えることを特徴とする店舗端末。
【請求項１７】
携帯通信装置との間で商品購入代金に係る決済処理を行う店舗端末であって、
上記携帯通信装置に対してサービスを提供するサービスの提供先のアドレスを記憶する提供先記憶装置と、
上記携帯通信装置による商品購入に関する情報である購入情報と、上記決済処理を行った決済日時に関する情報とを取得する決済処理情報取得手段と、
上記決済処理情報取得手段によって、上記購入情報が取得されると、上記提供先記憶装置に記憶された上記アドレスを画像データに格納して、サービス利用情報として携帯通信装置に送信するサービス利用情報送信手段と、
上記決済処理情報取得手段によって取得した上記購入情報と、上記サービス利用情報として携帯通信装置に送信したサービスの提供先のアドレスとを、上記サービスの提供先を管理するサービス提供サーバに通知する通知手段とを備えることを特徴とする店舗端末。
【手続補正書】
【提出日】平成22年6月8日(2010.6.8)
【手続補正１】
【補正対象書類名】明細書
【補正対象項目名】全文
【補正方法】変更
【補正の内容】
【発明の詳細な説明】
【技術分野】
【０００１】
本発明は、携帯通信装置から再生装置を介してサービス提供サーバに行ったサービスの利用要求に応じて、このサービス提供サーバからサービスの提供を受けるシステムに関するものである。
【背景技術】
【０００２】
近年、デジタルカメラ付き携帯電話機の普及に伴い、画像データを利用する機会が増えてきている。例えば、上記携帯電話機により画像データを取得し、この画像データを表示装置で表示したり、取得した画像データをプリンタで印刷したりするなど、画像データの活用範囲も広がっている。
【０００３】
さらにまた、ＱＲコード（登録商標）等の２次元コードを利用したＵＲＬ（Uniform Resource Locator）の告知サービスなどが行われるようになってきている。すなわち、携帯電話機のカメラ機能によってＱＲコードの画像データを取得し、該画像データを解析することにより、ＱＲコードに埋め込まれたＵＲＬ等の情報を取得することができる。さらには、最近では、画像にＵＲＬなどのデータを埋め込み、該画像の画像データから埋め込まれた情報を取得することができる技術も開発されている。
【０００４】
また、装置間における、無線通信による画像データの転送技術も普及している。例えば、無線通信により画像データを転送するためのプロトコルとしては、ＩｒＳｉｍｐｌｅ（登録商標）のような高速赤外線通信プロトコルや、Ｂｌｕｅｔｏｏｔｈ（登録商標）のような近距離用無線通信プロトコルなどが挙げられる。さらにはまた、例えば、ＩｒＤＡなど赤外線を利用した近距離のデータ通信などもある。このような通信プロトコルを利用して、携帯電話機により取得した画像データあるいは、ＵＲＬ等の情報を含む画像データを表示装置に容易に送信することができるようになっている。
【０００５】
また、携帯電話機の普及に伴い、映像データや画像データ等のコンテンツを、該コンテンツを管理しているサーバから受信し利用する機会も増えてきた。このようなコンテンツを、該コンテンツの利用許可が認められたユーザの携帯電話機にのみ配信できるようにするために、サーバは、コンテンツ配信時に、携帯電話機のユーザに対して認証処理を行う。そして、サーバは、認証が許可されたユーザの携帯電話機にのみコンテンツを配信する。
【０００６】
ところで、認証処理には上記ユーザの個人情報等、第３者に知られたくない情報を携帯電話機から上記サーバに送信する必要がある。しかしながら、携帯電話機からサーバにこれら個人情報等を送信するにあたり、情報の盗聴などの危険に曝されるおそれがある。そこで、送信する情報を暗号化することが考えられる。
【０００７】
このような情報の暗号化、該暗号化された情報の復号に関する技術として特許文献１（特開２００２−３６６４４２号公報：２００２年１２月２０日公開）のデータ端末装置が開示されている。すなわち、特許文献１では、暗号化コンテンツデータと、暗号化コンテンツデータを復号するためのライセンス鍵を含むライセンスとをデータ記録装置から取得し、コンテンツデータを復号および再生するデータ端末装置が開示されている。
【０００８】
さらにまたこのデータ端末装置では、コンテンツの再生機能を証明する機能証明書をデータ記録装置へ送信し、機能証明書によって証明される機能が、ライセンスに含まれる再生制御情報に対応する場合、データ記録装置から暗号化コンテンツデータおよびライセンスを受信する構成である。このため、ライセンス鍵を管理する側のデータ記録装置では、データ端末装置による、コンテテンツデータに対する再生制限の実施を確認することができる。
【０００９】
しかしながら、上記従来の構成では、携帯通信装置から受信したコンテンツ要求情報により、再生装置が、該コンテンツを管理する管理サーバからコンテンツの提供を受ける場合に、管理サーバは、この再生装置がコンテンツの正規の提供先であるか否か確認することができないという問題が生じる。
【００１０】
例えば、特定のＷＥＢサイト等から受信した画像データ等のコンテンツを表示させる場合、携帯通信装置ではその表示画面が小さいため、画面に表示された画像に対する視認性が悪くなる。そこで、この携帯通信装置よりも大きな表示画面を有する再生装置に上記ＷＥＢサイトの画像データを送信させ、該画像データを表示させるといったシステムが考えられる。
【００１１】
ところで、特定のＷＥＢサイトから配信されるコンテンツは、上述のように、コンテンツの利用が認められたユーザが所持する装置に対してのみ提供される。そこで、ＷＥＢサイトの管理サーバと上記コンテンツの取得を所望する装置との間にて認証処理を行うためのデータのやり取りが発生する。ところが、テレビ等の再生装置では、管理サーバとの間で認証処理に係るデータのやり取りを行うことができないため、この再生装置が上記管理サーバから直接コンテンツを提供してもらうことができない。
【発明の概要】
【発明が解決しようとする課題】
【００１２】
本発明は、上記の問題点に鑑みてなされたものであり、その目的は、携帯通信装置から受信したサービス利用情報により、該サービスを提供するサービス提供サーバからサービスの提供を受け、該サービスを利用する場合に、このサービス利用装置がサービスの正規の提供先であるかサービス提供サーバに確認させることができる、携帯通信装置、サービス提供サーバ、および店舗端末を実現することにある。
【課題を解決するための手段】
【００１３】
本発明に係る携帯通信装置は、サービスを提供するサービス提供サーバからサービスの提供を受けることが許可されている携帯通信装置であって、上記サービス提供サーバは、提供するサービスの利用許可対象を識別する情報として、当該携帯通信装置または当該携帯通信装置の所有者に割り当てられた識別情報を登録しており、上記サービス提供サーバに対してサービスの提供を要求するための情報であるサービス利用情報を取得する取得手段と、上記識別情報を記憶する識別情報記憶装置と、上記取得手段により取得したサービス利用情報を、上記サービス提供サーバと接続され、このサービス提供サーバより提供されるサービスを利用するサービス利用装置に送信する時点の時刻である送信時刻を計測する第１計時部と、上記取得手段により取得したサービス利用情報と、上記識別情報記憶装置に記憶された識別情報と、上記第１計時部にて計測された送信時刻の情報である送信時刻情報とを、画像データ内に含めてサービス利用装置に送信するための送信用画像データを作成する送信用データ作成手段と、上記送信用データ作成手段により作成された送信用画像データを上記サービス利用装置に送信する第２送信手段とを備えることを特徴とする。
【００１４】
本発明に係るサービス提供サーバは、サービスを提供するサービス提供サーバであって、提供する上記サービスの利用許可対象として携帯通信装置またはその所有者を識別する識別情報を記憶する識別情報記憶装置と、上記サービスを利用するためのサービス利用装置から、サービスの提供を要求するための情報であるサービス利用情報とともに、上記識別情報、および上記携帯通信装置から上記サービス利用装置に対してサービス利用情報を送信した時点を示す送信時刻情報を受信した場合、その受信した時点での時刻情報である受信時刻情報を計測する第２計時部と、受信した識別情報、および上記送信時刻情報と上記受信時刻情報との差分に基づき、受信したサービス利用情報の正当性を判断する判断手段と、上記判断手段により受信したサービス利用情報が正当であると判断された場合、サービス利用装置に提供すべきサービスを決定する提供サービス決定手段とを備え、上記判断手段は、受信した識別情報が、識別情報記憶装置に記憶されており、上記送信時刻情報と上記受信時刻情報との差分が所定の範囲内であると確認した場合、受信したサービス利用情報が正当であると判断することを特徴とする。
【００１５】
本発明に係る店舗端末は、携帯通信装置との間で商品購入代金に係る決済処理を行う店舗端末であって、上記携帯通信装置による商品購入に関する情報である購入情報と、上記決済処理を行った決済日時に関する情報とを、サービスを提供するサービス提供サーバに送信する決済処理情報送信手段と、上記決済処理情報送信手段により送信された上記購入情報および決済日時に関する情報に応じて、上記サービス提供サーバより送信された、該サービス提供サーバに対してサービスの提供を要求するための情報であるサービス利用情報を受信するサービス利用情報受信手段と、サービス利用情報受信手段によって受信したサービス利用情報を、画像データに格納して携帯通信装置に送信するサービス利用情報送信手段とを備えることを特徴とする。
【００１６】
本発明に係る店舗端末は、携帯通信装置との間で商品購入代金に係る決済処理を行う店舗端末であって、上記携帯通信装置に対してサービスを提供するサービスの提供元のアドレスを記憶するサービス提供元記憶装置と、上記携帯通信装置による商品購入に関する情報である購入情報と、上記決済処理を行った決済日時に関する情報とを取得する決済処理情報取得手段と、上記決済処理情報取得手段によって、上記購入情報が取得されると、上記サービス提供元記憶装置に記憶された上記アドレスを画像データに格納して、サービス利用情報として携帯通信装置に送信するサービス利用情報送信手段と、上記決済処理情報取得手段によって取得した上記購入情報と、上記サービス利用情報として携帯通信装置に送信したサービスの提供元のアドレスとを、上記サービスの提供元を管理するサービス提供サーバに通知する通知手段とを備えることを特徴とする。
【００１７】
本発明のさらに他の目的、特徴、および優れた点は、以下に示す記載によって十分に理解されるであろう。また、本発明の利益は、添付図面を参照した次の説明で明白になるであろう。
【図面の簡単な説明】
【００１８】
【図１】本発明の実施形態を示すものであり、情報配信システムの概略構成を示す図である。
【図２】本実施の形態に係る携帯通信装置の外観形状の一例を示す斜視図である。
【図３】本実施の形態に係る携帯通信装置の外観形状の一例を示す斜視図である。
【図４】本実施の形態に係る送信用データのデータ構造を概略的に示した図である。
【図５】本発明の実施形態を示すものであり、携帯通信装置の要部構成を示すブロック図である。
【図６】本発明の実施形態を示すものであり、携帯通信装置のソフトウェア構成を説明するブロック図である。
【図７】携帯通信装置からサービス提供サーバに至るまでの正規の送信経路と、該情報が盗聴された不正な送信経路との対比例を示す図である。
【図８】本発明の実施形態を示すものであり、再生装置のハードウェア構成を示すブロック図である。
【図９】本発明の実施形態を示すものであり、再生装置のソフトウェア構成を示すブロック図である。
【図１０】本発明の実施形態を示すものであり、サービス提供サーバの要部構成を示すブロック図である。
【図１１】本発明の実施形態を示すものであり、招待状情報リストの一例を示す図である。
【図１２】本発明の実施形態を示すものであり、利用者リストの一例を示す図である。
【図１３】本発明に係る実施形態を示すものであり、情報配信システムにおける、サービス提供処理の事前処理に関する情報の流れを説明する図である。
【図１４】本発明に係る実施形態を示すものであり、情報配信システムにおけるサービス提供処理の処理フローを示すフローチャートである。
【図１５】本発明の実施形態を示すものであり、サービス提供サーバにおける、検証処理に関する処理フローを示すフローチャートである。
【図１６】本発明に係る実施形態における実施例１を示すものであり、情報配信システムの概略構成を説明する図である。
【図１７】本発明に係る実施形態における実施例２を示すものであり、情報配信システムの概略構成を説明する図である。
【図１８】本発明に係る実施形態における実施例３を示すものであり、情報配信システムの概略構成を説明する図である。
【図１９】本発明の実施形態における実施例３を示すものであり、携帯通信装置におけるクーポン（招待状情報）の取得処理の一例を説明する処理フロー図である。
【図２０】本発明の実施形態における実施例３を示すものであり、携帯通信装置におけるクーポン（招待状情報）の取得処理の一例を説明する処理フロー図である。
【図２１】本発明の実施形態における実施例３を示すものであり、携帯通信装置におけるクーポン（招待状情報）の取得処理の一例を説明する処理フロー図である。
【発明を実施するための形態】
【００１９】
本発明の一実施形態について図１ないし図２１に基づいて説明すると以下の通りである。すなわち、本実施の形態に係る情報配信システム１００は、図１に示すように、携帯通信装置１、再生装置２、およびサービス提供サーバ（管理サーバ）３を備えてなる構成である。図１は、本発明の実施形態を示すものであり、情報配信システム１００の概略構成を示す図である。
【００２０】
携帯通信装置１は、基地局を介して、他の携帯通信装置と通信を確立したり、通信ネットワークに接続し特定のＷＥＢサイト（コンテンツ）５４にアクセスしたりすることができるものである。この携帯通信装置１は、例えば、携帯電話機、ＰＤＡ（Personal Digital(Data) Assistants）等によって実現できる。
【００２１】
上記携帯通信装置１の外観形状は、図２に示すように、基地局と通信を確立するためのアンテナ２１、通話時に音声を出力するスピーカ２２、通話時に音声が入力されるマイク２３、各種情報が表示される表示部２４、および各種情報を入力する操作部２５を備えている。また、携帯通信装置１の筐体において、表示部２４が備えられている面とは反対側の面には、図３に示すように撮像部（画像取得部）２６、および赤外線通信部２７をさらに備えている。なお、図２および図３は、本実施の形態に係る携帯通信装置１の外観形状の一例を示す斜視図である。
【００２２】
また、この携帯通信装置１は、後述するが、特定のＷＥＢサイト５４へのＵＲＬ（所在情報）および該ＷＥＢサイト５４により提供されるサービスを識別するサービスＩＤとを含む招待状情報（サービス利用情報）５１をサービス提供サーバ３から取得し、該招待状情報５１を画像データに埋め込み、赤外線通信部２７により送信用データ１０１として再生装置２に送信することができるものでもある。この送信用データ１０１は、後述するがＪＰＥＧ形式やＴＩＦＦ形式などの一般的なフォーマットを有する通常の画像データであるが、再生装置２が実行するべき処理や、アクセスすべきＵＲＬ等を指定した処理指定情報を内包している。そして、再生装置２は、携帯通信装置１からこの送信用データ１０１を受信すると、この送信用データ１０１に格納されている処理指定情報により指定された処理を、該データを受信した時点で直ちに実行するように構成されている。
【００２３】
また、上記赤外線通信部２７は、上記招待状情報５１を含む画像データの再生装置２への送信は、ＩｒＳＳ（登録商標）により実行する。なお、このＩｒＳＳは、ＩｒＳｉｍｐｌｅ（登録商標）１．０準拠の片方向通信を行うための高速赤外線通信プロトコルである。このため、携帯通信装置１は、この送信用データ１０１を再生装置２に対して高速で送信することができる。
【００２４】
ところで、携帯通信装置１における上記招待状情報５１の取得方法としては、例えば、下記の方法が挙げられる。すなわち、特定のＷＥＢサイト５４へのアクセスを管理しているサービス提供サーバ３に対して、招待状情報５１の送信を要求し取得する方法、携帯通信装置１により現在閲覧しているＷＥＢサイト５４のＵＲＬを招待状情報５１とし取得する方法、携帯通信装置１が備える撮像部２６により、ＱＲコード（登録商標）等の２次元コードの画像を撮影し、該２次元コードから招待状情報５１を取得する方法、特定の場所において招待状情報５１を発信しているリーダ／ライタから、この招待状情報５１を取得する方法等である。
【００２５】
なお、これ以降では、まず携帯通信装置１は、サービス提供サーバ３に対して、招待状情報５１の送信を要求し、該招待状情報５１を取得するものとして説明し、その他の取得方法については後段において実施例１〜３として説明する。
【００２６】
上記再生装置２は、携帯通信装置１から受信した招待状情報５１に含まれるＵＲＬによって指定されるＷＥＢサイト５４へのアクセスを、該サイトを管理するサービス提供サーバ３に要求するものである。また、再生装置２は、このＷＥＢサイト５４へのアクセス要求が許可された場合、ＷＥＢサイト５４から提供される情報を取得し再生するものでもある。再生装置２は、例えば、デジタル画像データを表示可能とするとともに、サービス提供サーバ３と通信可能な表示装置によって実現できる。
【００２７】
サービス提供サーバ３は、自身が管理するＷＥＢサイト５４に、正規ユーザが所持する端末からのアクセス要求があった場合に、該端末からのＷＥＢサイト５４へのアクセスを許可するサーバである。すなわち、本実施の形態に係る情報配信システム１００において、サービス提供サーバ３から提供されるサービスとは、特定のユーザに対してのみ特定のＷＥＢサイト５４の情報を取得できるようにすることである。しかしながら、サービス提供サーバ３により提供されるサービスはこれに限定されるものではなく、サービス提供サーバ３が映像データまたは音楽データ等のコンテンツデータを保持しており、該コンテンツデータを提供するものであってもよい。なお、サービス提供サーバ３による、ＷＥＢサイト５４へのアクセスの可否についての検証処理の詳細は後述する。
【００２８】
（送信用データ）
まず、上述した携帯通信装置１から再生装置２に送信される送信用データ１０１のデータ構造について、図４に基づいて説明する。図４は、送信用データ１０１のデータ構造を概略的に示した図である。図４に示したように、送信用データ１０１は、概略的に言えば、画像領域５１０と、ＥＸＩＦ領域５２０とを含んで構成された、ＪＰＥＧ形式の画像データである。
【００２９】
画像領域５１０は、表示すべき画像情報を圧縮して格納するための領域である。一方、ＥＸＩＦ情報５２０は、画像領域５１０に格納された画像情報に関するメタ情報を格納するための領域である。このＥＸＩＦ領域５２０には、デジタルカメラなどの製造メーカが仕様を自由に定めて利用することができる、メーカノート領域５２１が含まれている。また、ＥＸＩＦ領域５２０には、画像領域５１０に格納されている主画像を縮小してなるサムネイル画像を格納するためのサムネイル画像領域５２２が含まれている。
【００３０】
なお、画像領域５１０やサムネイル画像領域５２２には、メーカノート領域５２１に格納されている情報の内容を象徴した、いわゆるアイコン画像も格納されていてもよい。携帯通信装置１において、送信用データ１０１の内容を表示させる場合、このアイコンにより該送信用データ１０１に格納されている処理が何であるかということをユーザに提示することが可能になる。
【００３１】
（携帯通信装置のハードウェア構成）
ここで、図５を参照して上記した携帯通信装置１のハードウェア構成について説明をする。図５は、本発明の実施形態を示すものであり、携帯通信装置１の要部構成を示すブロック図である。
【００３２】
図５に示すように携帯通信装置１は、アンテナ２１、スピーカ２２、マイク２３、表示部２４、操作部２５、撮像部２６、および赤外線通信部２７に加えて、無線部２８、通信制御部２９、信号処理部３０、画像処理部３１、第１メモリ３２、表示ドライバ３３、第２メモリ３４、主制御部３５、計時部（第１計時部）３６、ＩＣカード接続部３７、非接触ＩＣ接続部３９を備えてなる構成である。また、本実施の形態に係る携帯通信装置１では、このＩＣカード接続部３７を介して、ＩＣカード（識別情報記憶装置）３８と接続され、非接触ＩＣ接続部３９を介して、非接触ＩＣ４５と接続する構成である。
【００３３】
上記ＩＣカード３８は、当該携帯通信装置１において利用される電話番号を特定する固有ＩＤが記録されたものであり、いわゆる、ＳＩＭカード（シムカード、Subscriber Identity Module Card）である。主制御部３５からの制御指示の下、ＩＣカード接続部３７を介してこのＩＣカード３８から上記固有ＩＤを取得し、該固有ＩＤを携帯通信装置１の識別情報４０として取得する。
【００３４】
上記非接触ＩＣ４５は、例えば、後述するリーダ／ライタから電波を受信すると、該電波により起動し、非接触ＩＣ接続部３９を介して受信した電波に基づく情報を主制御部３５に送信するものである。このように、本実施の形態に係る携帯通信装置１は、非接触ＩＣ４５と接続されているため、上記リーダ／ライタの近傍に当該携帯通信装置１を配置するだけで、該リーダ／ライタから送信される情報を取得することができる。このため、上記リーダ／ライタが携帯通信装置１に対する商品購入の決済を行うためのものとして店内に備えられている場合、携帯通信装置１はこのリーダ／ライタとの間で各種情報のやり取りを行い、商品購入に係る決済処理を行う決済機能を有する。
【００３５】
上記第１メモリ３２は、バッファ的な役割を果たすものであり、第２メモリ３４は、フラッシュメモリのように恒久的にデータを蓄積する役割を果たすものである。なお、携帯通信装置１の記憶装置である第１メモリ３２および第２メモリ３４は、携帯通信装置１の仕様に応じて構成を適宜変更可能であり、例えば、一体として設けてもよい。第２メモリ３４は、携帯通信装置１が取得した招待状情報５１・・・および当該携帯通信装置１の正規ユーザであることを証明するユーザ証明書５２を記憶している。なお、この招待状情報５１は後述する招待状情報５１の申請処理によりサービス提供サーバ３から取得できるようになっており、上記ユーザ証明書５２は、後述する証明書発行処理により証明書発行サーバから取得できるようになっている。
【００３６】
そして、このように構成された携帯通信装置１は、以下のようにして、通話機能、カメラ機能、およびコード読み取り機能などを実行することができる。
【００３７】
まず、携帯通信装置１では、通信制御部２９による送受信制御のもとに、無線部２８がアンテナ２１を介して基地局（不図示）との信号の送受信を行い、信号処理部３０が無線部２８で送受信される信号に所定の信号処理を施す。これによって、携帯通信装置１では、基地局を介して相手側装置から送信されてくる音声をスピーカ２２から出力したり、マイク２３から入力される音声を、基地局を介して相手側装置に送信したりする、いわゆる通話機能が実現されている。
【００３８】
また、携帯通信装置１は、ＣＣＤ（charge coupled device）やＣＭＯＳによって構成された撮像部２６を備えており、カメラ起動指示を操作部２５が受け付けると、該指示に応じて、画像処理部３１が撮像部２６を起動させ画像を撮影させる。このように画像を撮影すると、画像処理部３１によって露出，画質などを調整した後、撮影結果を第１メモリ３２に格納し、表示部２４に画像をプレビュー表示するようになっている。そして、このプレビュー表示の状態で操作部２５により該画像の保存指示を受け付けるとこの画像を第２メモリ３４に格納するようになっている。すなわち、このような動作によって、携帯通信装置１ではいわゆるカメラ機能が実現されている。
【００３９】
また、携帯通信装置１は、上述したカメラ起動指示ではなく、ＱＲコード等のコード読み取り指示を操作部２５が受け付けた場合も、上記と同様に撮像部２６を起動させ、表示部２４に画像をプレビュー表示する。そして、コードの読み取り開始指示を、操作部２５を介して受け付けると、撮像部２６により取得したコードの画像データを主制御部１９が解析し、その解析結果を第１メモリ３２に一時格納する。このようにして撮影したコードの画像解析結果が第１メモリ３２に格納されると、主制御部３５からの指示に応じて表示ドライバ３３がこの解析結果を読み出し表示部２４に表示させる。
【００４０】
このように、本実施の形態に係る携帯通信装置１は、表示部２４において、ＱＲコード等の２次元コードして記録された情報を表示させることができる。すなわち上記した処理によって、本実施の形態に係る携帯通信装置１は、いわゆるコード読み取り機能を実現することができる。
【００４１】
また、携帯通信装置１は、計時部３６を備えており、これにより各種動作が実行された時間を取得することができる。
【００４２】
なお、上記した携帯通信装置１が備える各部は、主制御部３５からの制御指示により各種処理を実行するように構成されている。
【００４３】
（携帯通信装置のソフトウェア構成）
上記した携帯通信装置１の招待状情報５１の転送処理に関するソフトウェア構成について図６を参照して説明する。図６は、本発明の実施形態を示すものであり、携帯通信装置１のソフトウェア構成を説明するブロック図である。図６に示すように携帯通信装置１は、機能ブロックとして、招待状情報取得部（取得手段）４１、招待状情報選択部４２、送信用データ作成部（送信用データ作成手段）４３、および招待状情報送信部４４を備えてなる構成である。なお、これら機能ブロックは、主制御部３５が例えばＣＰＵ等によって実現される場合、このＣＰＵが第２メモリ３４に記憶されたプログラムを第１メモリ３２に読み出し、実行することにより実現される。
【００４４】
上記招待状情報取得部４１は、画像処理部３１、非接触ＩＣ接続部３９、または通信制御部２９を介して招待状情報５１を取得するものである。例えば、携帯通信装置１により所定のサービス提供サーバ３から招待状情報５１を取得する場合は、アンテナ２１、無線部２８、および通信制御部２９を介して招待状情報５１を取得する。一方、ＱＲコード等、印刷された２次元コードから招待状情報５１を取得する場合は、撮像部２６および画像処理部３１を介して招待状情報５１を取得する。さらには、店舗先にて招待状情報５１の発行を受ける場合は、該招待状情報５１を発行するリーダ／ライタから、非接触ＩＣ（情報取得部）４５が招待状情報５１を受信する。そして、非接触ＩＣ４５から非接触ＩＣ接続部３９を介して主制御部３５が招待状情報５１を受信する。なお、招待状情報取得部４１と画像処理部３１、招待状情報取得部４１と非接触ＩＣ接続部３９、あるいは招待状情報取得部４１と通信制御部２９により本発明の取得手段を実現する。
【００４５】
招待状情報選択部４２は、第２メモリ３４から再生装置２に送信すべき招待状情報５１を選択するものである。すなわち、招待状情報選択部４２は、操作部２５から招待状情報５１の再生装置２への送信指示を受け付けると、第２メモリ３４から、ユーザが送信を所望する招待状情報５１を選択し読み出す。そして、読み出した招待状情報５１を送信用データ作成部４３に送信する。
【００４６】
送信用データ作成部４３は、招待状情報選択部４２から受信した招待状情報５１を含めて、赤外線通信部２７を介して再生装置２に送信する送信用データ１０１を作成するものである。すなわち、招待状情報送信部４４は、招待状情報選択部４２から送信すべき招待状情報５１を受信すると、該招待状情報５１と、ＩＣカード接続部３７を介してＩＣカード３８から取得した識別情報４０と、計時部３６から取得した送信指示時刻（送信時刻情報）５０とを含む送信用データ１０１を作成する。
【００４７】
ここで、上記送信用データ１０１に上記送信指示時刻５０を含めるのは以下に示すような識別情報４０等の盗聴、あるいは、なりすまし等を防止するためである。すなわち、本実施の形態に係る情報配信システム１００では、携帯通信装置１が取得した招待状情報５１とともに識別情報４０等を再生装置２に送信し、この再生装置２がこの識別情報４０等をサービス提供サーバ３との間で確立した送信経路によって情報を伝達させる。
【００４８】
ここで、図７に示すように招待状情報５１および携帯通信装置１の識別情報４０等が、携帯通信装置１および再生装置２間、再生装置２およびサービス提供サーバ３間で盗聴される可能性がある。さらには、盗んだ情報を使って、他の携帯通信装置３０１が他の再生装置３０２を経由してサービス提供サーバ３にＷＥＢサイト５４情報を要求する可能性もある。図７は、携帯通信装置１からサービス提供サーバ３に至るまでの正規の送信経路と、該情報が盗聴された不正な送信経路との対比例を示す図である。
【００４９】
そこで、本実施の形態に係る携帯通信装置１は、招待状情報５１や識別情報４０を再生装置２に送信するにあたり、この送信の指示を行った時の時刻を含めて送信する。このため、最終的には、サービス提供サーバ３は、携帯通信装置１から識別情報４０等が送信されてから当該サービス提供サーバ３に到達するまでどのくらいの時間を経過したか把握することができる。
【００５０】
そして、この経過時間が大きい、つまり携帯通信装置１による、識別情報４０等の送信指示時刻５０と、サービス提供サーバ３における上記識別情報４０等の受信時時刻との差が閾値よりも大きい場合、この識別情報４０等の情報が通信経路途中で他の携帯通信装置３０１により盗まれたものであると判断することができる。
【００５１】
さらにまた、本実施の形態に係る携帯通信装置１は、識別情報４０等の送信データに対する安全性を向上させるために、これら送信データに電子署名（署名情報）を付すように構成されている。
【００５２】
具体的には、発行されたユーザ証明書５２には秘密鍵が含まれており、該秘密鍵により赤外線通信部２７から再生装置２に送信する情報の暗号化を行う。つまり、携帯通信装置１は、再生装置２に画像データに含めて送信する情報（識別情報４０、送信指示時刻５０等）からハッシュ値を生成する。そして、生成したハッシュ値を元にして、秘密鍵により暗号化を行い、電子署名を作成する。そして、再生装置２に送信する情報とともにこの電子署名を送信し、送信した情報の正当性を示す。
【００５３】
（再生装置のハードウェア構成）
次に、再生装置２のハードウェア構成について図８を参照して説明する。図８は、本発明の実施形態を示すものであり、再生装置のハードウェア構成を示すブロック図である。
【００５４】
本実施の形態に係る再生装置２は、図８に示すように、再生装置赤外線通信部（第１受信手段）６０、通信インターフェース６１、再生装置通信制御部（第１送信手段）６２、再生装置表示制御部６３、再生装置表示部６４、再生装置第１メモリ６５、および再生装置第２メモリ６６、再生装置主制御部６７を備えてなる構成である。
【００５５】
上記再生装置赤外線通信部６０は、再生装置主制御部６７からの制御指示に応じて、ＩｒＳＳにより送信された画像データ（送信用データ１０１）を受信し、該再生装置２において利用可能な形式にデータを変換させるものである。例えば、ＩｒＳＳで送信された送信用データ１０１を再生装置２において表示させる場合、受信した送信用データ１０１を再生装置表示部６４において表示可能とするデータ形式に変換する。
【００５６】
通信インターフェース６１は、他の装置と通信ネットワークを通じて接続できるようにインターフェースを提供するものである。より具体的には、本実施の形態に係る再生装置２では、再生装置通信制御部６２からの制御指示に応じて、通信インターフェース６１が通信ネットワークを通じてサービス提供サーバ３との接続を確立させることができる。
【００５７】
再生装置表示制御部６３は、再生装置主制御部６７からの指示に応じて、再生装置表示部６４に画像等を表示させるものである。なお、再生装置表示部６４の表示画面は、携帯通信装置１が備える表示部２４の表示画面よりもその縦横サイズが大きいものとする。
【００５８】
再生装置第１メモリ６５は、バッファ的な役割を果たすものであり、再生装置第２メモリ６６は、フラッシュメモリのように恒久的にデータを蓄積する役割を果たすものである。なお、再生装置２の記憶装置である再生装置第１メモリ６５および再生装置第２メモリ６６は、再生装置２の仕様に応じて構成を適宜変更可能であり、例えば、一体として設けてもよい。
【００５９】
（再生装置のソフトウェア構成）
次に、図９を参照して上記したハードウェア構成を有する再生装置２のソフトウェア構成について説明する。図９は、本発明の実施形態を示すものであり、再生装置２のソフトウェア構成を示すブロック図である。
【００６０】
図９に示すように、再生装置２における再生装置主制御部６７は、機能ブロックとして、データ受信部（第１受信手段）７０、データ解析部（確認手段）７１、接続先決定部（第１送信手段）７２、および表示データ受信部７３を備えてなる構成である。
【００６１】
データ受信部７０は、再生装置赤外線通信部６０を介して受信した送信用データ１０１を受け付けるものである。より具体的には、携帯通信装置１から画像データの形式で送信用データ１０１が送信されると、再生装置赤外線通信部６０が該送信用データ１０１を受信し、再生装置２において処理できる形式に変換する。この変換された送信用データ１０１をデータ受信部７０が受信する。そして、データ解析部７１に対して受信した送信用データ１０１に含まれる情報について確認するように指示する。なお、このデータ受信部７０と再生装置赤外線通信部６０とによって本発明の第１受信手段を実現する。
【００６２】
データ解析部７１は、データ受信部７０からの指示に応じて、送信用データ１０１に含まれる情報を確認するものである。より具体的には、送信用データ１０１のＥＸＩＦ領域５２０におけるメーカノート領域５２１に、電子署名が付加された識別情報４０および送信指示時刻５０が記録されている。さらには、招待状情報５１に含まれるＵＲＬの情報が記録されている。そこで、データ解析部７１は、これらの情報がメーカノート領域５２１に記録されているか確認し、上記ＵＲＬによって特定されるＷＥＢサイト５４への接続を要求するように接続先決定部７２に指示する。また、このときデータ解析部７１は、確認した、電子署名が付与された識別情報４０および送信指示時刻５０と、招待状情報５１とを接続先決定部７２に渡す。そして、データ解析部７１は、接続先決定部７２に対して、ＷＥＢサイト５４へのアクセス要求とともに、これらの情報をサービス提供サーバ３に送信するように指示する。
【００６３】
接続先決定部７２は、データ解析部７１から受信した招待状情報５１に含まれるＵＲＬからアクセス先のＷＥＢサイト５４を決定するとともに、該データ解析部７１から受信した識別情報４０、送信指示時刻５０、および招待状情報５１を、アクセス先となるＷＥＢサイト５４を管理しているサービス提供サーバ３に送信するように再生装置通信制御部６２を制御するものである。なお、この接続先決定部７２と再生装置通信制御部６２とによって本発明の第１送信手段を実現する。
【００６４】
表示データ受信部７３は、再生装置通信制御部６２を介してアクセス先のＷＥＢサイト５４のデータを受信すると、このデータを再生装置表示制御部６３に送信し、データの表示を指示するものである。
【００６５】
（サービス提供サーバの構成）
次に図１０、１１、および１２を参照してサービス提供サーバ３の構成について説明する。図１０は、本発明の実施形態を示すものであり、サービス提供サーバ３の要部構成を示すブロック図である。サービス提供サーバ３は、通信ネットワークを通じて、他の装置との通信のインターフェースを提供するサーバ通信インターフェース８０、該サーバ通信インターフェース８０を制御し、他の装置との通信を確立するサーバ通信制御部８１、読み書き可能な記憶媒体であるサーバ記憶装置（識別情報記憶装置・コンテンツ要求情報記憶装置）８２、サービス提供サーバ３が備える各部の各種制御を行うサーバ主制御部８３、サービス提供サーバ３における所望のタイミングでの時刻を計測するサーバ計時部（第２計時部）８４を備えてなる構成である。
【００６６】
上記サーバ記憶装置８２には、ＷＥＢサイト５４のＵＲＬおよびサービスＩＤを示す招待状情報リスト５５、正規ユーザからの、招待状情報５１に基づくアクセスの場合に提供するＷＥＢサイト５４、招待状情報５１の発行の申請を行った際に携帯通信装置１のユーザが登録した個人情報である利用者リスト（識別情報）５３が記憶されている。
【００６７】
上記招待状情報リスト５５は、招待状情報５１を管理するリストであり、図１１に示すように、招待状情報５１として、ＷＥＢサイト５４によるサービスの内容を識別するサービスＩＤと、該ＷＥＢサイト５４のＵＲＬとが対応づけられて記録されている。
【００６８】
上記利用者リスト５３は、招待状情報５１の利用申請を行ったユーザの情報を管理するリストであり、図１２に示すように、利用申請を受けた携帯通信装置１ごとに、該携帯通信装置１の識別情報、メールアドレス、所有者名、所有者住所、電話番号を記録している。さらにこれらの情報に、招待状情報５１の送付履歴を示す情報を対応づけて記録している。なお、招待状情報５１の送付履歴を示す情報とは、例えば、招待状情報５１により提供するサービスを識別するサービスＩＤと、招待状情報５１の送信日時との対応関係を示す情報である。図１１は、本発明の実施形態を示すものであり、招待状情報リスト５５の一例を示す図である。図１２は、本発明の実施形態を示すものであり、利用者リスト５３の一例を示す図である。
【００６９】
また、サーバ主制御部８３は、機能ブロックとして登録処理部９１、発行処理部９２、認証処理部（判断手段）９３、およびＷＥＢ処理部（送信決定手段）９４を備えてなる構成である。これら機能ブロックは、例えば、サーバ主制御部８３がＣＰＵによって実現される場合、該ＣＰＵが不図示のＲＯＭから不図示のＲＡＭにプログラムを読み出し実行することにより実現される。
【００７０】
登録処理部９１は、携帯通信装置１から受け付けた招待状情報５１の利用申請に応じて、利用者リスト５３を作成するものである。登録処理部９１は、利用者リスト５３を作成すると、発行処理部９２に、招待状情報５１の発行を指示する。
【００７１】
発行処理部９２は、登録処理部９１からの指示に応じて、招待状情報５１を携帯通信装置１に送信するものである。発行処理部９２は、招待状情報５１を招待状情報リスト５５から選択し、サーバ通信制御部８１に渡すとともに、招待状情報５１を携帯通信装置１に送信するように指示する。また、発行処理部９２は、招待状情報リスト５５から選択した招待状情報５１のサービスＩＤ、および招待状情報５１を発行した日時を招待状送付履歴として利用者リスト５３を記録する。
【００７２】
認証処理部９３は、ＷＥＢサイト５４へのアクセスを要求する再生装置２から受信した、電子署名が付与された識別情報４０および送信指示時刻５０と、招待状情報５１と、これら情報を受信した受信時刻とに基づき、再生装置２のアクセス要求が、ＷＥＢサイト５４の情報の利用が許可されたユーザからの要求に基づくものであるか検証するものである。検証の結果、利用が許可されたユーザからの要求に基づくものであると判定すると、ＷＥＢ処理部９４に対して、ＷＥＢサイト５４の情報をサーバ記憶装置８２から読み出し、サーバ通信制御部８１を制御して上記再生装置２に送信するように指示する。
【００７３】
ＷＥＢ処理部９４は、認証処理部９３からの指示に応じて、再生装置２にＷＥＢサイト５４を提供するものである。具体的には、認証処理部９３からの指示に応じて、ＷＥＢ処理部９４は、サーバ記憶装置８２からＷＥＢサイト５４を読み出し、サーバ通信制御部８１を制御して再生装置２にＷＥＢサイト５４の情報を送信する。
【００７４】
（サービス提供処理の事前処理）
本実施の形態に係る情報配信システム（コンテンツ配信システム）１００は、携帯通信装置１から受信した、招待状情報５１が埋め込まれた画像データに基づき、再生装置２が該招待状情報５１により特定されるＷＥＢサイト５４にアクセスし、サービスの提供を受ける、サービス提供処理を実行するものである。
【００７５】
このサービス提供処理を実行するにあたり、その事前処理として、携帯通信装置１は、図１３に示すように下記の処理を実行する。図１３は、本発明に係る実施形態を示すものであり、情報配信システム１００における、サービス提供処理の事前処理に関する情報の流れを説明する図である。
【００７６】
まず、携帯通信装置１は、証明書の発行を証明書発行サーバ４に申請する証明書発行処理を実行する。そして、携帯通信装置１は、サービス提供サーバ３により提供されるサービスの利用申請を行う利用申請処理を実行し、サービスの提供を受けるために必要となる招待状情報５１の利用申請を行う利用申請処理を実行する。
【００７７】
すなわち、上記証明書発行処理では、上記携帯通信装置１は、証明書発行サーバ４と通信を確立する。そして、携帯通信装置１は、この証明書発行サーバ４に対して証明書の発行を申請し、該証明書発行サーバ４から証明書の発行を受ける。なお、この発行された証明書には携帯通信装置１にて電子署名を作成する際に利用する秘密鍵が含まれている。
【００７８】
次に、上記利用申請処理では、携帯通信装置１は、操作部２５により受け付けたユーザからの利用申請指示に応じて、招待状情報取得部４１が通信制御部２９に指示してサービス提供サーバ３との通信を確立させる。そして、サービス提供サーバ３に対して、招待状情報取得部４１は、該サービス提供サーバ３により提供されるサービスの利用許可を求める利用申請を要求する情報を送信する。この要求時に携帯通信装置１では、招待状情報取得部４１が発行を受けた上記証明書を合わせて送信するように構成されている。
【００７９】
さらには、サービス提供サーバ３に対して携帯通信装置１のユーザ登録も行うように構成されている。具体的には、このユーザ登録において携帯通信装置１では、招待状情報取得部４１が以下の情報をサービス提供サーバ３に送信する。
【００８０】
すなわち、携帯通信装置１では、招待状情報取得部４１がＩＣカード３８から取得した識別情報４０、携帯通信装置１に割り当てら得ているメールアドレスをサービス提供サーバ３に送信する。さらに、携帯通信装置１の所有者名（契約者名）、該所有者の住所、電話番号等の個人情報も合わせて送信してもよい。これらの個人情報は、例えば、サービス提供サーバ３から入力フォーマットを受信し、該入力フォーマットに操作部２５を操作して記録することでサービス提供サーバ３に通知することができる。
【００８１】
このように、携帯通信装置１により利用申請処理が実行されると、サービス提供サーバ３は、サービスの利用を所望する携帯通信装置１から受信した上記識別情報４０等を利用者リスト５３として記憶する。具体的には、上述したように、利用者リスト５３は、利用申請を受けた携帯通信装置１ごとに、該携帯通信装置１の識別情報４０、メールアドレス、所有者名、所有者住所、電話番号を記録している。さらにこれらの情報に、招待状情報５１の送付履歴を示す情報を対応づけて記録している。なお、招待状情報５１の送付履歴を示す情報とは、例えば、招待状情報５１により提供するサービスを識別するサービスＩＤと、招待状情報５１の送信日時との対応関係を示す情報である。
【００８２】
上記のようにサービス提供サーバ３は、利用者リスト５３を保持しているため、サービスの提供を受けるためにアクセスが要求された場合、この要求とともに送信されたユーザの識別情報４０に基づき、すでに利用申請されたユーザからのアクセス要求か否か確認することができる。
【００８３】
また、招待状情報５１の送付履歴も対応づけて記録しているため、サービス提供サーバ３は、どの携帯通信装置１のユーザにどのような招待状情報５１をいつ送信したのか、把握することができる。このため、サービス提供サーバ３は、携帯通信装置１に対して重複して同じ招待状情報５１を送信することを防止したり、携帯通信装置１の利用者の嗜好に応じたサービスを提供するＷＥＢサイト５４のＵＲＬを選択して送信したりすることができる。
【００８４】
次に、携帯通信装置１がサービス提供サーバ３に対して招待状情報５１の送信要求を行う招待状申請処理を実行する。すなわち、携帯通信装置１は、サービス提供サーバ３との通信を確立させ、ユーザ証明書とともに、招待状情報５１の送信を要求する指示情報（招待状情報送信要求）を送信する。この携帯通信装置１から受け付けた上記招待状情報送信要求に応じて、サービス提供サーバ３は、該招待状情報送信要求の送信先である携帯通信装置１のユーザが利用者リスト情報に登録されているか否か確認する。ここで、上記ユーザが登録されていると判定した場合、サービス提供サーバ３は招待状情報５１の発行を許可し、携帯通信装置１に招待状情報５１を送信する。携帯通信装置１は、サービス提供サーバ３から招待状情報５１が送信されると、該招待状情報５１を第２メモリ３４に記憶する。なお、サービス提供サーバ３は、この招待状情報５１を、画像データに特定のＷＥＢサイト５４のＵＲＬが組み込まれた形として携帯通信装置１に送信する。
【００８５】
以上が、本実施の形態に係る情報配信システム１００におけるサービス提供処理の事前処理である。このように事前処理がなされていることを前提に、以下において本実施の形態に係る情報配信システム１００におけるサービス提供処理を、図１４を参照して説明する。図１４は、本発明に係る実施形態を示すものであり、情報配信システム１００におけるサービス提供処理の処理フローを示すフローチャートである。
【００８６】
（サービス提供処理）
まず、携帯通信装置１において、再生装置２に送信する招待状情報５１の送信用データ１０１を作成する（ステップＳ１１、これ以降Ｓ１１と称する）。すなわち、携帯通信装置１は、サービス提供サーバ３から招待状情報５１を受信すると、携帯通信装置１のユーザから、該招待状情報５１を再生装置２に送信する旨を示す指示情報を操作部２５が受け付ける。そして、操作部２５は、受け付けた指示情報を招待状情報選択部４２に送信する。
【００８７】
招待状情報選択部４２は、上記指示情報を受信すると、第２メモリ３４から招待状情報５１を読み出し、送信用データ作成部４３に渡す。なお、第２メモリ３４において複数の招待状情報５１・・・が記憶されている場合、どの招待状情報５１を選択すべきか操作部２５から入力されるようになっている。このため、招待状情報選択部４２は、操作部２５から入力された招待状情報５１の選択指示に基づき、所望の招待状情報５１を選択し、第２メモリ３４から読み出すことができる。なお、第２メモリ３４において、画像データのメーカノート領域５２１に招待状情報５１が記録された状態で記憶されており、招待状情報選択部４２はこの画像データを読み出す。
【００８８】
送信用データ作成部４３は、招待状情報選択部４２から招待状情報５１を受信すると、ＩＣカード接続部３７を介してＩＣカード３８から携帯通信装置１の識別情報４０を取得する。また、計時部３６に指示して現在の時刻、すなわち携帯通信装置１からの招待状情報送信時の時刻を取得する。そして、上記「サービス提供処理の事前処理」において発行を受けたユーザ証明書から秘密鍵を取り出し、上記識別情報４０および時刻からハッシュ値を作成する。そして、送信用データ作成部４３は、作成したハッシュ値を元に取り出した秘密鍵で暗号化して電子署名を作成する。
【００８９】
そして、送信用データ作成部４３は、上記画像データのメーカノート領域５２１にさらに電子署名を付した上記識別情報４０および送信指示時刻５０をさらに記録し、再生装置２に送信するための送信用データ１０１を作成する。送信用データ作成部４３は、このようにして送信用データ１０１を作成すると、該送信用データ１０１を招待状情報送信部４４に渡し、再生装置２へ送信するように指示する。
【００９０】
招待状情報送信部４４は、送信用データ作成部４３からの指示に応じて、受信した送信用データ１０１をＩｒＳＳで送信可能な形式に変換し、赤外線通信部２７を制御して再生装置２に送信させる（Ｓ１２）。
【００９１】
一方、再生装置２では、携帯通信装置１から送信用データ１０１を再生装置赤外線通信部６０が受信する（Ｓ１３）。そして再生装置赤外線通信部６０は、受信したこの送信用データ１０１をデータ受信部７０に渡す。データ受信部７０は、再生装置赤外線通信部６０を介して携帯通信装置１から送信用データ１０１を受信すると該送信用データ１０１を解析するようにデータ解析部７１に指示する。
【００９２】
データ解析部７１は、データ受信部７０からの指示に応じて、受信した送信用データ１０１のメーカノート領域５２１に記録されている情報を確認する（Ｓ１４）。すなわち、データ解析部７１は、受信した送信用データ１０１のメーカノート領域５２１に、招待状情報５１として取得した特定のＷＥＢサイト５４のＵＲＬ、電子署名が付与された識別情報４０および送信指示時刻５０が含まれているか確認する。なお、上記ＵＲＬは、汎用的に利用できるものではなく特定の付加情報が付与されており、同一のＵＲＬが存在しないようになっている。
【００９３】
データ解析部７１が、携帯通信装置１から受信した送信用データ１０１に上記ＵＲＬ、識別情報４０、および送信指示時刻５０が含まれていることを確認すると、このＵＲＬ先にアクセスするように接続先決定部７２に指示する。また、データ解析部７１は、この指示とともに、電子署名が付与された識別情報４０および送信指示時刻５０と、招待状情報５１とを送信するように接続先決定部７２に指示する。
【００９４】
このデータ解析部７１からの指示に応じて、接続先決定部７２は、上記ＵＲＬ先との通信を確立するように再生装置通信制御部６２に指示する。再生装置通信制御部６２は、接続先決定部７２からの指示に応じて、通信インターフェース６１を介してＵＲＬ先にアクセスし、電子署名が付与された識別情報４０および送信指示時刻５０と、招待状情報５１とを送信する（Ｓ１５）。
【００９５】
なお、上記にて送信する招待状情報５１の代わりに、ＵＲＬに付加情報としてサービスＩＤが特定できる情報が含まれているならば、この付加情報を含むＵＲＬを送信する構成であってもよい。
【００９６】
一方、サービス提供サーバ３では、サーバ通信インターフェース８０を介してサーバ通信制御部８１が、再生装置２から電子署名が付与された識別情報４０および送信指示時刻５０と、招待状情報５１とを受信する（Ｓ１７）。そして、サーバ通信制御部８１は、これらの情報を認証処理部９３に送信する。
【００９７】
認証処理部９３は、サーバ通信制御部８１から電子署名が付与された識別情報４０および送信指示時刻５０と、招待状情報５１とを受信すると、これらの情報に基づき、ＷＥＢサイト５４へのアクセス要求が利用者リスト５３に登録されたユーザからの指示に基づくものであるか否か検証する（Ｓ１８）。なお、この検証に関する処理の詳細は後述する。
【００９８】
検証の結果、ＷＥＢサイト５４へのアクセスを求めるユーザが、利用者リスト５３に登録されており、識別情報４０と送信指示時刻５０とからＷＥＢサイト５４の提供先として有効であると認証処理部９３が判断すると（Ｓ１９において「ＹＥＳ」）、この認証処理部９３は、ＷＥＢサイト５４へのアクセスを要求した装置（ここでは、再生装置２）に対するサービスの提供、すなわちＷＥＢサイト５４の情報の提供を許可する（Ｓ２０）。そして、認証処理部９３は、ＷＥＢ処理部９４に対して、招待状情報５１を送信する。一方、ステップＳ１９において、認証処理部９３が有効ではないと判断した場合（Ｓ１９において「ＮＯ］）は、サービス提供処理を終了する。
【００９９】
ＷＥＢ処理部９４は、認証処理部９３から招待状情報５１を受信すると該情報に基づき、ＷＥＢサイト５４の情報を読見出し再生装置２に送信する（Ｓ２１）。
【０１００】
再生装置２では、再生装置通信制御部６２を介して表示データ受信部７３がサービス提供サーバ３からＷＥＢサイト５４の情報を受信すると、この情報に基づく表示を行うように再生装置表示制御部６３に指示する。このようにして、再生装置２では、サービス提供サーバ３から提供されたＷＥＢサイト５４の情報を再生装置表示部６４に表示させることができる。
【０１０１】
（検証処理）
ここで、上記したステップＳ１８における検証処理の詳細な説明を、図１５を参照して説明する。図１５は、本発明の実施形態を示すものであり、サービス提供サーバ３における、検証処理に関する処理フローを示すフローチャートである。
【０１０２】
まず、認証処理部９３は、再生装置２から受信した識別情報４０と送信指示時刻５０とからハッシュ値（ハッシュ値Ａ）を作成する（Ｓ３１）。次に、認証処理部９３は、電子署名を公開鍵で復号しハッシュ値（ハッシュ値Ｂ）を取得する（Ｓ３２）。そして、認証処理部９３は、ハッシュ値Ａとハッシュ値Ｂとを比較し一致するか確認する（Ｓ３３）。ここで一致しない場合（Ｓ３３において「ＮＯ」）は、認証処理部９３は、ＷＥＢサイト５４へのアクセス要求を行っている装置は、サービスの提供先として有効ではない（無効である）と判断する（Ｓ４１）。
【０１０３】
一方、ステップＳ３３において「ＹＥＳ」の場合、認証処理部９３は、サーバ計時部８４に対して、識別情報４０および送信指示時刻５０と、招待状情報５１とを受信した時刻（受信時刻）を問い合わせ、受信時刻を取得する（Ｓ３４）。このように、受信時刻を取得すると、認証処理部９３は、受信した送信指示時刻５０との差分を計算し、両者の差が閾値以下であるか、閾値（１０秒）より大きいかを確認する（Ｓ３５）。なお、本実施の形態に係るサービス提供サーバ３では、この閾値を１０秒として設定しているが、これに限定されるものではない。携帯通信装置１から送信された情報が再生装置２を介してサービス提供サーバ３に到達するまでに必要となる時間に応じて適宜設定される。
【０１０４】
送信指示時刻５０と受信時刻との差が閾値（１０秒）よりも大きくなる場合（ステップＳ３５において「ＮＯ」）、認証処理部９３は、ＷＥＢサイト５４へのアクセス要求を行っている装置は、サービスの提供先として有効ではない（無効である）と判断する（Ｓ４１）。
【０１０５】
一方、送信指示時刻５０と受信時刻との差が閾値以下となる場合（ステップＳ３５において「ＹＥＳ」）、認証処理部９３は、受信した識別情報４０が利用者リスト５３に存在するか否か照会する（Ｓ３６）。そして、この識別情報４０が利用者リスト５３に登録されていない場合（Ｓ３７において「ＮＯ」）、認証処理部９３は、ＷＥＢサイト５４へのアクセス要求を行っている装置は、サービスの提供先として有効ではない（無効である）と判断する（Ｓ４１）。
【０１０６】
一方、上記識別情報４０が利用者リスト５３に登録されている場合（Ｓ３７において「ＹＥＳ」）、認証処理部９３は、利用者リスト５３から該識別情報４０に対応するサービスＩＤを取得する（Ｓ３８）。そして、認証処理部９３は、この取得したサービスＩＤと、再生装置２から受信した招待状情報５１に含まれるサービスＩＤとが一致するか否か判定する（Ｓ３９）。
【０１０７】
上記認証処理部９３は、この取得したサービスＩＤと、再生装置２から受信した招待状情報５１に含まれるサービスＩＤとが一致しない場合（ステップＳ３９において「ＮＯ」）、認証処理部９３は、ＷＥＢサイト５４へのアクセス要求を行っている装置は、サービスの提供先として有効ではない（無効である）と判断する（Ｓ４１）。
【０１０８】
一方、上記認証処理部９３は、この取得したサービスＩＤと、再生装置２から受信した招待状情報５１に含まれるサービスＩＤとが一致する場合（ステップＳ３９において「ＹＥＳ」）、認証処理部９３は、ＷＥＢサイト５４へのアクセス要求を行っている装置は、サービスの提供先として有効であると判断する（Ｓ４０）。
【０１０９】
なお、上記ステップＳ４１において、認証処理部９３が、ＷＥＢサイト５４へのアクセス要求を行っている装置は、サービスの提供先として有効ではない（無効である）と判断した場合、サービス提供サーバ３は、再生装置２および携帯通信装置１のうち少なくともいずれか一方に、サービスの提供先として無効である旨の通知を送信する。そして、この通知に応じて、再生装置２または携帯通信装置１は、「このサービスの利用許可がありません」といった利用不可を示すコメントをダイアログ表示するように構成されている。
【０１１０】
以上のように本実施の形態に係る情報配信システム１００では、携帯通信装置１が、招待状情報５１に加えて、サービス提供サーバ３において事前に登録した当該携帯通信装置１のユーザの識別情報４０と招待状情報５１の送信指示時刻５０とを再生装置２に送信する構成であった。そして、再生装置２は、招待状情報５１に含まれるＵＲＬへのアクセスを行う際にこの識別情報４０および送信指示時刻５０を、サービス提供サーバ３に送信する構成であった。
【０１１１】
このため、サービス提供サーバ３は、上記識別情報４０に基づき、再生装置２から受信したＷＥＢサイト５４へのアクセス要求が、該ＷＥＢサイト５４の利用が認められたユーザからのものであるのか否か確認することができる。また、このアクセス要求のために再生装置２から送信された識別情報４０が、通信経路中で盗聴されたものでないか、送信時刻情報に基づき判断することができる。
【０１１２】
したがって、本実施の形態に係る情報配信システム１００では、サービス提供サーバ３に対してＷＥＢサイト５４へのアクセス要求を行った再生装置２がＷＥＢサイト５４の情報を利用できる正規の情報提供先であるか否か確認することができる。さらにまた、再生装置２からサービス提供サーバ３に対して行ったＷＥＢサイト５４へのアクセス要求が、盗聴された識別情報４０に基づき行われたものであるか否か判断することもできる。
【０１１３】
さらにまた、利用者リスト５３から取得した、正当性が確認された識別情報４０に対応するサービスＩＤと、再生装置２から受信した招待状情報５１に含まれるサービスＩＤとが一致するか否かにより、認証処理部９３がサービスの提供先の有効性を判断する構成でもある。このため、本実施の形態に係る情報配信システム１００では再生装置２から受信した招待状情報５１の正当性を確認することができる。
【０１１４】
このように招待状情報５１の正当性を確認することができるため、サービス提供サーバ３と携帯通信装置１との間において、招待状情報５１が盗まれる可能性もあるが、この間に行われる招待状情報５１の不正取得に対しても対処できる。
【０１１５】
また、画像データ内に招待状情報５１、識別情報４０、および送信指示時刻５０を記録するため、この画像データが盗まれた場合であっても、該画像データ内に記録された上記招待状情報５１、識別情報４０、および送信指示時刻５０の存在に気づかれないことがある。このため、招待状情報５１、識別情報４０、および送信指示時刻５０をそのまま送信する場合と比較して、盗聴された際にこれら情報が不正に利用される可能性を低減させることができる。
【０１１６】
また、上記した構成を有する情報配信システム１００は、以下の実施例１〜３で示すように、その適用例においていくつかのバリエーションが存在する。そこで、以下では実施例１〜３について説明する。
【実施例１】
【０１１７】
上述した情報配信システム１００における携帯通信装置１は、サービス提供サーバ３に招待状情報５１の発行を申請し、該招待状情報５１を取得する構成であった。そして、携帯通信装置１は、この招待状情報５１を再生装置２に送信し、再生装置２は、招待状情報５１に含まれるＵＲＬ先へのアクセスを要求する構成であった。
【０１１８】
しかしながら、図１６に示すように、携帯通信装置１にて閲覧しているＷＥＢサイト５４の画像を、サービス提供サーバ３から再生装置２に送信させ、再生装置２にてこの画像を表示するように利用することもできる。図１６は、本発明に係る実施形態における実施例１を示すものであり、情報配信システム１００の概略構成を説明する図である。
【０１１９】
なお、この場合においても上記したように携帯通信装置１は、上述の「サービス提供処理の事前処理」を行っているものとする。
【０１２０】
より具体的には、図１６に示すように、携帯通信装置１は、サービス提供サーバ３から配信されたＷＥＢサイト５４を閲覧中に、このＷＥＢサイト５４のＵＲＬを取得する。すなわち、携帯通信装置１がサービス提供サーバ３と接続を確立し、該サービス提供サーバ３により管理されているＷＥＢサイト５４を閲覧している状態で、操作部２５からＵＲＬの取得指示が入力される。この取得指示に応じて、招待状情報取得部４１が通信制御部２９を介して、閲覧しているＷＥＢサイト５４のＵＲＬと該ＷＥＢサイト５４のスナップショット画像データをサービス提供サーバ３から取得する。このようにＵＲＬとスナップショット画像データを取得すると、招待状情報取得部４１は、これらの情報を招待状情報５１として第２メモリ３４に記憶する。
【０１２１】
そして、操作部２５が招待状情報５１の再生装置２への送信指示を受け付けると、招待状情報選択部４２が第２メモリから招待状情報５１として記録しているＵＲＬとスナップショット画像データを読み出し、送信用データ作成部４３に送信する。送信用データ作成部４３は、招待状情報選択部４２から受信したＵＲＬを、スナップショット画像データのメーカノート領域５２１に記録する。さらに送信用データ作成部４３は、ＩＣカード接続部３７を介してＩＣカード３８から受信した識別情報４０と、計時部３６に問い合わせた時刻（送信指示時刻５０）とから、ユーザ証明書５２から読み出した秘密鍵を使って電子署名を作成する。そして、この作成した電子署名を上記識別情報４０および送信指示時刻５０に付与して上記メーカノート領域５２１に記録する。このようにして送信用データ１０１を作成すると、招待状情報送信部４４に渡し、赤外線通信部２７から再生装置２に送信される。
【０１２２】
再生装置２では送信用データ１０１を受信すると、送信用データ１０１において含まれているＵＲＬ先と再生装置２は接続を確立させ、送信用データ１０１に含まれる識別情報と送信指示時刻５０とをサービス提供サーバ３に送信する。なお、この再生装置２からサービス提供サーバ３への情報の送信は、上述した「サービス提供処理」と同様にして再生装置２により実行されるため詳細な説明は省略する。
【０１２３】
サービス提供サーバ３は、再生装置２から電子署名を付与した識別情報４０と送信指示時刻５０とに基づき、上記「検証処理」とほぼ同様にして再生装置２からのアクセスが、正規ユーザからの要求に基づくものであるか検証する。すなわち、この検証処理は、図１５に示すステップＳ３１〜Ｓ３７まで同じであり、ステップＳ３７において「ＹＥＳ」の場合、ステップＳ３８に進まずにステップＳ４０に進む点でのみ異なる。このため、検証処理の詳細な説明はここでは省略する。
【０１２４】
そして、サービス提供サーバ３は、この検証処理において、再生装置２からのアクセスが正規ユーザからの要求に基づくものであると判定すると、ＵＲＬによって示されたＷＥＢサイト５４の画像データを、再生装置表示部６４において好適に表示できる画像データに修正して、再生装置２に送信する。
【０１２５】
このように上記携帯通信装置１から上記送信用データ１０１を再生装置２に送信することにより、情報配信システム１００では、携帯通信装置１の小さい表示画面でみていたＷＥＢサイト５４の画像を、再生装置表示部６４の大きな表示画面で表示させることができる。
【０１２６】
なお、上記では、閲覧しているＷＥＢサイト５４のＵＲＬと該ＷＥＢサイト５４のスナップショット画像データとから携帯通信装置１が招待状情報５１を作成する構成であった。しかしながら、スナップショット画像データの代わりに、閲覧中のＷＥＢサイト５４が含む画像データのうちいずれかを選択し、この選択した画像データと上記ＵＲＬとから招待状情報５１を作成する構成としてもよい。
【実施例２】
【０１２７】
次に、携帯通信装置１が、サービス提供サーバ３から招待状情報５１を取得するのではなく、図１７に示すように、広告の紙等に印刷された２次元バーコード（例えばＱＲコード）を撮影し、この撮影画像から招待状情報５１を取得する構成とすることもできる。図１７は、本発明に係る実施形態における実施例２を示すものであり、情報配信システム１００の概略構成を説明する図である。
【０１２８】
なお、この場合も前提として予め「サービス提供処理の事前処理」を実行しているものとする。
【０１２９】
すなわち、操作部２５が招待状情報５１の取得指示を受け付けると、招待状情報取得部４１が、画像処理部３１に指示して、撮像部２６を稼動させて２次元バーコードが印字されている箇所の画像データを取得する。撮像部２６により取得した画像データは画像処理部３１を介して招待状情報取得部４１が取得する。そして、招待状情報取得部４１は、取得した画像データを解析し、ＷＥＢサイト５４のＵＲＬを取得する。そして、招待状情報取得部４１は、取得したＵＲＬを招待状情報５１として第２メモリ３４に記録させる。またこのＵＲＬに撮像部２６により撮影した２次元バーコードの画像データを対応づけて記憶させる。
【０１３０】
次に、操作部２５が招待状情報５１の再生装置２への送信指示を受け付けると、招待状情報選択部４２が、招待状情報（ＵＲＬ）５１と二次元コードの画像データとを第２メモリ３４から読みだし、送信用データ作成部４３に送信する。一方、送信用データ作成部４３は、２次元コードの画像データのメーカノート領域５２１に招待状情報５１を記録する。また、送信用データ作成部４３は、さらに、ＩＣカード接続部３７を介して受信した識別情報４０と計時部３６に問い合わせて取得した送信指示時における時刻情報（送信指示時刻５０）とから、ユーザ証明書５２から読みだした秘密鍵を使って電子署名を作成する。そして、この電子署名を識別情報４０および送信指示時刻５０に付与して２次元コードの画像データのメーカノート領域５２１に記録する。このようにして送信用データ１０１を作成すると、送信用データ作成部４３は作成した送信用データ１０１を招待状情報送信部４４に渡し赤外線通信部２７により再生装置２に送信させる。
【０１３１】
なお、これ以降の再生装置２およびサービス提供サーバ３において実行される処理は、上述のサービス提供処理および検証処理と同様であるため説明は省略する。
【０１３２】
また、上記では、２次元バーコードの画像データのメーカノート領域５２１に招待状情報５１、電子署名を付与した識別情報４０および送信指示時刻５０を記録する構成であったがこれに限定されるものではない。２次元バーコードの画像データの代わりに該２次元バーコードとともに印刷されていた写真の画像データ、あるいはユーザが別途撮影した任意の画像データであってもよい。
【実施例３】
【０１３３】
また、実施例２のように２次元コードから招待状情報（ＵＲＬ）５１を取得するのではなく、携帯通信装置１が備える非接触ＩＣ４５によって決済を行う際に、リーダ／ライタから決済に係る各種情報とともに招待状情報５１を受信する構成とすることもできる。なお、この構成の場合も予め上述した「サービス提供処理の事前処理」で説明したように、携帯通信装置１のユーザは、サービス提供サーバ３に対して利用申請処理を予め実行しているものとする。
【０１３４】
すなわち、図１８に示すように、携帯通信装置１を所持するユーザが実際のお店（リアルショップ）を訪れ、商品を購入する。商品購入に際して、ユーザは携帯通信装置１が有する決済機能を使って購入代金を支払う。この決済機能を実行する際に、携帯通信装置１は、リーダ／ライタから招待状情報５１として、ネット上に構築されたバーチャル店舗での買い物に利用できるクーポン（招待状情報５１）を取得する。図１８は、本発明に係る実施形態における実施例３を示すものであり、情報配信システム１００の概略構成を説明する図である。
【０１３５】
より具体的には、図１９に示すように携帯通信装置１と、リーダ／ライタを備えた店舗端末５と、バーチャル店舗を管理するサービス提供サーバ３との間においてクーポン取得に関して以下のように各種情報が交換される。図１９は、本発明の実施形態における実施例３を示すものであり、携帯通信装置１におけるクーポン（招待状情報５１）の取得処理の一例を説明する処理フロー図である。
【０１３６】
まず、ユーザが商品を購入する際、携帯通信装置１をリーダ／ライタの近傍に配置させ、携帯通信装置１と店舗端末５との間で商品購入代金に係る決済処理を行う（Ｓ１０１）。この決済処理により店舗端末５が携帯通信装置１から取得した各種情報は不図示の決済機関の決済処理サーバに送信される。
【０１３７】
また、店舗端末５は、上記携帯通信装置１から取得した各種情報のうち、携帯通信装置１のユーザの商品購入に関する情報である購入情報として、携帯通信装置１の識別情報４０、購入品名（商品コード）、および決済日時を、バーチャルショップを管理するサービス提供サーバ３に送信する（Ｓ１０２）。サービス提供サーバ３は、店舗端末５から受信した購入情報に登録処理部９１が識別子（サービスＩＤ）を付与してサーバ記憶装置８２に記憶する（Ｓ１０３）とともに、この付与したサービスＩＤを、発行処理部９２がサーバ通信制御部８１に指示して店舗端末５に送信させる（Ｓ１０４）。
【０１３８】
店舗端末５では、サービス提供サーバ３から受信したサービスＩＤと、サービス提供サーバが管理しているバーチャル店舗のＵＲＬとを、招待状情報５１として画像データのメーカノート領域５２１に記録する（Ｓ１０５）。そして、この招待状情報５１を含む画像データ（クーポン）をリーダ／ライタを介して携帯通信装置１に送信する（Ｓ１０６）。また、店舗端末５は、招待状情報５１として携帯通信装置１に提供したＵＲＬの情報をサービス提供サーバ３に通知する（Ｓ１０７）。サービス提供サーバ３は、店舗端末５から携帯通信装置１に提供したＵＲＬの情報を、サーバ通信制御部８１を介して登録処理部９１が受信すると、購入情報に付与したサービスＩＤと対応づけてサーバ記憶装置８２に記憶する（Ｓ１０８）。
【０１３９】
また、サービス提供サーバ３からのサービスＩＤの発行を必要としない場合は、図２０に示すように、携帯通信装置１と店舗端末５との間で決済処理を行った後、店舗端末５から携帯通信装置１に招待状情報５１を送信する構成とすることもできる。図２０は、本発明の実施形態における実施例３を示すものであり、携帯通信装置１におけるクーポン（招待状情報５１）の取得処理の一例を説明する処理フロー図である。
【０１４０】
より具体的には、ステップＳ１０１と同様に、携帯通信装置１と店舗端末５との間で、商品購入代金に係る決済処理を行う（Ｓ２０１）。また、店舗端末５は、決済処理において上記携帯通信装置１から取得した各種情報のうち、携帯通信装置１の識別情報４０、購入品名（商品コード）、および決済日時を、購入情報として自身が備える記憶装置（不図示）に記憶させる（Ｓ２０２）。また、この店舗端末５は、携帯通信装置１のユーザにサービスを提供するバーチャル店舗のＵＲＬを、予めこの記憶装置に記憶している。そこで、携帯通信装置１から購入情報を取得すると、上記ＵＲＬを記録した画像データ形式のクーポンを作成する（Ｓ２０３）。店舗端末５は、クーポンを作成すると携帯通信装置１にこのクーポンを送信する（Ｓ２０４）。このようにクーポンを送信すると、店舗端末５は、記憶装置に記憶した購入情報と携帯通信装置１に通知したＵＲＬの情報とをサービス提供サーバ３に送信する（Ｓ２０５）。
【０１４１】
サービス提供サーバ３は、店舗端末５から購入情報とＵＲＬとを受信するとサーバ記憶装置８２に記憶する。特に、受信した情報のうち、上記ＵＲＬについては、その情報と携帯通信装置１に送付した日時とを、利用者リスト５３の招待状送付履歴の項目に記録する。
【０１４２】
以上のように招待状情報５１として購入情報に割り当てたサービスＩＤを招待状情報５１として含める必要がない場合、招待状情報５１を店舗端末５から携帯通信装置１に送信した後に、購入情報等を店舗端末５からサービス提供サーバ３に送信する構成とすることができる。
【０１４３】
なお、クーポンの取得方法はこれに限定されるものではなく、例えば図２１に示すように、クーポンをサービス提供サーバ３において生成し、店舗端末５を介して携帯通信装置１に提供する構成とすることもできる。図２１は、本発明の実施形態における実施例３を示すものであり、携帯通信装置１におけるクーポン（招待状情報５１）の取得処理の一例を説明する処理フロー図である。
【０１４４】
すなわち、図２１に示すように、まず、ステップＳ１０１と同様にユーザが商品を購入する際、携帯通信装置１をリーダ／ライタの近傍に配置させ、携帯通信装置１と店舗端末５との間で商品購入代金に係る決済処理を行う（Ｓ３０１）。この決済処理により店舗端末５が携帯通信装置１から取得した各種情報は不図示の決済機関の決済処理サーバに送信される。
【０１４５】
店舗端末５は、上記携帯通信装置１から取得した各種情報のうち、携帯通信装置１の識別情報４０、購入品名（商品コード）、および決済日時を、バーチャルショップを管理するサービス提供サーバ３に購入情報として送信する（Ｓ３０２）。
【０１４６】
サービス提供サーバ３では、登録処理部９１が店舗端末５から受信した購入情報に識別子（サービスＩＤ）を付与してサーバ記憶装置８２に記憶する（Ｓ３０３）。そして、発行処理部９２が、上記サービスＩＤとともに、ＵＲＬの情報を、招待状情報５１として、画像データのメーカノート領域５２１に記録する。そして、発行処理部９２がこの画像データに招待状情報５１を含めたクーポンとして店舗端末５に送信する（Ｓ３０５）。
【０１４７】
店舗端末５は、サービス提供サーバ３からクーポンを受信すると、該クーポンを携帯通信装置１にリーダ／ライタを介して送信する。
【０１４８】
以上のようにして携帯通信装置１がクーポンを受信すると、該携帯通信装置１のユーザは、この携帯通信装置１を所持して自宅に戻る。そして、自宅にて、携帯通信装置１は、リアルショップにて取得したクーポンをＩｒＳＳによって再生装置２に送信する。クーポンを受信した再生装置２は、該クーポンに記録されているＵＲＬのバーチャル店舗にアクセスするために、このバーチャル店舗を管理しているサービス提供サーバ３に接続する。そして、サービス提供サーバ３から上記バーチャル店舗のＷＥＢサイト５４の情報を受信する。なお、携帯通信装置１から再生装置２がクーポン（招待状情報５１）を受信し、サービス提供サーバ３からサービスの提供を受けるまでの処理は、上述した「サービス提供処理」および「検証処理」と同様であるため、その説明は省略する。
【０１４９】
なお、本実施の形態に係る情報配信システム１００では、サービス提供サーバ３から特定のＷＥＢサイト５４の情報を、提供用サービスとして再生装置２が受信する構成であった。しかしながら、サービス提供サーバ３がサーバ記憶装置に映像や音楽等のコンテンツデータを保持しており、このコンテンツデータを再生装置２に提供する構成であってもよい。
【０１５０】
また、本実施の形態に係る携帯通信装置１では、主制御部３５からの制御指示の下、ＩＣカード接続部３７を介してこのＩＣカード３８から上記固有ＩＤを取得し、該固有ＩＤを携帯通信装置１の識別情報４０として取得する構成であった。しかしながら、この識別情報４０は携帯通信装置１の所有者を特定する情報であってもよい。また、識別情報４０が携帯通信装置１の所有者を特定するものである場合、この識別情報４０は操作部２５を操作してユーザにより入力され、第２メモリ３４に記憶されていてもよい。
【０１５１】
また、本実施の形態に係る携帯通信装置１は、上述した証明書発行処理により示したように、証明書発行サーバ４に対して証明書の発行を申請し、該証明書発行サーバ４から証明書の発行を受ける構成であった。また、この証明書に秘密鍵が含まれており、証明書の取得により該秘密鍵を入手する構成であった。
【０１５２】
しかしながら、秘密鍵の入手方法はこれに限定されるものではなく、工場出荷時に予めＩＣカード３８に秘密鍵が記録されていてもよい。このように構成される場合、証明書発行サーバ４により携帯通信装置１に対して発行される証明書は秘密鍵を含まないものとなる。
【０１５３】
さらには、携帯通信装置１は、上記証明書についても、上記秘密鍵と同様に工場出荷時に予めＩＣカード３８に記録されている構成であってもよい。このように予めＩＣカード３８に証明書が含まれている場合、上述した証明書発行処理は省略することができる。
【０１５４】
以上のように、本発明に係る再生装置、携帯通信装置、管理サーバ、コンテンツ配信システムは、下記の構成を備えるものと言える。
【０１５５】
本発明に係る再生装置は、以上のように、コンテンツを管理する管理サーバからコンテンツを受信し、該コンテンツを再生する再生装置であって、上記管理サーバは、コンテンツの利用が許可された携帯通信装置または所有者に関する識別情報を保持し、この識別情報により特定された携帯通信装置または所有者からの求めに応じてコンテンツを提供しており、上記管理サーバに対してコンテンツの送信を要求するための情報であるコンテンツ要求情報とともに、携帯通信装置または所有者を特定する識別情報、およびこの携帯通信装置からコンテンツ要求情報を送信した時点を示す送信時刻情報を、該携帯通信装置から受信する第１受信手段と、上記第１受信手段により受信したコンテンツ要求情報に基づき管理サーバとの接続を確立し、上記コンテンツ要求情報とともに上記識別情報および送信時刻情報を該管理サーバに送信する第１送信手段とを備える構成である。
【０１５６】
したがって、本発明に係る再生装置は、携帯通信装置から受信したコンテンツ要求情報により、該コンテンツを管理する管理サーバからコンテンツの提供を受ける場合に、この再生装置がコンテンツの正規の提供先であるか否か管理サーバに確認させることができるという効果を奏する。
【０１５７】
また、本発明に係る再生装置は、上記した構成において、上記第１受信手段は、上記コンテンツ要求情報、上記識別情報、および上記送信時刻情報を含む画像データを携帯通信装置から受信しており、上記コンテンツ要求情報には、上記管理サーバにより管理されているコンテンツの所在を示す所在情報が含まれており、上記画像データに含まれる上記コンテンツ要求情報、上記識別情報、および上記送信時刻情報を確認し、コンテンツ要求情報から上記所在情報を取得する確認手段をさらに備え、上記第１送信手段は、上記確認手段により取得した所在情報に基づき、管理サーバとの接続を確立するように構成されていてもよい。
【０１５８】
上記構成によると、確認手段を備えているため携帯通信装置から受信したコンテンツ要求情報から所在情報を取得し接続先を決定することができる。
【０１５９】
また、本発明に係る再生装置は、上記した構成において、上記第１受信手段によって受信された上記識別情報および上記送信時刻情報には、これらの情報の正当性を保証するための署名情報が付与されるように構成されていてもよい。
【０１６０】
上記した構成によると、識別情報および送信時刻情報に署名情報が付与されているため、送信用データに含まれる識別情報および送信時刻情報に対する信頼性を向上させることができる。
【０１６１】
また、本発明に係る携帯通信装置は、以上のように、コンテンツを管理する管理サーバにおいて、このコンテンツの利用許可対象として当該携帯通信装置または所有者を識別する識別情報が登録されている携帯通信装置であって、上記管理サーバに対してコンテンツの送信を要求するための情報であるコンテンツ要求情報を取得する取得手段と、上記識別情報を記憶する識別情報記憶装置と、上記取得手段により取得したコンテンツ要求情報を、上記コンテンツを再生するための再生装置に送信する時点の時刻である送信時刻を計測する第１計時部と、上記取得手段により取得したコンテンツ要求情報と、上記識別情報記憶装置に記憶された識別情報と、上記第１計時部にて計測された送信時刻の情報である送信時刻情報とに基づき、上記再生装置に送信するための送信用データを作成する送信用データ作成手段と、上記送信用データ作成手段によって作成した送信用データを再生装置に送信する第２送信手段とを備える構成である。
【０１６２】
したがって、本発明に係る携帯通信装置は、再生装置に送信したコンテンツ要求情報により、該再生装置がコンテンツを管理する管理サーバからコンテンツの提供を受けることができる正規の提供先であるか否か管理サーバに確認させることができるという効果を奏する。
【０１６３】
また、本発明に係る携帯通信装置は、上記した構成において、上記取得手段は、上記管理サーバに対して上記コンテンツ要求情報の送信を要求し、該管理サーバから該コンテンツ要求情報を取得する構成であってもよい。
【０１６４】
本発明に係る携帯通信装置は、上記した構成において、上記コンテンツ要求情報はその内容を示す識別コードとして物品に記録されており、上記物品に記録された識別コードの画像データを取得する画像取得部を備え、上記取得手段は、上記画像取得部によって取得された画像データを解析し、上記コンテンツ要求情報を取得する構成であってもよい。
【０１６５】
なお、上記物品は、例えば、用紙であってもよいし、壁や床、日常品であってもよい。すなわち、識別コードを印刷することができる媒体であればよい。また、この識別コードとしては、例えば、バーコードやＱＲコード等の２次元コード等を挙げることができる。
【０１６６】
また、本発明に係る携帯通信装置は、上記した構成において、上記コンテンツ要求情報を保持するコンテンツ要求情報保持装置と無線により通信を行い、該コンテンツ要求情報を取得する情報取得部を備え、上記取得手段は、上記情報取得部から上記コンテンツ要求情報を取得する構成であってもよい。
【０１６７】
また、本発明に係る携帯通信装置は、上記した構成において、上記送信用データ作成手段は、少なくとも上記識別情報および送信時刻情報に対して、これらの情報の正当性を保証するための署名情報を付与して上記送信用データを作成するように構成されていてもよい。
【０１６８】
送信用データ作成手段は、識別情報および送信時刻情報に署名情報を付与するため、送信用データに含まれる識別情報および送信時刻情報に対する信頼性を向上させることができる。
【０１６９】
また、本発明に係る携帯通信装置は、上記した構成において、上記送信用データ作成手段は、上記コンテンツ要求情報と、上記識別情報と、上記送信時刻情報とを、画像データに格納して上記送信用データを作成しており、上記第２送信手段は、上記送信用データ作成手段により送信用データとして作成された画像データを上記再生装置に送信するように構成されていてもよい。
【０１７０】
携帯通信装置は、画像データとして送信用データを再生装置に送信することができるため、例えば、コンテンツ要求情報が格納された画像データを受信した場合、この画像データに識別情報および送信時刻情報をさらに記録し、画像データの形式のまま再生装置に送信することができる。
【０１７１】
また、画像データ内にコンテンツ要求情報、識別情報、および送信時刻情報を記録するため、この画像データが盗まれた場合であっても、該画像データ内に記録された上記コンテンンツ要求情報、識別情報および送信時刻情報の存在に気づかれないことがある。このため、コンテンツ要求情報、識別情報、および送信時刻情報をそのまま送信する場合と比較して、盗聴された際にこれら情報が不正に利用される可能性を低減させることができる。
【０１７２】
本発明に係る管理サーバは、以上のように、コンテンツを管理する管理サーバであって、上記コンテンツの利用許可対象として携帯通信装置または所有者を識別する識別情報を記憶する識別情報記憶装置と、上記コンテンツを再生する再生装置から、コンテンツの送信を要求するための情報であるコンテンツ要求情報とともに、上記識別情報、および上記携帯通信装置から上記再生装置に対してコンテンツ要求情報を送信した時点を示す送信時刻情報を受信した場合、その受信した時点での時刻情報である受信時刻情報を計測する第２計時部と、受信した識別情報と、上記送信時刻情報と上記受信時刻情報との差分とに基づき、受信したコンテンツ要求情報の正当性を判断する判断手段と、上記判断手段により受信したコンテンツ要求情報が正当であると判断された場合、再生装置に送信すべきコンテンツを決定する送信決定手段とを備え、上記判断手段は、受信した識別情報が、識別情報記憶装置に記憶されていると確認するとともに、上記送信時刻情報と上記受信時刻情報との差分が所定の範囲内であると確認した場合、受信したコンテンツ要求情報が正当であると判断する構成である。
【０１７３】
したがって、本発明に係る管理サーバは、再生装置から受信したコンテンツ要求情報に応じて、コンテンツを再生装置に提供する場合に、管理サーバはこの再生装置がコンテンツの正規の提供先であるか否か確認することができるという効果を奏する。
【０１７４】
また、本発明に係る管理サーバは、上記した構成において、上記コンテンツ要求情報を記憶するコンテンツ要求情報記憶装置をさらに備え、上記判断手段は、受信した識別情報が、識別情報記憶装置に記憶されており、上記送信時刻情報と上記受信時刻情報との差分が所定の範囲内であり、かつ受信したコンテンツ要求情報がコンテンツ要求情報記憶装置に記憶されていると確認した場合、受信したコンテンツ要求情報が正当であると判断するように構成されていてもよい。
【０１７５】
上記構成によると、上記判断手段は、コンテンツ要求情報の正当性を、受信したコンテンツ要求情報が、コンテンツ要求情報記憶装置に記憶されているか否かも判断基準に加えて確認することができる。
【０１７６】
このため、本発明に係る管理サーバは、受信したコンテンツ要求情報の正当性について、さらに確度よく判断することができる。
【０１７７】
また、本発明に係る管理サーバは、上記した構成において、上記識別情報および上記送信時刻情報には、これらの情報の正当性を保証するための署名情報が付与されており、上記署名情報は、上記識別情報および上記送信時刻情報から生成したハッシュ値を上記携帯通信装置が保持する秘密鍵により暗号化し生成したものであり、上記判断手段は、受信した上記識別情報と上記送信時刻情報とから作成したハッシュ値と、上記署名情報を公開鍵で復号し、取得したハッシュ値とを比較し一致する場合に、受信した識別情報と、送信時刻情報と上記受信時刻情報との差分とに基づき、受信したコンテンツ要求情報の正当性を判断するように構成されていてもよい。
【０１７８】
上記した構成によると、識別情報および送信時刻情報に付与された署名情報の正当性を判断した上で、受信した識別情報と、送信時刻情報と上記受信時刻情報との差分とに基づき、受信したコンテンツ要求情報の正当性をさらに判断することができる。
【０１７９】
本発明に係るコンテンツ配信システムは、以上のように、コンテンツを管理する管理サーバからコンテンツを受信し、該コンテンツを再生する再生装置であって、上記管理サーバは、コンテンツの利用が許可された携帯通信装置または所有者に関する識別情報を保持し、この識別情報により特定された携帯通信装置または所有者からの求めに応じてコンテンツを提供しており、上記管理サーバに対してコンテンツの送信を要求するための情報であり、該管理サーバにより管理されているコンテンツの所在を示す所在情報を含むコンテンツ要求情報とともに、携帯通信装置または所有者を特定する識別情報、およびこの携帯通信装置からコンテンツ要求情報を送信した時点を示す送信時刻情報を、該携帯通信装置から受信する第１受信手段と、上記第１受信手段により受信したコンテンツ要求情報に基づき管理サーバとの接続を確立し、上記コンテンツ要求情報とともに上記識別情報および送信時刻情報を該管理サーバに送信する第１送信手段とを備える再生装置と、コンテンツを管理する管理サーバにおいて、このコンテンツの利用許可対象として当該携帯通信装置または所有者を識別する識別情報が登録されている携帯通信装置であって、上記管理サーバに対してコンテンツの送信を要求するための情報であるコンテンツ要求情報を取得する取得手段と、上記識別情報を記憶する識別情報記憶装置と、上記取得手段により取得したコンテンツ要求情報を、上記コンテンツを再生するための再生装置に送信する時点の時刻である送信時刻を計測する計時部と、上記取得手段により取得したコンテンツ要求情報と、上記識別情報記憶装置に記憶された識別情報と、上記計時部にて計測された送信時刻の情報である送信時刻情報とに基づき、上記再生装置に送信するための送信用データを作成する送信用データ作成手段と、上記送信用データ作成手段によって作成した送信用データを再生装置に送信する第２送信手段とを備える携帯通信装置と、コンテンツを管理する管理サーバであって、上記コンテンツの利用許可対象として携帯通信装置または所有者を識別する識別情報を記憶する識別情報記憶装置と、上記コンテンツを再生する再生装置から、コンテンツの送信を要求するための情報であるコンテンツ要求情報とともに、上記識別情報、および上記携帯通信装置から上記再生装置に対してコンテンツ要求情報を送信した時点を示す送信時刻情報を受信した場合、その受信した時点での時刻情報である受信時刻情報を計測する第２計時部と、受信した識別情報と、上記送信時刻情報と上記受信時刻情報との差分とに基づき、受信したコンテンツ要求情報の正当性を判断する判断手段と、上記判断手段により受信したコンテンツ要求情報が正当であると判断された場合、再生装置に送信すべきコンテンツを決定する送信決定手段とを備え、上記判断手段は、受信した識別情報が、識別情報記憶装置に記憶されていると確認するとともに、上記送信時刻情報と上記受信時刻情報との差分が所定の範囲内であると確認した場合、受信したコンテンツ要求情報が正当であると判断する管理サーバとを備える構成である。
【０１８０】
したがって、本発明に係るコンテンツ配信システムは、携帯通信装置から受信したコンテンツ要求情報を再生装置が管理サーバに送信した場合に、管理サーバがこのコンテンツ要求情報の正当性を判断して、再生装置がコンテンツの正規の提供先であるか否か確認することができるという効果を奏する。
【０１８１】
最後に、携帯通信装置１が有する各機能ブロック、再生装置２が有する各機能ブロック、ならびサービス提供サーバ３が有する各機能ブロックは、ハードウェアロジックによって構成してもよいし、次のようにＣＰＵを用いてソフトウェアによって実現してもよい。
【０１８２】
すなわち、携帯通信装置１、再生装置２、およびサービス提供サーバ３は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである携帯通信装置１、再生装置２、ならびにサービス提供サーバ３それぞれの制御プログラムのプログラムコードをコンピュータで読み取り可能に記録した記録媒体を、上記携帯通信装置１、再生装置２、およびサービス提供サーバ３それぞれに供給する。そして、そのコンピュータ（またはＣＰＵやＭＰＵ）が記録媒体に記録されているプログラムコードを読み出し実行することによっても、達成可能である。
【０１８３】
また、携帯通信装置１、再生装置２、およびサービス提供サーバ３それぞれでは、上記プログラムコードを、通信ネットワークを介して供給する構成であってもよい。なお、本発明は、上記プログラムコードが電子的な伝送で具現化された、搬送波に埋め込まれたコンピュータデータ信号の形態でも実現され得る。
【０１８４】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１８５】
以上のように、本発明に係る再生装置、携帯通信装置、管理サーバ、およびコンテンツ配信システムは、下記の効果を奏するものとして説明できる。
【０１８６】
すなわち、本発明に係る再生装置は、コンテンツを管理する管理サーバからコンテンツを受信し、該コンテンツを再生する再生装置であって、上記管理サーバは、コンテンツの利用が許可された携帯通信装置または所有者に関する識別情報を保持し、この識別情報により特定された携帯通信装置または所有者からの求めに応じてコンテンツを提供しており、上記管理サーバに対してコンテンツの送信を要求するための情報であるコンテンツ要求情報とともに、携帯通信装置または所有者を特定する識別情報、およびこの携帯通信装置からコンテンツ要求情報を送信した時点を示す送信時刻情報を、該携帯通信装置から受信する第１受信手段と、上記第１受信手段により受信したコンテンツ要求情報に基づき管理サーバとの接続を確立し、上記コンテンツ要求情報とともに上記識別情報および送信時刻情報を該管理サーバに送信する第１送信手段とを備える構成であってもよい。
【０１８７】
上記構成によると、上記第１受信手段および第１送信手段を備えるため、携帯通信装置から受信した、上記識別情報、上記送信時刻情報、および上記コンテンツ要求情報を、管理サーバに送信することができ、これにより、本発明に係る再生装置は、コンテンツを要求するためのコンテンツ要求情報の正当性を管理サーバに示すことができる。すなわち、再生装置は、上記識別情報によりこのコンテンツ要求情報の送信はコンテンツの利用が許可された携帯通信装置の所有者からであることを示すことができる。また、送信時刻情報により、携帯通信装置からコンテンツ要求情報が送信されたタイミングを管理サーバに知らせることができるため、携帯通信装置からコンテンツ要求情報が送信されてから管理サーバにて受信されるまでの送信経路において情報の盗聴等が行われたか否か示すことができる。つまり、携帯通信装置がコンテンツ要求情報を送信した時刻と、管理サーバがこのコンテンツ要求情報を受信した時刻との間で大きなタイムラグがある場合、盗聴が行われた可能性があると判断することができる。
【０１８８】
したがって、本発明に係る再生装置は、携帯通信装置から受信したコンテンツ要求情報により、該コンテンツを管理する管理サーバからコンテンツの提供を受ける場合に、この再生装置がコンテンツの正規の提供先であるか否か管理サーバに確認させることができるという効果を奏する。
【０１８９】
また、本発明に係る携帯通信装置は、コンテンツを管理する管理サーバにおいて、このコンテンツの利用許可対象として当該携帯通信装置または所有者を識別する識別情報が登録されている携帯通信装置であって、上記管理サーバに対してコンテンツの送信を要求するための情報であるコンテンツ要求情報を取得する取得手段と、上記識別情報を記憶する識別情報記憶装置と、上記取得手段により取得したコンテンツ要求情報を、上記コンテンツを再生するための再生装置に送信する時点の時刻である送信時刻を計測する第１計時部と、上記取得手段により取得したコンテンツ要求情報と、上記識別情報記憶装置に記憶された識別情報と、上記第１計時部にて計測された送信時刻の情報である送信時刻情報とに基づき、上記再生装置に送信するための送信用データを作成する送信用データ作成手段と、上記送信用データ作成手段によって作成した送信用データを再生装置に送信する第２送信手段とを備える構成であってもよい。
【０１９０】
上記した構成によると、取得手段を備えているため、コンテンツ要求情報を取得することができる。さらにまた、識別情報記憶装置、および第１計時部を備えているため上記識別情報および送信時刻情報を取得することができる。このため、上記送信用データ作成手段により、これら情報を含む送信用データを作成し、第２送信手段によりこの送信用データを再生装置に送信することができる。
【０１９１】
それ故、再生装置では、上記コンテンツ要求情報のみならず、コンテンツの利用許可対象として登録されている携帯通信装置またはその所有者の識別情報、このコンテンツ要求情報が携帯通信装置から送信された送信時刻情報を取得することができる。
【０１９２】
このため、再生装置は、コンテンツ要求情報により、管理サーバにコンテンツの提供を要求し、識別情報によりこの要求がコンテンツの利用許可対象として登録されている携帯通信装置またはその所有者からの求めに応じたものであることを管理サーバに示すことができる。さらには、送信時刻情報により、管理サーバに提示したこれら情報を不正に取得し、送信したものではないことを示すことができる。
【０１９３】
したがって、本発明に係る携帯通信装置は、再生装置に送信したコンテンツ要求情報により、該再生装置がコンテンツを管理する管理サーバからコンテンツの提供を受けることができる正規の提供先であるか否か管理サーバに確認させることができるという効果を奏する。
【０１９４】
また、本発明に係る管理サーバは、コンテンツを管理する管理サーバであって、上記コンテンツの利用許可対象として携帯通信装置または所有者を識別する識別情報を記憶する識別情報記憶装置と、上記コンテンツを再生する再生装置から、コンテンツの送信を要求するための情報であるコンテンツ要求情報とともに、上記識別情報、および上記携帯通信装置から上記再生装置に対してコンテンツ要求情報を送信した時点を示す送信時刻情報を受信した場合、その受信した時点での時刻情報である受信時刻情報を計測する第２計時部と、受信した識別情報と、上記送信時刻情報と上記受信時刻情報との差分とに基づき、受信したコンテンツ要求情報の正当性を判断する判断手段と、上記判断手段により受信したコンテンツ要求情報が正当であると判断された場合、再生装置に送信すべきコンテンツを決定する送信決定手段とを備え、上記判断手段は、受信した識別情報が、識別情報記憶装置に記憶されていると確認するとともに、上記送信時刻情報と上記受信時刻情報との差分が所定の範囲内であると確認した場合、受信したコンテンツ要求情報が正当であると判断するように構成されていてもよい。
【０１９５】
上記構成によると、識別情報記憶装置を備えるため、判断手段が、受信した識別情報がコンテンツの利用許可対象として記憶された携帯通信装置または所有者の識別情報であるか否か確認することができる。すなわち、管理サーバは、コンテンツに利用が許可された携帯通信装置または所有者からのコンテンツ要求か否か確認することができる。
【０１９６】
また、第２計時部を備えるため、判断手段が、受信した送信時刻情報と、第２計時部により計測した受信時刻情報とを比較し、携帯通信装置からコンテンツ要求情報を送信してから管理サーバにて該コンテンツ要求情報を受信するまでのタイムラグを確認することができる。このため、判断手段は、このタイムラグの大きさにより受信したコンテンツ要求情報が正規に送信経路で管理サーバに送信されたものであるのか、不正に第３者に取得され管理サーバに送信されたものであるのか判断することができる。
【０１９７】
したがって、本発明に係る管理サーバは、再生装置から受信したコンテンツ要求情報に応じて、コンテンツを再生装置に提供する場合に、管理サーバはこの再生装置がコンテンツの正規の提供先であるか否か確認することができるという効果を奏する。
【０１９８】
上記の目的を達成するために、本発明に係るコンテンツ配信システムは、コンテンツを管理する管理サーバからコンテンツを受信し、該コンテンツを再生する再生装置であって、上記管理サーバは、コンテンツの利用が許可された携帯通信装置または所有者に関する識別情報を保持し、この識別情報により特定された携帯通信装置または所有者からの求めに応じてコンテンツを提供しており、上記管理サーバに対してコンテンツの送信を要求するための情報であり、該管理サーバにより管理されているコンテンツの所在を示す所在情報を含むコンテンツ要求情報とともに、携帯通信装置または所有者を特定する識別情報、およびこの携帯通信装置からコンテンツ要求情報を送信した時点を示す送信時刻情報を、該携帯通信装置から受信する第１受信手段と、上記第１受信手段により受信したコンテンツ要求情報に基づき管理サーバとの接続を確立し、上記コンテンツ要求情報とともに上記識別情報および送信時刻情報を該管理サーバに送信する第１送信手段とを備える再生装置と、コンテンツを管理する管理サーバにおいて、このコンテンツの利用許可対象として当該携帯通信装置または所有者を識別する識別情報が登録されている携帯通信装置であって、上記管理サーバに対してコンテンツの送信を要求するための情報であるコンテンツ要求情報を取得する取得手段と、上記識別情報を記憶する識別情報記憶装置と、上記取得手段により取得したコンテンツ要求情報を、上記コンテンツを再生するための再生装置に送信する時点の時刻である送信時刻を計測する計時部と、上記取得手段により取得したコンテンツ要求情報と、上記識別情報記憶装置に記憶された識別情報と、上記計時部にて計測された送信時刻の情報である送信時刻情報とに基づき、上記再生装置に送信するための送信用データを作成する送信用データ作成手段と、上記送信用データ作成手段によって作成した送信用データを再生装置に送信する第２送信手段とを備える携帯通信装置と、コンテンツを管理する管理サーバであって、上記コンテンツの利用許可対象として携帯通信装置または所有者を識別する識別情報を記憶する識別情報記憶装置と、上記コンテンツを再生する再生装置から、コンテンツの送信を要求するための情報であるコンテンツ要求情報とともに、上記識別情報、および上記携帯通信装置から上記再生装置に対してコンテンツ要求情報を送信した時点を示す送信時刻情報を受信した場合、その受信した時点での時刻情報である受信時刻情報を計測する第２計時部と、受信した識別情報と、上記送信時刻情報と上記受信時刻情報との差分とに基づき、受信したコンテンツ要求情報の正当性を判断する判断手段と、上記判断手段により受信したコンテンツ要求情報が正当であると判断された場合、再生装置に送信すべきコンテンツを決定する送信決定手段とを備え、上記判断手段は、受信した識別情報が、識別情報記憶装置に記憶されていると確認するとともに、上記送信時刻情報と上記受信時刻情報との差分が所定の範囲内であると確認した場合、受信したコンテンツ要求情報が正当であると判断する管理サーバとを備えるように構成されてもよい。
【０１９９】
したがって、本発明に係るコンテンツ配信システムは、携帯通信装置から受信したコンテンツ要求情報を再生装置が管理サーバに送信した場合に、管理サーバがこのコンテンツ要求情報の正当性を判断して、再生装置がコンテンツの正規の提供先であるか否か確認することができるという効果を奏する。
【産業上の利用可能性】
【０２００】
本実施形態に係る情報配信システム１００は、再生装置２からサービス提供サーバ３への単方向で行われる通信において、サービス提供サーバ３は再生装置２がサービスの提供先であるか否か検証することができるシステムである。このため、本実施の形態に係る再生装置２のようにサービス提供サーバにおける検証において必要となる情報等の入力を行うことができない場合に広く適用できる。
【手続補正２】
【補正対象書類名】特許請求の範囲
【補正対象項目名】全文
【補正方法】変更
【補正の内容】
【特許請求の範囲】
【請求項１】
サービスを提供するサービス提供サーバからサービスの提供を受けることが許可されている携帯通信装置であって、
上記サービス提供サーバは、提供するサービスの利用許可対象を識別する情報として、当該携帯通信装置または当該携帯通信装置の所有者に割り当てられた識別情報を登録しており、
上記サービス提供サーバに対してサービスの提供を要求するための情報であるサービス利用情報を取得する取得手段と、
上記識別情報を記憶する識別情報記憶装置と、
上記取得手段により取得したサービス利用情報を、上記サービス提供サーバと接続され、このサービス提供サーバより提供されるサービスを利用するサービス利用装置に送信する時点の時刻である送信時刻を計測する第１計時部と、
上記取得手段により取得したサービス利用情報と、上記識別情報記憶装置に記憶された識別情報と、上記第１計時部にて計測された送信時刻の情報である送信時刻情報とを、画像データ内に含めてサービス利用装置に送信するための送信用画像データを作成する送信用データ作成手段と、
上記送信用データ作成手段により作成された送信用画像データを上記サービス利用装置に送信する第２送信手段とを備えることを特徴とする携帯通信装置。
【請求項２】
上記画像データは、表示する画像を圧縮して格納するための領域である画像領域と、該画像領域に格納された画像に関する情報を格納するための領域である情報格納領域とを含んでおり、
上記送信用データ作成手段は、上記サービス利用情報と、上記識別情報と、上記送信時刻情報とを、上記情報格納領域に記憶させて送信用画像データを作成することを特徴とする請求項１に記載の携帯通信装置。
【請求項３】
上記送信用データ作成手段は、上記識別情報および上記送信時刻情報の正当性を保証するための署名情報を、該識別情報および送信時刻情報に付して送信用画像データを作成することを特徴とする請求項１または２に記載の携帯通信装置。
【請求項４】
サービスを提供するサービス提供サーバであって、
提供する上記サービスの利用許可対象として携帯通信装置またはその所有者を識別する識別情報を記憶する識別情報記憶装置と、
上記サービスを利用するためのサービス利用装置から、サービスの提供を要求するための情報であるサービス利用情報とともに、上記識別情報、および上記携帯通信装置から上記サービス利用装置に対してサービス利用情報を送信した時点を示す送信時刻情報を受信した場合、その受信した時点での時刻情報である受信時刻情報を計測する第２計時部と、
受信した識別情報、および上記送信時刻情報と上記受信時刻情報との差分に基づき、受信したサービス利用情報の正当性を判断する判断手段と、
上記判断手段により受信したサービス利用情報が正当であると判断された場合、サービス利用装置に提供すべきサービスを決定する提供サービス決定手段とを備え、
上記判断手段は、受信した識別情報が、識別情報記憶装置に記憶されており、上記送信時刻情報と上記受信時刻情報との差分が所定の範囲内であると確認した場合、受信したサービス利用情報が正当であると判断することを特徴とするサービス提供サーバ。
【請求項５】
上記サービス利用装置から受信した識別情報および送信時刻情報には、これらの情報の正当性を保証するための署名情報が付与されており、
上記判断手段は、上記署名情報に基づき、上記識別情報および上記送信時刻情報の正当性を検証することを特徴とする請求項４に記載のサービス提供サーバ。
【請求項６】
上記サービス提供サーバは、携帯通信装置との間で商品購入代金に係る決済処理を行うとともに、上記サービス利用情報を該携帯通信装置に送信する店舗端末から、購入される商品に関する情報である購入情報を受け付け、該購入情報に応じて、サービスを提供しており、
上記店舗端末から、上記識別情報により特定されている携帯通信装置により購入される商品に関する購入情報と、上記携帯通信装置と店舗端末との間で実行された決済処理の日時を示す決済日時情報とを受け付ける決済処理情報受付手段と、
上記決済処理情報受付手段が、上記購入情報および決済日時情報を受け付けると、携帯通信装置に対して提供するサービス利用情報を選択するサービス利用情報選択手段と、
上記サービス利用情報選択手段によって選択されたサービス利用情報を上記店舗端末に送信するサービス利用情報送信手段とを備えることを特徴とする請求項４または５に記載のサービス提供サーバ。
【請求項７】
携帯通信装置との間で商品購入代金に係る決済処理を行う店舗端末であって、
上記携帯通信装置による商品購入に関する情報である購入情報と、上記決済処理を行った決済日時に関する情報とを、サービスを提供するサービス提供サーバに送信する決済処理情報送信手段と、
上記決済処理情報送信手段により送信された上記購入情報および決済日時に関する情報に応じて、上記サービス提供サーバより送信された、該サービス提供サーバに対してサービスの提供を要求するための情報であるサービス利用情報を受信するサービス利用情報受信手段と、
サービス利用情報受信手段によって受信したサービス利用情報を、画像データに格納して携帯通信装置に送信するサービス利用情報送信手段とを備えることを特徴とする店舗端末。
【請求項８】
携帯通信装置との間で商品購入代金に係る決済処理を行う店舗端末であって、
上記携帯通信装置に対してサービスを提供するサービスの提供元のアドレスを記憶するサービス提供元記憶装置と、
上記携帯通信装置による商品購入に関する情報である購入情報と、上記決済処理を行った決済日時に関する情報とを取得する決済処理情報取得手段と、
上記決済処理情報取得手段によって、上記購入情報が取得されると、上記サービス提供元記憶装置に記憶された上記アドレスを画像データに格納して、サービス利用情報として携帯通信装置に送信するサービス利用情報送信手段と、
上記決済処理情報取得手段によって取得した上記購入情報と、上記サービス利用情報として携帯通信装置に送信したサービスの提供元のアドレスとを、上記サービスの提供元を管理するサービス提供サーバに通知する通知手段とを備えることを特徴とする店舗端末。
【国際調査報告】
2009054384.tif 000024
2009054384.tif 000025
2009054384.tif 000026
2009054384.tif 000027